(57)【要約】【課題】レントゲン又はＭＲＩ等を用いなくても、三次元測定の結果より、人体の骨格の状況を確認できるようにする。【解決手段】三次元測定により得られる人体表面の複数の点の中から、人体の特定の骨格箇所に応じた骨格ポイントの三次元座標値に用いる点を特定し、その特定した点の三次元座標値から各骨格ポイントの三次元座標値を求める。また、各骨格ポイントに基づき、予め対象点を埋め込んだ骨格モデルを変形し、その変形した骨格モデルの対象点が有する三次元座標値より、骨格モデルの対象点を埋め込んだ骨格箇所の位置を特定する。特定した骨格箇所の位置などから骨格の状況を検証できるようにする。
2017170264.tif 000002
【特許請求の範囲】
【請求項１】
人体を三次元測定器で測定したことで得られる人体表面の複数の点が有する三次元座標値に基づき人体の骨格の状況を特定する骨格特定システムにおいて、  人体における複数の骨格ポイントに対応する人体表面の点を、骨格ポイントごとに示すポイントテーブルと、  前記ポイントテーブルの複数の骨格ポイントのそれぞれに対応する変形基点を含むと共に、三次元座標値を有する対象点を含む変形可能な骨格モデルを記憶する手段と、  前記ポイントテーブルに基づいて、三次元測定器の測定で得られた人体表面の複数の点の中から、複数の骨格ポイントのそれぞれに対応する人体表面の点を、骨格ポイントごとに特定する手段と、  骨格ポイントごとに特定した人体表面の点が有する三次元座標値に基づき、前記骨格ポイントの三次元座標値を特定する手段と、  前記骨格ポイントの特定した三次元座標値に、前記骨格ポイントに対応する変形基点が一致するように、前記骨格モデルを変形する手段と、  変形した前記骨格モデルに含まれる対象点が有する三次元座標値に基づき前記対象点の位置を特定する手段と  を備えることを特徴とする骨格特定システム。
【請求項２】
前記ポイントテーブルは、特定の骨格ポイントとして骨盤ポイントを含むと共に、前記骨盤ポイントに対応する人体表面の点として、人体前側及び後側における人体表面の点を示しており、  前記骨盤ポイントに対応する人体前側における人体表面の点が有する三次元座標値、及び前記骨盤ポイントに対応する人体後側における人体表面の点が有する三次元座標値の平均値を、前記骨盤ポイントの三次元座標値として算出する手段を備える請求項１に記載の骨格特定システム。
【請求項３】
前記骨格モデルは、前記骨盤ポイントに係る骨格箇所の腰仙角に応じた骨盤角度線を含み、  変形した骨格モデルに含まれる骨盤角度線が、人体の厚み方向に平行な線と交わる角度を特定する手段を備える請求項２に記載の骨格特定システム。
【請求項４】
前記三次元座標値は、人体の幅方向、人体の高さ方向、及び人体の厚み方向の座標値を含み、  前記ポイントテーブルは、特定の骨格ポイントとして背骨ポイントを含むと共に、前記背骨ポイントに対応する人体表面の点として、人体前側及び後側における人体表面の点を示しており、  前記背骨ポイントに対応する人体前側における人体表面の点が有する人体の幅方向の座標値、及び前記背骨ポイントに対応する人体後側における人体表面の点が有する人体の幅方向の座標値の平均値を、前記背骨ポイントにおける人体の幅方向の座標値として算出する手段と、  前記背骨ポイントに対応する人体前側における人体表面の点が有する人体の高さ方向の座標値、及び前記背骨ポイントに対応する人体後側における人体表面の点が有する人体の高さ方向の座標値の平均値を、前記背骨ポイントにおける人体の高さ方向の座標値として算出する手段と、  前記背骨ポイントに対応する人体前側における人体表面の点が有する人体の厚み方向の座標値、及び前記背骨ポイントに対応する人体後側における人体表面の点が有する人体の厚み方向の座標値の間を、特定の比率で分ける点の座標値を、前記背骨ポイントにおける人体の厚み方向の座標値として算出する手段と  を備える請求項１乃至請求項３のいずれか１項に記載の骨格特定システム。
【請求項５】
前記背骨ポイントには、腰椎に応じた第１背骨ポイント、及び胸骨下位置に応じた第２背骨ポイントが含まれており、  前記骨格モデルは、前記第１背骨ポイントに係る骨格箇所の腰椎前弯角度に応じた第１前弯線、及び前記第２背骨ポイントに係る骨格箇所の腰椎前弯角度に応じた第２前弯線を含み、  変形した骨格モデルに含まれる第１前弯線及び第２前弯線による腰椎前弯角度を特定する手段を備える請求項４に記載の骨格特定システム。
【請求項６】
前記背骨ポイントには更に、上記第２背骨ポイントより上方の第３背骨ポイントが含まれており、  前記骨格モデルは、前記第２背骨ポイントに係る骨格箇所の胸椎後弯角度に応じた第１後弯線、及び前記第３背骨ポイントに係る骨格箇所の胸椎後弯角度に応じた第２後弯線を含み、  変形した骨格モデルに含まれる第１後弯線及び第２後弯線による胸椎後弯角度を特定する手段を備える請求項５に記載の骨格特定システム。
【請求項７】
前記ポイントテーブルは、特定の骨格ポイントとして首骨ポイントを含むと共に、前記首骨ポイントに対応する人体表面の点として、人体前側及び後側における人体表面の点を示しており、  前記首骨ポイントに対応する人体前側における人体表面の点が有する三次元座標値、及び前記首骨ポイントに対応する人体後側における人体表面の点が有する三次元座標値の平均値を、前記首骨ポイントの三次元座標値として算出する手段を備える請求項１乃至請求項６に記載の骨格特定システム。
【請求項８】
前記ポイントテーブルは、特定の骨格ポイントとして、前記首骨ポイントより上方の上方首骨ポイントを含むと共に、前記上方首骨ポイントに対応する人体左側及び右側における人体表面の点を示すようにしてあり、  前記上方首骨ポイントに対応する人体左側における人体表面の点が有する三次元座標値、及び前記上方首骨ポイントに対応する人体右側における人体表面の点が有する三次元座標値の平均値を、前記上方首骨ポイントの三次元座標値として算出する手段を備える請求項７に記載の骨格特定システム。
【請求項９】
前記骨格モデルは、前記首骨ポイントに係る骨格箇所の頸椎前弯角度に応じた第１頸椎前弯線、及び前記上方首骨ポイントに係る骨格箇所の頸椎前弯角度に応じた第２頸椎前弯線を含み、  変形した骨格モデルに含まれる第１頸椎前弯線及び第２頸椎前弯線による頸椎前弯角度を特定する手段を備える請求項８に記載の骨格特定システム。
【請求項１０】
前記骨格モデルは対象点として、大腿骨大転子、膝頭、及び足首に応じた各点を含み、  変形した前記骨格モデルで、位置を特定した大腿骨大転子及び膝頭に応じた両方の点を結ぶ大腿骨線を、前記大腿骨大転子及び前記膝頭に応じた各点が有するそれぞれの三次元座標値に基づき特定する手段と、  変形した前記骨格モデルで、位置を特定した膝頭及び足首に応じた両方の点を結ぶ脛骨線を、前記膝頭及び前記足首に応じた各点が有するそれぞれの三次元座標値に基づき特定する手段と、  特定した大腿骨線及び脛骨線が交わる角度を特定する手段と  を備える請求項１乃至請求項９に記載の骨格特定システム。
【請求項１１】
前記骨格モデルは対象点として、大腿骨大転子及び膝頭に応じた各点を左右の足のそれぞれに含み、  変形した前記骨格モデルで、位置を特定した大腿骨大転子及び膝頭に応じた両方の点を結ぶ大腿骨線の長さを、前記大腿骨大転子及び前記膝頭に応じた各点が有するそれぞれの三次元座標値に基づき、左右の足のそれぞれに対して算出する手段と、  左右の大腿骨線の長さの差を算出する手段と、  三次元測定により得られる人体の身長を取得する手段と、  取得した身長に対して、算出した左右の大腿骨線の長さの差の割合を算出する手段と、  算出した割合を、大腿骨線基準割合と比較する手段と、  比較した結果に基づき、左右の寛骨の状況を判定する手段と  を備える請求項１乃至請求項１０に記載の骨格特定システム。
【請求項１２】
三次元測定器で測定される人体の撮像画像を取得する手段と、  取得した撮像画像の人体の中に、特定した角度を含む画面に係る画面情報を生成する手段と  を備える請求項３、５、６、９、１０のいずれか１項に記載の骨格特定システム。
【請求項１３】
特定した角度に係る基準角度、及び前記基準角度との比較結果に応じた人体の状況に係る症状を含む判定テーブルと、  特定した角度を、前記判定テーブルに含まれる基準角度と比較する手段と、  基準角度と比較した結果より、前記判定テーブルに基づき症状を判定する手段と  を備える請求項３、５、６、９、１０、１２のいずれか１項に記載の骨格特定システム。
【請求項１４】
人体における複数の骨格ポイントに対応する人体表面の点を骨格ポイントごとに示すポイントテーブル、及び前記ポイントテーブルの複数の骨格ポイントのそれぞれに対応する変形基点を含むと共に三次元座標値を有する対象点を含む変形可能な骨格モデルを有する骨格特定システムが、人体を三次元測定器で測定したことで得られる人体表面の複数の点が有する三次元座標値に基づき人体の骨格の状況を特定する骨格特定方法において、  前記ポイントテーブルに基づいて、三次元測定器の測定で得られた人体表面の複数の点の中から、複数の骨格ポイントのそれぞれに対応する人体表面の点を、骨格ポイントごとに特定するステップと、  骨格ポイントごとに特定した人体表面の点が有する三次元座標値に基づき、前記骨格ポイントの三次元座標値を特定するステップと、  前記骨格ポイントの特定した三次元座標値に、前記骨格ポイントに対応する変形基点が一致するように、前記骨格モデルを変形するステップと、  変形した前記骨格モデルに含まれる対象点が有する三次元座標値に基づき前記対象点の位置を特定するステップと  を備えることを特徴とする骨格特定方法。
【請求項１５】
人体における複数の骨格ポイントに対応する人体表面の点を骨格ポイントごとに示すポイントテーブル、及び前記ポイントテーブルの複数の骨格ポイントのそれぞれに対応する変形基点を含むと共に三次元座標値を有する対象点を含む変形可能な骨格モデルを有するコンピュータに、人体を三次元測定器で測定したことで得られる人体表面の複数の点が有する三次元座標値に基づき人体の骨格の状況を特定する処理を行わせるためのコンピュータプログラムにおいて、  前記コンピュータに、  前記ポイントテーブルに基づいて、三次元測定器の測定で得られた人体表面の複数の点の中から、複数の骨格ポイントのそれぞれに対応する人体表面の点を、骨格ポイントごとに特定するステップと、  骨格ポイントごとに特定した人体表面の点が有する三次元座標値に基づき、前記骨格ポイントの三次元座標値を特定するステップと、  前記骨格ポイントの特定した三次元座標値に、前記骨格ポイントに対応する変形基点が一致するように、前記骨格モデルを変形するステップと、  変形した前記骨格モデルに含まれる対象点が有する三次元座標値に基づき前記対象点の位置を特定するステップと  実行させることを特徴とするコンピュータプログラム。
【発明の詳細な説明】
【技術分野】
【０００１】  本発明は、被験者の体格に応じた人体モデルを提供するものであり、特に骨格モデル及び筋肉モデル等を段階的に含む解剖的な人体モデルを用いて、各段階のモデルを被験者の体付きに応じて自動変形するようにした人体モデル提供システム等に加えて、レントゲン又はＭＲＩ等を用いずに人体の骨格の状況を特定できるようにして、姿勢の検証も可能にした骨格特定システム、骨格特定方法、及びコンピュータプログラムに関する。
【背景技術】
【０００２】  従来から、被験者の体格に関する各種測定結果を用いて、被験者の体格に応じた人体モデルを生成することが行われている。例えば、下記の特許文献１、２では、予め準備していた人体の外観的な輪郭形状を示す人体モデルを、被験者の体格に係る測定結果（身長、胸囲、各部の寸法等）に基づき変形することが開示されている。また、下記の特許文献３では、対象者（被験者）の身長、体重、外形を示すデータから骨格モデルを導出することが示されており（特許文献３の図１３等参照）、さらに、重量に関するデータベースに示される重量分布等によって、筋肉モデルを付加した数値モデルを作成すること、筋肉や脂肪の形状についてのポリゴンデータを付加した人体に関するポリゴンモデルを得ること（特許文献３の図３９、４０等参照）等についても開示される。さらに、下記の特許文献４では、ポリゴンメッシュに基づく変形人体モデルの内部組織（筋肉、脂肪等の組織）の形状を、個人の内部組織の形状に近似するように変形処理を施すことが示される（特許文献４の図１、７、８等参照）。【０００３】  なお、下記の特許文献５では、年齢別、性別などに応じた骨格等を示す標準骨格モデルデータ等を準備しておき、形状等を編集するソフトウェアを用いて、標準骨格モデルデータ等を適宜、ユーザが手作業で修正することが示される。一方、被験者の組成的な測定結果を用いて、人体モデルを提示することも行われている。例えば、下記の特許文献６では、生体電気インピーダンス法に基づいて測定した結果より、脂肪重量及び除脂肪重量等を求め、これらの求めた重量等を人体モデルで表示することが示される（特許文献６の図６参照）。また、下記の特許文献７では、体組成計を用いて被験者を測定した結果（生体情報：脂肪量、内臓脂肪量、筋肉量等）を人体的な画像で表すことが開示される（特許文献７の図９〜１１等参照）。【０００４】  さらに、下記の特許文献８では、三次元測定器により測定で得られた複数の点に基づき、相同モデルを生成し、その生成した相同モデルを用いて人体の骨格における各関節の座標値を含む関節位置データＢＤを演算により生成することが開示される（特許文献８の段落０１３９等参照）。さらにまた、下記の特許文献９では、距離画像から関節位置候補を算出し、算出した関節位置候補と、その尤度とを元に、最終的な関節位置を決定して人体の姿勢を推定することが開示される。そして、下記の特許文献１０では、ＭＲＩ（磁気共鳴画像）撮像装置から得られる人体に関する３次元画像情報から、仙骨最下点の座標データを求めて基準点に設定して、立体座標系を作成することが開示される。【０００５】  また、下記の特許文献１１では、三次元測量方式の非接触３次元スキャナなどを利用して得た身体形状データに対して主成分分析を行って、対象者の身体形状の傾向を表す姿勢軸を特定することが開示される（特許文献１１の段落００２３〜００２７等参照）。さらに、下記の特許文献１２では、患者の各部に標識を付して走査を行うことで位置データを得て、垂直アライメントからの偏向、垂直軸からの距離を求めると共に（特許文献１２の図１３参照）、姿勢偏差に関連付けられるエクササイズおよびストレッチを提示することも開示さ���る（特許文献１２の図１３参照）。そして、下記の特許文献１３では、被験者を撮像した姿勢画像の左肩や右肩等の各部位の位置を指定し、その指定した各部位の座標位置を比較演算して姿勢情報を生成し、体の姿勢を分析して、運動療法メニューを含む診断結果の内容と共に分析結果を提示することを開示する（特許文献１３の段落００５５〜５７等の記載、図５、７等参照）。【０００６】  さらに近時においては、人体を骨格レベル、筋肉レベルというように、各レベルで三次元的に所望の角度、所望の倍率等で人体の解剖的な構成を提示できるようにした３Ｄ人体解剖アプリが提供されている（非特許文献１参照）。
【先行技術文献】
【特許文献】
【０００７】
【特許文献１】特開２００２−１８３７５８号公報
【特許文献２】特開平１０−４９０４５号公報
【特許文献３】特開平１１−１９２２１４号公報
【特許文献４】特開２０１３−８９１２３号公報
【特許文献５】特開平４−１９５４７６号公報
【特許文献６】特開２００１−３２１３５０号公報
【特許文献７】特開２０１４−１８４４４号公報
【特許文献８】特開２０１１−１８０７９０号公報
【特許文献９】特開２０１５−１６７００８号公報
【特許文献１０】特開２００２−１８６５８８号公報
【特許文献１１】特開２０１６−１２３５８５６号公報
【特許文献１２】特表２００４−５１２９１９号公報
【特許文献１３】特開２００５−３０１号公報
【非特許文献１】ｔｅａｍＬａｂＢｏｄｙ”−３Ｄ  Ｍｏｔｉｏｎ  Ｈｕｍａｎ  Ａｎａｔｏｍｙ  世界初、生きた人間の動き・形態を再現した３Ｄ人体解剖アプリ”、[online]、[平成２８年（２０１６年）３月１６日検索]、インターネット＜ＵＲＬ：http://www.teamlabbody.com/3dnote-jp/＞
【発明の概要】
【発明が解決しようとする課題】
【０００８】  上述した特許文献１、２、６、７の内容は、いずれも被験者の測定結果を反映した人体モデルを表したものであるが、上述した非特許文献１のように、骨格モデルに筋肉を重ねるように配置した解剖的な筋肉モデルに対して、被験者の測定した結果を反映できるように筋肉モデルの形状を変形することまでは、特許文献１、２、６、７の内容で対応できないという問題がある。【０００９】  また、特許文献３は、被験者における四肢（左右腕、左右脚）及び体幹部の筋肉量、脂肪量を実際に測定するのではなく、重量ＤＢ等の各種データベースを用いて数値的に筋肉及び脂肪のモデルを得るので、被験者の実際の筋肉の付き方、脂肪の付き方を反映したモデルを提供できないという問題がある。なお、特許文献３で開示される筋肉や脂肪の形状についてのポリゴンデータは、ワイヤーフレームモデルをベースとした人体形状に基づくものであるから、簡素化した人体形状を示す概要的なモデルを生成するに留まっている。特許文献４は、数値人体モデルに基づくものであるから、被験者の個々の体つきに応じたモデルまでは提供できないという問題がある。【００１０】  さらに、脂肪については、上述した特許文献３、４、６、７で言及されているが、人体モデルにおける脂肪の表し方としては特許文献６の図６、特許文献７の図９、１０等のように、人体モデルの周囲輪郭に脂肪を示す分を付加する程度にすぎず、例えば、上述した非特許文献１の筋肉モデルの上に脂肪を配置し、このような脂肪を配置したモデルで、脂肪の量を表現するようなことまでは、特許文献３、４、６、７で対応できないという問題がある。特に、測定された脂肪の量が標準より少ない場合、標準より少ない脂肪の状態を人体モデルで視覚的に表現するのは一般に困難である。【００１１】  さらにまた、非特許文献１のように、骨格モデルに筋肉等を重ねた解剖的な人体モデルを示す場合で、被験者の測定結果に合わせて、骨格モデル、及び筋肉を配置した段階のモデル等のように、段階ごとにモデルを変形すると、段階の異なるモデル間で整合性を確保するのも困難になるという問題がある。【００１２】  一方、人体の骨格の状況を調べるには一般に、レントゲン又はＭＲＩが使用されるが、レントゲンは短時間であるが被爆の問題があり、またＭＲＩは設備に対する費用が高額になる等の問題がある。レントゲン又はＭＲＩを用いずに、人体の骨格の状況を確認する仕方としては、上述した特許文献８、９等がある。上述した特許文献８では、三次元測定結果から一旦、相同モデルを生成し、その相同モデルを用いて、人体の骨格における各関節の座標値を演算で求めることから、相同モデルの生成が必須となり、各関節の座標値を求める処理において、相同モデルを生成する処理負担が生じると共に、演算で得られる各関節の座標値に対し、相同モデルの影響が入り込み、関節座長値の演算結果に、折角行った三次元測定の結果が反映されにくいという問題がある。【００１３】  そして、上述した特許文献９では、距離画像から関節位置候補を算出すると共に、尤度を用いて最終的な関節位置を決定するので、関節位置の決定に対し、三次元測定を用いるのでは無く、画像中の各画素に奥行き方向の距離情報が所定のスケーリングで記録された距離画像（例えば、ＣＧ等により作成された画像。特許文献９の段落００１３参照）を用いるので、得られる関節位置の精度が、距離画像に含まれる距離情報に左右される問題があり、この問題は、演算に用いる尤度の影響により助長されやすくなる。【００１４】  また、人体の姿勢検証について、上述した特許文献１１では、三次元測定等で得られた測定対象表面の複数の点から主成分分析により姿勢軸を求めるので、姿勢検証は人体表面からの分析となり、人体内部の骨格の状況に基づいて姿勢検証を行えないという問題がある。この問題は、上述した特許文献１２、１３でも同様であり、被験者を撮影して人体の表面的な位置及び形状等に基づいて姿勢を検証するので、人体の内部の骨格位置の特定までは行っていない。【００１５】  本発明は、斯かる事情に鑑みてなされたものであり、骨格モデルに重ねる筋肉を有する筋肉モデルについて、被験者の測定結果に合わせた変形を自動で行えるようにした人体モデル提供システム、人体モデル変形方法、及びコンピュータプログラムを提供することを目的とする。【００１６】  また、本発明は、筋肉モデルに重ねる脂肪を有する脂肪モデルの段階でも、被験者の測定結果に応じて、脂肪量が標準より多い場合、又は標準より少ない場合を視覚的に表現できるようにした人体モデル提供システム、人体モデル変形方法、及びコンピュータプログラムを提供することを目的とする。【００１７】  さらに、本発明は、骨格モデル、筋肉モデル又は脂肪モデルをそれぞれ、体格的なタイプに合わせて複数種類を予めセットにした状態で準備しておき、セットにした骨格モデル、筋肉モデル又は脂肪モデルについて連携的に変形処理を行うことで、ある一つの段階でモデルの変形を行っても、他の段階のモデルとの間で整合性を確保できるようにした人体モデル提供システム、人体モデル変形方法、及びコンピュータプログラムを提供することを目的とする。【００１８】  さらにまた、本発明は、三次元測定器で得られた人体表面の複数の点と、人体の骨格における各骨格ポイントとの関係を示すポイントテーブルを用いることで、レントゲン又はＭＲＩ等を使用しなくても、人体における各骨格ポイントの位置を特定できるようにした骨格特定システム、骨格特定方法、及びコンピュータプログラムを提供することを目的とする。  また、本発明は、ポイントテーブルを用いて骨格ポイントの位置を特定しにくい箇所について、変形可能な骨格モデルを用いることで、変形した骨格モデルの各ポイントから位置を特定できるようにした骨格特定システム、骨格特定方法、及びコンピュータプログラムを提供することを目的とする。  そして、本発明は、特定した骨格ポイントの位置に基づき、三次元測定器で測定された人体の姿勢を検証できるようにした骨格特定システム、骨格特定方法、及びコンピュータプログラムを特定することを目的とする。
【課題を解決するための手段】
【００１９】  上記課題を解決するために本発明に係る人体モデル提供システムは、被験者の身体的な測定結果に係る情報に基づき、体格を示す人体モデルの変形処理を行う人体モデル提供システムにおいて、前記人体モデルは、骨格に応じた骨格モデル及び、その骨格モデルを覆う筋肉に応じた筋肉モデルを含み、被験者の体の特定部位における筋肉量に係る数値を取得する手段と、取得した筋肉量に係る数値が標準に比べて大きい場合、前記筋肉モデルにおける前記特定部位に係る筋肉部分が太くなるように、前記筋肉モデルを変形する手段と、取得した筋肉量に係る数値が標準に比べて小さい場合、前記筋肉モデルにおける前記特定部位に係る筋肉部分が細くなるように、前記筋肉モデルを変形する手段とを備えることを特徴とする。【００２０】  本発明に係る人体モデル提供システムは、被験者の体幹部における内臓脂肪に係る数値を取得する手段と、取得した内臓脂肪に係る数値が標準に比べて大きい場合、前記筋肉モデルにおける腹の部位が太くなるように、前記筋肉モデルを変形する手段と備えることを特徴とする。【００２１】  本発明に係る人体モデル提供システムは、前記人体モデルが、前記筋肉モデルを覆う脂肪に応じた脂肪モデルを含み、前記筋肉モデルを変形した場合、前記筋肉モデルの変形に追従して前記脂肪モデルを変形する手段を備えることを特徴とする。【００２２】  本発明に係る人体モデル提供システムは、被験者の体の特定部位における皮下脂肪量に係る数値を取得する手段と、取得した皮下脂肪量に係る数値が標準に比べて大きい場合、前記脂肪モデルにおける前記特定部位に応じた脂肪部分が太くなるように、前記脂肪モデルを変形する手段とを備えることを特徴とする。【００２３】  本発明に係る人体モデル提供システムは、前記脂肪モデルの表面には、基準色が付けてあり、取得した皮下脂肪量に係る数値が標準に比べて大きい場合、前記脂肪モデルにおける前記特定部位に応じた表面部分の色を前記基準色より濃くする手段を備えることを特徴とする。【００２４】  本発明に係る人体モデル提供システムは、取得した皮下脂肪量に係る数値が標準に比べて小さい場合、前記脂肪モデルにおける前記特定部位に応じた表面部分の色を前記基準色より薄くする手段を備えることを特徴とする。【００２５】  本発明に係る人体モデル提供システムは、取得した皮下脂肪量に係る数値が標準に比べて小さい場合、前記脂肪モデルにおける前記特定部位に応じた脂肪部分を透過して前記筋肉モデルの筋肉が映るように、前記部分を変化させる手段を備えることを特徴とする。【００２６】  本発明に係る人体モデル提供システムは、前記骨格モデルには、標準の骨格モデルと、前記標準の骨格モデルに比べて四肢の寸法を短くした第１の骨格モデルと、前記標準の骨格モデルに比べて四肢の寸法を長くした第２の骨格モデルとがあり、前記筋肉モデルには、前記標準の骨格モデルに対応する標準の筋肉モデルと、前記第１の骨格モデルに対応する第１の筋肉モデルと、前記第２の骨格モデルに対応する第２の筋肉モデルとがあり、被験者の体格に係る測定結果を取得する手段と、取得した測定結果に基づき、前記標準の骨格モデル、前記第１の骨格モデル、及び前記第２の骨格モデルの��から、いずれか一つを特定する手段とを備え、特定した骨格モデルに対応する筋肉モデルについて変形するようにしてあることを特徴とする。【００２７】  本発明に係る人体モデル提供システムは、前記骨格モデルには、標準の骨格モデルと、前記標準の骨格モデルに比べて四肢の寸法を短くした第１の骨格モデルと、前記標準の骨格モデルに比べて四肢の寸法を長くした第２の骨格モデルとがあり、前記脂肪モデルには、前記標準の骨格モデルに対応する標準の脂肪モデルと、前記第１の骨格モデルに対応する第１の脂肪モデルと、前記第２の骨格モデルに対応する第２の脂肪モデルとがあり、被験者の体格に係る測定結果を取得する手段と、取得した測定結果に基づき、前記標準の骨格モデル、前記第１の骨格モデル、及び前記第２の骨格モデルの中から、いずれか一つを特定する手段とを備え、特定した骨格モデルに対応する脂肪モデルについて変形するようにしてあることを特徴とする。【００２８】  本発明に係る人体モデル提供システムは、被験者の体格に係る測定結果を取得する手段と、取得した測定結果に基づき、前記骨格モデルを相似的に拡大又は縮小するように、特定した骨格モデルを変形する手段と、前記骨格モデルを変形した場合、前記骨格モデルの変形に追従して前記筋肉モデルを変形する手段とを備えることを特徴とする。【００２９】  本発明に係る人体モデル提供システムは、前記骨格モデルが変形基点を有し、被験者の身体的な測定結果に係る情報に含まれる被験者の体格に係る複数の頂点の中から、前記変形基点に対応する対応点を特定する手段と、前記骨格モデルにおける前記変形基点の直近の関節から前記対応点へ向かう方向を特定する手段と、前記変形基点を含むと共に前記関節に繋がる骨部分が、特定した方向と同じ向きになるように、前記関節を中心に前記骨部分の角度を変更する手段と、角度を変更した前記骨部分の前記変形基点が前記対応点に一致するように、前記骨部分の長さを変形する手段と、前記骨格モデルの前記骨部分を変形した場合、前記骨格モデルの前記骨部分の変形に追従して、前記筋肉モデルにおける前記骨部分の該当箇所が形状的に変化するように、前記筋肉モデルを変形する手段とを備えることを特徴とする。【００３０】  本発明に係る人体モデル変形方法は、人体モデル処理装置が、被験者の身体的な測定結果に係る情報に基づき、体格を示す人体モデルの変形処理を行う人体モデル変形方法において、前記人体モデルは、骨格に応じた骨格モデル及び、その骨格モデルを覆う筋肉に応じた筋肉モデルを含み、被験者の体の特定部位における筋肉量に係る数値を取得するステップと、取得した筋肉量に係る数値が標準に比べて大きい場合、前記筋肉モデルにおける前記特定部位に係る筋肉部分が太くなるように、前記筋肉モデルを変形するステップと、取得した筋肉量に係る数値が標準に比べて小さい場合、前記筋肉モデルにおける前記特定部位に係る筋肉部分が細くなるように、前記筋肉モデルを変形するステップとを備えることを特徴とする。【００３１】  本発明に係るコンピュータプログラムは、コンピュータに、被験者の身体的な測定結果に係る情報に基づき、体格を示す人体モデルの変形処理を行わせるためのコンピュータプログラムにお���て、前記人体モデルは、骨格に応じた骨格モデル及び、その骨格モデルを覆う筋肉に応じた筋肉モデルを含み、前記コンピュータに、被験者の体の特定部位における筋肉量に係る数値を取得するステップと、取得した筋肉量に係る数値が標準に比べて大きい場合、前記筋肉モデルにおける前記特定部位に係る筋肉部分が太くなるように、前記筋肉モデルを変形するステップと、取得した筋肉量に係る数値が標準に比べて小さい場合、前記筋肉モデルにおける前記特定部位に係る筋肉部分が細くなるように、前記筋肉モデルを変形するステップとを実行させることを特徴とする。【００３２】  また、本発明は、人体を三次元測定器で測定したことで得られる人体表面の複数の点が有する三次元座標値に基づき人体の骨格の状況を特定する骨格特定システムにおいて、人体における複数の骨格ポイントに対応する人体表面の点を、骨格ポイントごとに示すポイントテーブルと、前記ポイントテーブルの複数の骨格ポイントのそれぞれに対応する変形基点を含むと共に、三次元座標値を有する対象点を含む変形可能な骨格モデルを記憶する手段と、前記ポイントテーブルに基づいて、三次元測定器の測定で得られた人体表面の複数の点の中から、複数の骨格ポイントのそれぞれに対応する人体表面の点を、骨格ポイントごとに特定する手段と、骨格ポイントごとに特定した人体表面の点が有する三次元座標値に基づき、前記骨格ポイントの三次元座標値を特定する手段と、前記骨格ポイントの特定した三次元座標値に、前記骨格ポイントに対応する変形基点が一致するように、前記骨格モデルを変形する手段と、変形した前記骨格モデルに含まれる対象点が有する三次元座標値に基づき前記対象点の位置を特定する手段とを備えることを特徴とする。【００３３】  本発明は、前記ポイントテーブルが、特定の骨格ポイントとして骨盤ポイントを含むと共に、前記骨盤ポイントに対応する人体表面の点として、人体前側及び後側における人体表面の点を示しており、前記骨盤ポイントに対応する人体前側における人体表面の点が有する三次元座標値、及び前記骨盤ポイントに対応する人体後側における人体表面の点が有する三次元座標値の平均値を、前記骨盤ポイントの三次元座標値として算出する手段を備えることを特徴とする。  また、本発明は、前記骨格モデルが、前記骨盤ポイントに係る腰仙角に応じた骨盤角度線を含み、変形した骨格モデルに含まれる骨盤角度線が、人体の厚み方向に平行な線と交わる角度を特定する手段を備えることを特徴とする。【００３４】  本発明は、前記三次元座標値が、人体の幅方向、人体の高さ方向、及び人体の厚み方向の座標値を含み、前記ポイントテーブルは、特定の骨格ポイントとして背骨ポイントを含むと共に、前記背骨ポイントに対応する人体表面の点として、人体前側及び後側における人体表面の点を示しており、前記背骨ポイントに対応する人体前側における人体表面の点が有する人体の幅方向の座標値、及び前記背骨ポイントに対応する人体後側における人体表面の点が有する人体の幅方向の座標値の平均値を、前記背骨ポイントにおける人体の幅方向の座標値として算出する手段と、前記背骨ポイントに対応する人体前側における人体表面の点が有する人体の高さ方向の座標��、及び前記背骨ポイントに対応する人体後側における人体表面の点が有する人体の高さ方向の座標値の平均値を、前記背骨ポイントにおける人体の高さ方向の座標値として算出する手段と、前記背骨ポイントに対応する人体前側における人体表面の点が有する人体の厚み方向の座標値、及び前記背骨ポイントに対応する人体後側における人体表面の点が有する人体の厚み方向の座標値の間を、特定の比率で分ける点の座標値を、前記背骨ポイントにおける人体の厚み方向の座標値として算出する手段とを備えることを特徴とする。【００３５】  本発明は、前記背骨ポイントには、腰椎に応じた第１背骨ポイント、及び胸骨下位置に応じた第２背骨ポイントが含まれており、前記骨格モデルは、前記第１背骨ポイントに係る腰椎前弯角度に応じた第１前弯線、及び前記第２背骨ポイントに係る腰椎前弯角度に応じた第２前弯線を含み、変形した骨格モデルに含まれる第１前弯線及び第２前弯線による腰椎前弯角度を特定する手段を備えることを特徴とする。  また、本発明は、前記背骨ポイントには更に、上記第２背骨ポイントより上方の第３背骨ポイントが含まれており、前記骨格モデルは、前記第２背骨ポイントに係る胸椎後弯角度に応じた第１後弯線、及び前記第３背骨ポイントに係る胸椎後弯角度に応じた第２後弯線を含み、変形した骨格モデルに含まれる第１後弯線及び第２後弯線による胸椎後弯角度を特定する手段を備えることを特徴とする。【００３６】  本発明は、前記ポイントテーブルが、特定の骨格ポイントとして首骨ポイントを含むと共に、前記首骨ポイントに対応する人体表面の点として、人体前側及び後側における人体表面の点を示しており、前記首骨ポイントに対応する人体前側における人体表面の点が有する三次元座標値、及び前記首骨ポイントに対応する人体後側における人体表面の点が有する三次元座標値の平均値を、前記首骨ポイントの三次元座標値として算出する手段を備えることを特徴とする。【００３７】  本発明は、前記ポイントテーブルが、特定の骨格ポイントとして、前記首骨ポイントより上方の上方首骨ポイントを含むと共に、前記上方首骨ポイントに対応する人体左側及び右側における人体表面の点を示すようにしてあり、前記上方首骨ポイントに対応する人体左側における人体表面の点が有する三次元座標値、及び前記上方首骨ポイントに対応する人体右側における人体表面の点が有する三次元座標値の平均値を、前記上方首骨ポイントの三次元座標値として算出する手段を備えることを特徴とする。  また、本発明は、前記骨格モデルが、前記首骨ポイントに係る頸椎前弯角度に応じた第１頸椎前弯線、及び前記上方首骨ポイントに係る頸椎前弯角度に応じた第２頸椎前弯線を含み、変形した骨格モデルに含まれる第１頸椎前弯線及び第２頸椎前弯線による頸椎前弯角度を特定する手段を備えることを特徴とする。【００３８】  本発明は、前記骨格モデルは対象点として、大腿骨大転子、膝頭、及び足首に応じた各点を含み、変形した前記骨格モデルで、位置を特定した大腿骨大転子及び膝頭に応じた両方の点を結ぶ大腿骨線を、前記大腿骨大転子及び前記膝頭に応じた各点が有するそれぞれの三次元座標値に基づき特定する手段と、変形した前記骨格モデルで、位置を特��した膝頭及び足首に応じた両方の点を結ぶ脛骨線を、前記膝頭及び前記足首に応じた各点が有するそれぞれの三次元座標値に基づき特定する手段と、特定した大腿骨線及び脛骨線が交わる角度を特定する手段とを備えることを特徴とする。【００３９】  本発明は、前記骨格モデルは対象点として、大腿骨大転子及び膝頭に応じた各点を左右の足のそれぞれに含み、変形した前記骨格モデルで、位置を特定した大腿骨大転子及び膝頭に応じた両方の点を結ぶ大腿骨線の長さを、前記大腿骨大転子及び前記膝頭に応じた各点が有するそれぞれの三次元座標値に基づき、左右の足のそれぞれに対して算出する手段と、左右の大腿骨線の長さの差を算出する手段と、三次元測定により得られる人体の身長を取得する手段と、取得した身長に対して、算出した左右の大腿骨線の長さの差の割合を算出する手段と、算出した割合を、大腿骨線基準割合と比較する手段と、比較した結果に基づき、左右の寛骨の状況を判定する手段とを備えることを特徴とする。【００４０】  本発明は、三次元測定器で測定される人体の撮像画像を取得する手段と、取得した撮像画像の人体の中に、特定した角度を含む画面に係る画面情報を生成する手段とを備えることを特徴とする。  本発明は、特定した角度に係る基準角度、及び前記基準角度との比較結果に応じた人体の状況に係る症状を含む判定テーブルと、特定した角度を、前記判定テーブルに含まれる基準角度と比較する手段と、基準角度と比較した結果より、前記判定テーブルに基づき症状を判定する手段とを備えることを特徴とする。【００４１】  本発明は、人体における複数の骨格ポイントに対応する人体表面の点を骨格ポイントごとに示すポイントテーブル、及び前記ポイントテーブルの複数の骨格ポイントのそれぞれに対応する変形基点を含むと共に三次元座標値を有する対象点を含む変形可能な骨格モデルを有する骨格特定システムが、人体を三次元測定器で測定したことで得られる人体表面の複数の点が有する三次元座標値に基づき人体の骨格の状況を特定する骨格特定方法において、前記ポイントテーブルに基づいて、三次元測定器の測定で得られた人体表面の複数の点の中から、複数の骨格ポイントのそれぞれに対応する人体表面の点を、骨格ポイントごとに特定するステップと、骨格ポイントごとに特定した人体表面の点が有する三次元座標値に基づき、前記骨格ポイントの三次元座標値を特定するステップと、前記骨格ポイントの特定した三次元座標値に、前記骨格ポイントに対応する変形基点が一致するように、前記骨格モデルを変形するステップと、変形した前記骨格モデルに含まれる対象点が有する三次元座標値に基づき前記対象点の位置を特定するステップとを備えることを特徴とする。【００４２】  本発明は、人体における複数の骨格ポイントに対応する人体表面の点を骨格ポイントごとに示すポイントテーブル、及び前記ポイントテーブルの複数の骨格ポイントのそれぞれに対応する変形基点を含むと共に三次元座標値を有する対象点を含む変形可能な骨格モデルを有するコンピュータに、人体を三次元測定器で測定したことで得られる人体表面の複数の点が有する三次元座標値に基づき人体の骨格の状況を特定する処理を行わせるためのコンピュータプログラ���において、前記コンピュータに、前記ポイントテーブルに基づいて、三次元測定器の測定で得られた人体表面の複数の点の中から、複数の骨格ポイントのそれぞれに対応する人体表面の点を、骨格ポイントごとに特定するステップと、骨格ポイントごとに特定した人体表面の点が有する三次元座標値に基づき、前記骨格ポイントの三次元座標値を特定するステップと、前記骨格ポイントの特定した三次元座標値に、前記骨格ポイントに対応する変形基点が一致するように、前記骨格モデルを変形するステップと、変形した前記骨格モデルに含まれる対象点が有する三次元座標値に基づき前記対象点の位置を特定するステップと実行させることを特徴とする。【００４３】  本発明にあっては、骨格モデルを覆う筋肉を含む筋肉モデルについて、被験者の体の特定部位における筋肉量に係る数値が標準に比べて大きければ、その特定部位に応じた筋肉部分を太くし、標準に比べて小さければ、その特定部位に応じた筋肉部分を細くするので、筋肉モデルの段階でも、被験者の測定した結果を反映した変形を行えるようになる。それにより、解剖的に人体の骨格に筋肉を配置したような場合でも、被験者の筋肉の状態を反映させたモデルを示すことが可能となり、被験者の筋肉の付き方を解剖的に示すときに役立てられる。【００４４】  本発明にあっては、被験者の体幹部における内臓脂肪に係る数値が標準に比べて大きい場合、筋肉モデルにおいて、腹の部位を太くするので、筋肉モデルの段階でも、被験者の内臓脂肪の量に応じた太り具合を反映できるようになる。すなわち、内臓脂肪は、筋肉の上に重なるよう付く皮下脂肪と異なり、筋肉で覆われる内臓に付加するものであることから、内臓脂肪が多いときは、腹筋に応じた部位にて、体の中から筋肉を外方へ押し上げるような状況になるので、このような状況を骨格モデルの上に筋肉を配置する筋肉モデルの段階で表現できるようになる。【００４５】  本発明にあっては、筋肉モデルを覆う脂肪を含む脂肪モデルについて、筋肉モデルを変形すると、それに追従して脂肪モデルも形状的に変形するようにしたので、筋肉モデルの太さ又は細さの状況も反映して脂肪モデルを表現できるようになり、筋肉モデルと、脂肪モデルとの間で整合性を確保できるようになる。【００４６】  本発明にあっては、被験者の体の特定部位における皮下脂肪量に係る数値が標準に比べて大きければ、その特定部位に応じた脂肪モデルの脂肪部分を太くするので、被験者の実際の皮下脂肪が付いている箇所を、形状的に脂肪モデルで表現できるようになる。すなわち、皮下脂肪は、筋肉と皮膚との間に付加するものであることから、測定された脂肪の量を、脂肪モデルの段階で、皮下脂肪を示す太さとして表すことにより、実際の人体の組成的な状況と合致した構成にて皮下脂肪の付き方を解剖的に表現できるようになる。【００４７】  本発明にあっては、脂肪モデルの表面に基準色を付けて、被験者の体の特定部位における皮下脂肪量に係る数値が標準に比べて大きければ、その特定部位に応じた脂肪モデルの表面部分の色を基準色より濃くするので、脂肪モデルの太さによる形状的な表現に加えて、視覚的な色の濃淡によっても、皮下脂肪の付いている箇所を判別できるようになり、脂肪モデルにおける皮下脂肪の付き方が一段と見分けやすくなる。【００４８】  本発明にあっては、脂肪モデルの表面に基準色を付けて、被験者の体の特定部位における皮下脂肪量に係る数値が標準に比べて小さければ、その特定部位に応じた脂肪モデルの表面部分の色を基準色より薄くするので、従来の人体モデルでは表現が困難であった脂肪の付き方が少ない場合を、脂肪モデルにおける表面の色の薄さの程度で視覚的に表すことが可能となり、従来に比べて脂肪（皮下脂肪）の付き方の表現の巾を広げられる。【００４９】  本発明にあっては、被験者の体の特定部位における皮下脂肪量に係る数値が標準に比べて小さければ、その特定部位に応じた脂肪モデルの脂肪部分が透過して前記筋肉モデルの筋肉が映るようにするので、透過具合という新たな表現方法を導入して、従来の人体モデルでは表現が困難であった脂肪の付き方が少ない場合を脂肪モデルにて視覚的に表現できるようになる。【００５０】  本発明にあっては、四肢の寸法の具合に合わせて計３種類の骨格モデルを準備すると共に、これら計３種類の骨格モデルに対応する計３種類の筋肉モデルも準備し、被験者の体格に係る測定結果から、まず、計３種類の骨格モデルの中からマッチする骨格モデルを特定し、そして、その特定した骨格モデルに対応する筋肉モデルに対して変形を施すようにしたので、筋肉モデルを変形しても、その筋肉モデルのベースとなる骨格モデルとの整合性を確保しやすくなり、全体としてバランスの取れた解剖的な人体モデルを提供できるようになる。【００５１】  本発明にあっては、四肢の寸法の具合に合わせて計３種類の骨格モデルを準備すると共に、これら計３種類の骨格モデルに対応する計３種類の脂肪モデルも準備し、被験者の体格に係る測定結果から、まず、計３種類の骨格モデルの中からマッチする骨格モデルを特定し、そして、その特定した骨格モデルに対応する脂肪モデルに対して変形を施すようにしたので、脂肪モデルを変形しても、その脂肪モデルのベースとなる骨格モデルとの間で整合性を確保しやすくなり、全体としてバランスの取れた解剖的な人体モデルを提供できるようになる。【００５２】  本発明にあっては、被験者の体格に係る測定結果に基づき、骨格モデルを相似的に拡大又は縮小し、そのような骨格モデルの変形に追従して筋肉モデルを変形するので、被験者の概要的な寸法に合わせて骨格モデルが適切なサイズに変形すると共に、その骨格モデルの変形に合わせて筋肉モデルも変形するようになり、各モデル各で整合性の取れた変形を被験者の体格に応じて容易に行えるようになる。【００５３】  本発明にあっては、被験者の体表面に係る複数の頂点の測定数値から、骨格モデルの変形基準に対応する対応点を特定し、その特定した対応点に一致するように骨格モデルの骨格部分の角度及び長さを変形するので、被験者の体格に応じて細やかに骨格モデルが変形し、また、その骨格モデルの変形に合わせて筋肉モデルも変形するので、解剖的な各モデルが、被験者の実際の体つきを細やかに示すようになり、被験者の身体的な状況を、解剖的に各モデルを通じて判別でき、被験者のエクササイズ、ダイエット等によるトレーニングの成果等を、本発明による人体モデルで視覚的に確認できるようになる。【００５４】  本発明では、変形基点及び対象点を含む変形可能な骨格モデルを用いて、ポイントテーブルの骨格ポイントについて算出した三次元座標値に基づき変形した骨格モデルに含まれる対象点の三次元座標値から、対象点の位置を特定するので、ポイントテーブルで規定される骨格ポイント以外の点も位置を特定できるようになる。すなわち、ポイントテーブルで規定される骨格ポイントは基本的に、三次元測定で得られた人体表面の点から特定しやすい箇所になるが（例えば、皮膚の厚みが少なくて骨を特定しやすい箇所など）、本発明のように、変形可能な骨格モデルを用いれば、位置を特定したい対象点を骨格モデルに含ませておくことで、骨格モデルの変形に追従して、その対象点も位置が変わることから、人体内部の骨格の所要位置も特定できるようになる。【００５５】  本発明にあっては、特定の骨格ポイントとして骨盤ポイントをポイントテーブルに含ませて、その骨盤ポイントの三次元座標値を、三次元測定で得られた人体前側及び後側における人体表面の点が有する各三次元座標値の平均値から算出するので、人体内部の骨盤ポイントであっても、その骨盤ポイントの位置を特定する三次元座標値を、相同モデル等を用いることなく、三次元測定で得られる人体表面の点の三次元座標値から算術的に求められるようになる。【００５６】  本発明にあっては、変形可能な骨格モデルが骨盤ポイントに係る腰仙角に応じた骨盤角度線を含むので、骨格モデルを変形すると、その変形に伴って、骨盤角度線の傾きも変わることから、三次元測定を行った人体の骨盤に係る角度を、変形した骨格モデルの骨盤角度線に基づき求められるようになり、求めた骨盤に係る角度により、骨盤の状況も検証できるようになる。【００５７】  本発明にあっては、特定の骨格ポイントとして背骨ポイントをポイントテーブルに含ませて、その背骨ポイントの三次元座標値を、三次元測定で得られた人体前側及び後側における人体表面の点が有する各三次元座標値により、人体の各方向に応じて算出するので、背骨ポイントも、相同モデル等を用いることなく、三次元測定で得られる人体表面の点の三次元座標値から算術的に求められるようになる。すなわち、人体を横から見た場合、背骨は人体の背中寄りに位置するので、人体の厚み方向においては、人体前後側における人体表面の点が有する人体の厚み方向の座標値の間を、特定の比率で分ける点の座標値を、背骨ポイントの人体の厚み方向の座標として算出するので、人体内における実際の背骨箇所に応じた位置を特定できるようになる。【００５８】  本発明にあっては、背骨ポイントとして、腰椎に応じた第１背骨ポイント、及び胸骨下位置に応じた第２背骨ポイントを含ませると共に、変形可能な骨格モデルが、第１背骨ポイントに係る腰椎前弯角度に応じた第１前弯線、及び第２背骨ポイントに係る腰椎前弯角度に応じた第２前弯線を含むので、骨格モデルを変形すると、その変形に伴って、第１前弯線及び第２前弯線の傾きも変わることから、三次元測定を行った人体の腰椎の前弯度合も、変形した骨格モデルに基づき求められるようになり、求めた腰椎前弯角度により、腰椎の状況も検証できるようになる。【００５９】  本発明にあっては、背骨ポイントとして、第２背骨ポイントより上方の第３背骨ポイントを含ませると共に、変形可能な骨格モデルが、第２背骨ポイントに係る胸椎後弯角度に応じた第１後弯線、及び第３背骨ポイントに係る胸椎後弯角度に応じた第２後弯線を含むので、骨格モデルを変形すると、その変形に伴って、第１後弯線及び第２後弯線の傾きも変わることから、三次元測定を行った人体の胸椎の後弯度合も、変形した骨格モデルに基づき求められるようになり、求めた胸椎後弯角度により、胸椎の状況も検証できるようになる。【００６０】  本発明にあっては、特定の骨格ポイントとして首骨ポイントをポイントテーブルに含ませて、その首骨ポイントの三次元座標値を、三次元測定で得られた人体前側及び後側における人体表面の点が有する各三次元座標値の平均値により算出するので、首骨ポイントも、相同モデル等を用いることなく、三次元測定で得られる人体表面の点の三次元座標値から算術的に求められるようになる。【００６１】  本発明にあっては、特定の骨格ポイントとして首骨ポイントより上方の上方首骨ポイントをポイントテーブルに含ませるが、このような上方首骨ポイントに係る箇所は、人体前方からの三次元測定によるスキャンでは顎により隠れた状態となるので、三次元測定による人体表面の点の中から、人体左側及び右側の点から上方首骨ポイントの三次元座標値を特定するので、顎で隠れた首箇所となる上方首骨ポイントの三次元座標値も算術的に求められるようになる。【００６２】  本発明にあっては、変形可能な骨格モデルが、首骨ポイントに係る頸椎前弯角度に応じた第１頸椎前弯線、及び上方首骨ポイントに係る頸椎前弯角度に応じた第２頸椎前弯線を含むので、骨格モデルを変形すると、その変形に伴って、第１頸椎前弯線及び第２頸椎前弯線の傾きも変わることから、三次元測定を行った人体の頸椎の前弯度合も、変形した骨格モデルに基づき求められるようになり、求めた頸椎前弯角度により、頸椎の状況も検証できるようになる。【００６３】  本発明では、変形した骨格モデルから位置を特定した大腿骨大転子、膝頭、及び足首について、大腿骨大転子及び膝頭を結ぶ大腿骨線、並びに膝頭及び足首を結ぶ脛骨線を特定し、これら大腿骨線と脛骨線が交わる角度を算出するので、ポイントテーブルで規定される骨格ポイントから得にくい足の状況も、算出した角度から確認できるようになる。【００６４】  本発明にあっては、左右の大腿骨線の長さの割合を算出して、大腿骨線基準割合と比較し、比較の結果に基づき、左右の寛骨（骨盤の左右の壁を形成する左右一対の骨）の状況を判定するので、ポイントテーブルで規定される骨格ポイントから判定しにくい左右の寛骨の状況を確認できるようになる。【００６５】  本発明にあっては、三次元測定に伴って取得した人体の撮像画像の中に、算出した角度を含む画面を生成するので、その生成した画像で、検証対象となる骨格箇所における状況を、撮像画像と共に角度という客観的な値で確認できるようになる。【００６６】  本発明にあっては、特定した角度を、判定テーブルに含まれる基準角度と比較し、その比較の結果に基づいて判定テーブルに含まれる症状を判定するので、最終的に三次元測定を行った人体の骨格又���姿勢等に関する症状までを客観的に判定できるようになり、人体が適正な姿勢を確保するのに役立てられる。
【発明の効果】
【００６７】  本発明にあっては、骨格モデルを筋肉で覆う筋肉モデルについて、被験者の体の特定部位における筋肉量に係る数値に応じて、その特定部位に応じた筋肉部分を太く又は細くするので、解剖的に人体の骨格に筋肉を配置したモデルでも、被験者の筋肉の状態を表現でき、ユーザ（被験者等）は解剖的に被験者の筋肉の付き方等を確認できる。【００６８】  本発明にあっては、被験者の体幹部における内臓脂肪に係る数値が標準に比べて大きい場合、筋肉モデルの腹の部位を太くするので、被験者の内臓脂肪の量に応じた太り具合を解剖的に筋肉モデルの段階で表現でき、皮下脂肪と区別して、ユーザ（被験者等）は内臓脂肪の付き方等を確認できる。【００６９】  本発明にあっては、筋肉モデルを変形すると、その変形に追従して、脂肪モデルも形状的に変形するので、筋肉モデルの太さ又は細さの状況が脂肪モデルの段階において反映でき、被験者の筋肉の状況を脂肪モデルの段階でも解剖的に確認できる。【００７０】  本発明にあっては、被験者の体の特定部位における皮下脂肪量に係る数値に応じて、その特定部位に応じた脂肪モデルの脂肪部分を太くするので、被験者の実際の皮下脂肪による太り具合を、脂肪モデルの段階で形状的に表現でき、内臓脂肪と区別して、皮下脂肪の付き方を解剖的に確認できる。【００７１】  本発明にあっては、基準色を付した脂肪モデルで、被験者の体の特定部位における皮下脂肪量に係る数値が標準に比べて大きければ、その特定部位に応じた脂肪モデルの表面部分の色を基準色より濃くするので、脂肪モデルの太さによる形状的な表現に加えて、色の濃淡により皮下脂肪の付いている箇所を視覚的に表現でき、皮下脂肪の付き方を一段と見やすくできる。【００７２】  本発明にあっては、基準色を付した筋肉モデルで、被験者の体の特定部位における皮下脂肪量に係る数値が標準に比べて小さければ、その特定部位に応じた脂肪モデルの表面部分の色を基準色より薄くするので、従来の人体モデルでは表現が困難であった脂肪が少ない状態を、脂肪モデルの表面の色の薄さで視覚的に表現でき、色という要素を通じて、ユーザ（被験者等）は解剖的に皮下脂肪の付き方を確認できる。【００７３】  本発明にあっては、被験者の体の特定部位における皮下脂肪量に係る数値が標準に比べて小さければ、その特定部位に応じた脂肪モデルの脂肪部分が透過して前記筋肉モデルの筋肉が映るようにするので、皮下脂肪の付き方について透過具合という新たな表現の仕方により、従来の人体モデルでは表現が困難であった脂肪の付き方を視覚的に表現できる。【００７４】  本発明にあっては、四肢の寸法の長さの程度により計３種類の骨格モデルを準備し、これら計３種類の骨格モデルに対応する計３種類の筋肉モデルも準備して、被験者の体格に合うものを計３種類の骨格モデル及び筋肉モデルから特定し、その特定した筋肉モデルを変形するので、筋肉モデルを変形しても、その筋肉モデルが対応する骨格モデルとの間で整合性を維持でき、各モデル間で破綻しない形状関係を確保した解剖的な人体モデルをユーザに提示できる。【００７５】  本発明にあっては、四肢の寸法の長さの程度により計３種類の骨格モデルを準備し、これら計３種類の骨格モデルに対応する計３種類の脂肪モデルも準備して、被験者の体格に合うものを計３種類の骨格モデル及び脂肪モデルから特定し、その特定した脂肪モデルを変形するので、脂肪モデルを変形しても、その脂肪モデルが対応する骨格モデルとの関係で整合性を維持でき、各モデル間で破綻しない形状関係を確保した解剖的な人体モデルをユーザに提示できる。【００７６】  本発明にあっては、被験者の体格に係る測定結果に応じて骨格モデルを相似的に拡大又は縮小し、そのような骨格モデルの変形に追従して筋肉モデルを変形するので、骨格モデルを被験者の体格に合った適切なサイズで示すことできると共に、筋肉モデルも被験者の体つきに合った適切なサイズで示すことができ、被験者の体格寸法に合わせたサイズの解剖的な各モデルを整合性の取れた状態で確認することができる。【００７７】  本発明にあっては、被験者の体格（体表面）に係る複数の頂点の中から、骨格モデルの変形基準に対応する対応点を特定し、その特定した対応点に一致するように骨格モデルの骨格部分の角度及び長さを変形するので、被験者の体格に応じて細やかに骨格モデルの形状を調整でき、また、その骨格モデルの形状調整に合わせて筋肉モデルも適宜、形状を調整でき、被験者の実際の体格を解剖的な各モデルで細やかに表現でき、それにより、ユーザ（被験者等）は、被験者のエクササイズ、ダイエット等による体に表れる成果等を、本発明による人体モデルで解剖的に確認でき、エクササイズ、ダイエット等のトレーニングを行うことに対するユーザの意識付けを高めることにも役立てられる。【００７８】  本発明では、変形可能な骨格モデルを用いると共に、位置を特定したい対象点を骨格モデルに含ませておくことで、骨格モデルの変形に追従して、その対象点も位置が変わるので、その位置の変わった対象点に基づき、三次元測定を行った人体内部の骨格の所要位置も特定でき、レントゲン又はＭＲＩ等を用いなくても、人体の骨格の状況を確認するのに役立てられる。【００７９】  本発明にあっては、特定の骨格ポイントとして骨盤ポイントをポイントテーブルに含ませて、その骨盤ポイントの三次元座標値を、三次元測定で得られた人体前側及び後側における人体表面の点が有する各三次元座標値の平均値から算出するので、人体内部の骨盤ポイントであっても、レントゲン又はＭＲＩ等を用いずに、骨盤の所要箇所の三次元座標値を得て、その所要箇所の位置を特定できる。【００８０】  本発明にあっては、変形可能な骨格モデルが骨盤ポイントに係る腰仙角に応じた骨盤角度線を含み、骨格モデルを変形すると、その変形に伴って、骨盤角度線の傾きも変わることから、三次元測定を行った人体の骨盤に係る角度を、変形した骨格モデルの骨盤角度線に基づき求められる。【００８１】  本発明にあっては、特定の骨格ポイントとして背骨ポイントをポイントテーブルに含ませて、その背骨ポイントの三次元座標値を、三次元測定で得られた人体前側及び後側における人体表面の点が有する各三次元座標値により、人体の各方向に応じて算出するので、人体内部の背骨の所要箇所の位置も、相同モデル等を用いることなく、三次元測定で得られる人体表面の点の三次元座標値から求められる。  また、本発明にあっては、変形可���な骨格モデルが、腰椎に応じた第１背骨ポイントに係る腰椎前弯角度に応じた第１前弯線、及び胸骨下位置に応じた第２背骨ポイントに係る腰椎前弯角度に応じた第１前弯線を含み、骨格モデルを変形すると、その変形に伴って、第１前弯線及び第２前弯線の傾きも変わることから、三次元測定を行った人体の腰椎の前弯度合も、変形した骨格モデルに基づき求められる。【００８２】  本発明にあっては、変形可能な骨格モデルが、第２背骨ポイントに係る胸椎後弯角度に応じた第１後弯線、及び第２背骨ポイントより上方の第３背骨ポイントに係る胸椎後弯角度に応じた第２後弯線を含み、骨格モデルを変形すると、その変形に伴って、第１後弯線及び第２後弯線の傾きも変わることより、三次元測定を行った人体の胸椎の後弯度合も、変形した骨格モデルに基づき求められる。【００８３】  本発明にあっては、特定の骨格ポイントとして首骨ポイントをポイントテーブルに含ませて、その首骨ポイントの三次元座標値を、三次元測定で得られた人体前側及び後側における人体表面の点が有する各三次元座標値の平均値により算出するので、首骨ポイントも、相同モデル等を用いることなく、三次元測定で得られる人体表面の点の三次元座標値から求められる。  また、本発明にあっては、首骨ポイントより上方の上方首骨ポイントについて、人体左側及び右側の点から三次元座標値を特定するので、顎で隠れた首箇所となる上方首骨ポイントの三次元座標値も求められる。【００８４】  本発明にあっては、変形可能な骨格モデルが、首骨ポイントに係る頸椎前弯角度に応じた第１頸椎前弯線、及び上方首骨ポイントに係る頸椎前弯角度に応じた第２頸椎前弯線を含み、骨格モデルを変形すると、その変形に伴って、第１頸椎前弯線及び第２頸椎前弯線の傾きも変わることから、三次元測定を行った人体の頸椎の前弯度合も、変形した骨格モデルに基づき求められる。【００８５】  本発明にあっては、大腿骨大転子及び膝頭を結ぶ大腿骨線、並びに膝頭及び足首を結ぶ脛骨線を変形した骨格モデルから特定し、これら大腿骨線と脛骨線が交わる角度を算出するので、ポイントテーブルで規定される骨格ポイントから得にくい足の状況も、算出した角度から確認でき、Ｏ脚又はＸ脚のような判定を行うことに役立てられる。  また、本発明にあっては、変形した骨格モデルに基づき特定した左右の大腿骨線について、長さの割合を算出して、大腿骨線基準割合と比較し、比較の結果に基づき、左右の寛骨の状況を判定するので、ポイントテーブルで規定される骨格ポイントから判定しにくい左右の寛骨の状況までも確認できる。【００８６】  本発明にあっては、三次元測定に伴って取得した人体の撮像画像の中に、算出した角度を含む角度特定画像を生成するので、対象となる骨格箇所における状況を、角度という客観的な値で人体の撮像画像と共に確認できる。  また、本発明にあっては、算出した角度を、判定テーブルに含まれる基準角度と比較し、その比較の結果に基づいて判定テーブルに含まれる症状を判定するので、最終的に三次元測定を行った人体の症状までを客観的に判定でき、人体が適正な姿勢を確保するのに役立てられる。
【図面の簡単な説明】
【００８７】
【図１】本発明の実施形態に係る人体モデル提供システムを含む健康管理システムの構成を示す概略図である。
【図２】健康管理システムの全体的な構成を示すブロック図である。
【図３】演算装置の主要な内部構成を示すブロック図である。
【図４】（ａ）は初期画面の一例を示す概略図であり、（ｂ）は測定開始画面の一例を示す概略図である。
【図５】（ａ）は測定準備画面の一例を示す概略図であり、（ｂ）は測定中画面の一例を示す概略図であり、（ｃ）は測定終了画面の一例を示す概略図である。
【図６】基準値テーブルの中身の一例を示す図表である。
【図７】人体モデル提供システムを構成するサーバ装置の主要な内部構成を示すブロック図である。
【図８】会員データベースの中身の一例を示す図表である。
【図９】人体モデルテーブルにおける男性用の各モデルに関連する範囲を示す図表である。
【図１０】（ａ）は筋肉モデルの左上腕を太くする変形を示す概略図、（ｂ）は筋肉モデルの左上腕を細くする変形を示す概略図である。
【図１１】脂肪モデルの左上腕を太くする変形を示す概略図である。
【図１２】脂肪モデルの左上腕を細くする変形、色を薄くする変化、透過度を増す変化を示す概略図である。
【図１３】骨格モデルの相似的な拡大又は縮小に追従して、筋肉モデル及び脂肪モデルが拡大又は縮小する状況を示す概略図である。
【図１４】（ａ）は骨格モデルに設けられる複数の変形基点の例を示す概略図、（ｂ）は筋肉モデルに設けられる複数の変形基点の例を示す概略図、（ｃ）は脂肪モデルに設けられる複数の変形基点の例を示す概略図
【図１５】ポイントテーブルの中身を示す図表である。
【図１６】モデル数値テーブルの中身を示す図表である。
【図１７】人体モデル変形方法の一連の処理手順を示すフローチャートである。
【図１８】（ａ）（ｂ）は、骨格モデルの左骨盤の変形状況を示す概略図である。
【図１９】（ａ）〜（ｃ）は、骨格モデルの左上腕骨の変形状況を示す概略図である。
【図２０】筋肉モデルの腹の部位において、内臓脂肪による変形状況を示す概略図である。
【図２１】骨格モデルを通信端末で表示した状態を示す概略図である。
【図２２】骨格モデルを筋肉モデルで覆う人体モデルを通信端末で表示した状態を示す概略図である。
【図２３】骨格モデルを覆った筋肉モデルを更に脂肪モデルで覆う人体モデルを通信端末で表示した状態を示す概略図である。
【図２４】人体モデルテーブルにおける女性用の脂肪モデルに関連する範囲を示す図表である。
【図２５】女性脂肪参照テーブルの中身の一例を示す図表である。
【図２６】横方向の姿勢検証画面を示す概略図である。
【図２７】前方向の姿勢検証画面を示す概略図である。
【図２８】上方向の姿勢検証画面を示す概略図である。
【図２９】下方向の姿勢検証画面を示す概略図である。
【図３０】骨格特定システムの主要な内部構成を示すブロック図である。
【図３１】骨格モデルの足部等に含まれる対象点を示す概略図である。
【図３２】骨格モデルにおける腰仙角、腰椎前弯角度、胸椎後弯角度、及び頸椎前弯角度を示す概略図である。
【図３３】実施例２のポイントテーブルの一部の中身を示す図表である。
【図３４】実施例２のポイントテーブルの他部の中身を示す図表である。
【図３５】骨格ポイントの位置関係を示す概略図である。
【図３６】判定テーブルの一部の中身を示す図表である。
【図３７】判定テーブルの他部の中身を示す図表である。
【図３８】大腿骨線及び脛線による大腿脛骨角（ＦＴＡ）を示す概略図である。
【図３９】分析テーブルの概要を示す図表である。
【図４０】骨格モデル画面を示す概略図である。
【図４１】（ａ）は分析画面を示す概略図、（ｂ）はアドバイス画面の一部を示す概略図である。
【図４２】（ａ）（ｂ）はアドバイス画面の他部を示す概略図である。
【図４３】骨格特定システムによる骨格特定方法の処理手順を示すフローチャートである。
【図４４】通信端末の主要な内部構成を示すブロック図である。
【図４５】（ａ）は変形例の横方向の姿勢検証画面を示す概略図、（ｂ）は変形例の前方向の姿勢検証画面を示す概略図である。
【図４６】（ａ）は横方向の拡大検証画面を示す概略図、（ｂ）は前方向の拡大検証画面を示す概略図である。
【発明を実施するための形態】
【実施例１】
【００８８】  図１、２は、本実施形態に係る健康管理システム１の一例となる全体的な構成を示す概略図である。この健康管理システム１は、本発明に係る人体モデル提供システム５０を、ネットワークＮＷを介して人体測定システム５と接続したものとなっており、人体測定システム５から送られる被験者Ｈの身体的な測定結果を取得して、その取得した測定結果に応じた形態の人体モデル（図２１〜２３参照）を提供するものになっている。被験者Ｈ等は、測定後、通信端末３を用いて、人体モデル提供システム５０が提供する解剖的な人体モデルを確認可能になっている。なお、通信端末３として、図１、２では通信機能を示すタブレットを示すが、タブレット以外にも、スマートフォンのような携帯通信端末、又は通信機能を有するパソコン（ノート型パソコン、デスクトップ型パソコン等）も使用できる。【００８９】  被験者Ｈであるユーザを測定する人体測定システム５は、体組成計１０及び三次元測定器２０を組み合わせて所要の身体的な測定を行い、測定されたデータを測定処理装置３０で処理するようになっている。本実施形態の健康管理システム１を利用するには、会員登録が必要であり、会員登録するには、ユーザの氏名、ニックネーム、パスワード、メールアドレス等を、健康管理システム１の利用を管理する事業体に提出することになり、事業体は、会員登録をしたユーザについて、ユーザを識別するユーザＩＤを発行する。会員登録したユーザの情報及びユーザの測定結果等は、人体モデル提供システム５０が有する会員データベース６０に蓄積される。以下、まず人体測定システム５について説明し、それから人体モデル提供システム５０について説明していく。【００９０】  健康管理システム１の中の人体測定システム５が有する体組成計１０は、被験者Ｈの組成に係る測定を行う装置（第１測定器）である。この体組成計１０は、被験者Ｈの体全体に対する測定と、特定部位に対する測定を行い、体全体に対する身体的な測定項目としては、体重、体脂肪率、脂肪量、筋肉量、体水分量等があり、特定部位に対する身体的な測定項目としては、体脂肪率、筋肉量、脂肪量等がある。測定対象における特定部位は、左腕、右腕、体幹部、左脚、右脚になっており、体幹部（胴体部）における脂肪の測定については、内臓脂肪の測定と、皮下脂肪の測定を含み、残りの四肢（左右腕、左右脚）については皮下脂肪を測定する。【００９１】  体組成計１０は、図１に示すように、被験者Ｈが載る台状の本体部１１並びに被験者Ｈの両手で把持される左グリップ部１２ａ及び右グリップ部１２ｂを具備し、本体部１１と、左グリップ部１２ａ及び右グリップ部１２ｂは、左右接続線１３ａ、１３ｂで接続される。本体部１１の上面の被験者Ｈの載置箇所には、被験者Ｈの足裏と接触する測定電極部を設けられており、同様に、左右グリップ部１２ａ、１２ｂの表面にも測定電極部が設けられている。また体組成計１０は、本体部１１を、第１接続線１４により測定処理装置３０と接続する。【００９２】  体組成計１０は、第１接続線１４を介して測定処理装置３０から送られてくる測定開始指示が本体部１１に入力されると、上述した各項目の測定を開始し、測定開始から約１５秒で測定を完了す��。体組成計１０は、測定した数値等を含む測定結果を、第１接続線１４を介して、本体部１１から測定処理装置３０へ送る。【００９３】  一方、人体測定システム５が有する三次元測定器２０は、測定対象物の三次元データ（ＯＢＪデータ）の測定が可能な装置（第２測定器）であり、計三本の柱状部２１、２２、２３を有する。これら三本の柱状部２１、２２、２３は、上述した体組成計１０の本体部１１の周囲を、平面視で三角形を構成するように、三角形の各頂点となる位置にそれぞれ配置され、体組成計１０による測定と同期して三次元測定を行うようになっている。各柱状部２１、２２、２３は複数のレーザ光出射部２１ａ、２２ａ、２３ａ及び走査状況取得部２１ｂ、２２ｂ、２３ｂを具備し、各レーザ光出射部２１ａ、２２ａ、２３ａからレーザ光を出射して測定対象物を走査すると共に、走査した状況を走査状況取得部２１ｂ、２２ｂ、２３ｂで撮像して検知する。三次元測定器２０は、各柱状部２１、２２、２３を、三次元測定用接続線２４ａ、２４ｂ、２４ｃで測定処理装置３０と接続している。【００９４】  三次元測定器２０は、三次元測定用接続線２４ａ、２４ｂ、２４ｃを介して測定処理装置３０から送られてくる測定開始指示が、各柱状部２１、２２、２３へ入力されると、各柱状部２１、２２、２３の各レーザ光出射部２１ａ、２２ａ、２３ａからレーザ光を出射して測定を開始し、測定開始から約２秒でレーザ光の走査状況の検知測定を完了し、測定した数値を含む測定結果（ＯＢＪデータ）を、測定処理装置３０へ送る。【００９５】  測定処理装置３０では、三次元測定器２０から送られてきた数値結果（ＯＢＪデータ、人体の各部の位置に関する情報）に基づき測定対象物に関する各種寸法値を算出しており、各種寸法値を算出する部分において、測定処理装置３０は三次元測定器２０の一部を構成している。【００９６】  測定処理装置３０が、算出処理により得ることのできる各種寸法値としては、測定対象物の全体寸法、体表面積、体容積、任意部の長さ、任意部の周囲長等がある。被験者Ｈという人体を身体的に測定対象にするときは、人体の身長に加えて、人体の特定部位である各腕についての長さ（袖丈の長さ）、手首の周囲長及び腕の周囲長（最大周囲長）、体幹部の長さ（座高）、ウエストの周囲長、胸囲の周囲長、及び臀部の周囲長、各脚についての長さ（股下の長さ）、足首の周囲長、及び太ももの周囲長（最大周囲長）等と云った被験者Ｈの体格に係る項目を測定する（その他、左右の肩幅、襟ぐり等も測定）。なお、図１に示すように、被験者Ｈは測定時に足を開くので、足を開いた分、実際の身長より測定値が小さくなるので、身長については、測定処理装置３０において所定の比率を乗じて、自動補正を行う。【００９７】  なお、上述した三本の柱状部２１、２２、２３を三角形の各頂点に配置して三次元測定する方法は、三角測量の原理を用いた公知の三次元距離計測手法（三角測量の原理）により、レーザ光出射部２１ａ、２２ａ、２３ａから出射するレーザ光で測定対象物の表面を走査し、その走査状況を、走査状況取得部２１ｂ、２２ｂ、２３ｂで撮像して、柱状部２１、２２、２３を三角形の位置と、走査状況取得部２１ｂ、２２ｂ、２３ｂで撮���した画像におけるレーザ光の走査位置のポイント等との関係に基づき、測定対象物の各表面のポイント（表面をメッシュにした交点）を三次元座標上（水平面の一方向に応じたＸ軸、水平面においてＸ軸と直交する方向に応じたＹ軸、Ｘ軸及びＹ軸に直交する垂直方向に応じたＺ軸で構成される座標）に展開した位置を求めることになる。【００９８】  三次元測定器２０は、人体（被験者Ｈ）を三次元測定する場合、人体の表面上の約３万のポイントについての位置を三次元座標値の数値で求めており、これら三次元測定される各ポイントは、それぞれを識別できるように番号が付されており（１番目のポイント〜約３万番目のポイントが存在する）、各番号と三次元座標値が対応づけたものが測定結果（ＯＢＪデータ）に含まれる。なお、三次元座標値に係る三次元座標系を構成するＸ、Ｙ、Ｚ軸について、本実施形態では図１に示すように、Ｘ軸方向を人体の幅方向に一致させており、Ｙ軸方向を人体の身長方向に一致させており、Ｚ軸方向を人体の厚み方向に一致させている。そのため、例えば人体を正面から見た場合、主にＸＹ座標系で表現されることになり、人体を横方向から見た場合、主にＹＺ座標系で表現される。【００９９】  図３は、測定処理装置３０の主要構成を示したブロック図である。本実施形態の測定処理装置３０としては、各測定器１０、２０との接続機能、及びネットワークＮＷを介した通信機能等を具備したコンピュータを用いており、図３は、そのコンピュータを用いた場合の構成を示している。測定処理装置３０は、全体的な制御及び各種処理を行うＣＰＵ３０ａに、各種デバイス等を内部接続線３０ｈで接続したものになっており、各種デバイス等には、外部機器接続部３０ｂ、通信部３０ｃ、ＲＯＭ３０ｄ、ＲＡＭ３０ｅ、表示入出力インタフェース３０ｆ、及び記憶部３０ｇ等がある。【０１００】  外部機器接続部３０ｂは、各種規格（例えば、ＩＥＥＥ系などの規格）に準じた双方向で各種信号、情報等を送ることが可能な接続インタフェース（例えば、ＵＳＢ系のシリアルインタフェース）であり、本実施形態では、この外部機器接続部３０ｂで各測定器１０、２０と接続して、各測定器１０、２０の測定結果を取得すると共に、各測定器１０、２０への測定開始指示を送るようにしている。【０１０１】  通信部３０ｃは、ネットワークＮＷとの接続通信デバイスに相当する所要の通信規格に応じたものであり（例えばＬＡＮモジュール）、通信線Ｌ及び所要の通信機器（図示は省略。例えばルータ等が該当）を介してネットワークＮＷと接続することで、人体モデル提供システム５０との通信を可能にしている。【０１０２】  ＲＯＭ３０ｄは、ＣＰＵ３０ａの基本的な処理内容を規定したプログラム等を記憶するものであり、ＲＡＭ３０ｅは、ＣＰＵ３０ａの処理に伴う内容、ファイル等を一時的に記憶するものである。表示入出力インタフェース３０ｆは、接続線３６で表示装置３５が接続されるインタフェースであり、本実施形態の表示装置３５は、タッチスクリーン機能を具備する表示スクリーン３５ａを有するので、表示スクリーン３５ａに表示させる各種画面に応じた各画面データを出力することに加えて、表示スクリーン３５ａでのタッチによる操作内容の入力を受け付けて、その受け付けた操作内容をＣＰＵ３０ａへ送る処理等も行う。【０１０３】  記憶部３０ｇは、ＨＤＤ（Hard Disc Drive）又はＳＳＤ（Solid State Drive）等により構成される記憶デバイスであり、基本プログラムＰ１、三次元測定プログラムＰ２、組成測定プログラムＰ３、及び測定管理プログラムＰ４といったプログラム、並びに画面データテーブルＴ１、基準値テーブルＴ２等を記憶する。各プログラムの説明を後にして、先ず、テーブル（画面データテーブルＴ１、基準値テーブルＴ２）について説明する。画面データテーブルＴ１は、図４、５等に示す画面内容を表示装置３５で表示させるための各種画面データを複数格納したものである。【０１０４】  図４（ａ）は、画面データテーブルＴ１に格納された中の初期画面データが表示装置３５に出力されることで、表示スクリーン３５ａに初期画面４０が表示された状態を示す。初期画面４０は、人体測定システム５において、最初に提示される画面であり、画面上部に「ユーザＩＤ、パスワードを入力し、決定ボタンを選択してください。」というテキストが配置されると共に、そのテキストの下方に、ユーザＩＤ入力欄４０ａ、パスワード入力欄４０ｂ、及び選択可能な決定ボタン４０ｃが配置されている。そして、初期画面４０は、画面下方に、選択可能なキーボード欄４０ｄを設けており、このキーボード欄４０ｄの所望のキーを順次選択することで、ユーザＩＤ入力欄４０ａ及びパスワード入力欄４０ｂのそれぞれに、選択されたキーに応じた英数字が入力されるように作り込まれている。【０１０５】  ユーザＩＤ入力欄４０ａ及びパスワード入力欄４０ｂに英数字（ユーザＩＤ、パスワード）がそれぞれ入力された状態で決定ボタン４０ｃの選択操作（ログイン操作）が行われると、入力された英数字（ユーザＩＤ及びパスワード）が、表示装置３５から測定処理装置３０へ送られ、測定処理装置３０は入力内容（ユーザＩＤ及びパスワード）を人体モデル提供システム５０へ送信する。なお、このような測定用ログイン操作の結果、人体モデル提供システム５０から、会員として登録されている旨の回答が測定処理装置３０へ送られると、測定処理装置３０は測定のためにログインした状態となる。【０１０６】  図４（ｂ）は、測定のためのログインが完了して、画面データテーブルＴ１に格納された中の測定開始画面データが表示装置３５に出力されることで、表示スクリーン３５ａに測定開始画面４１が表示された状態を示す。測定開始画面４１は、「準備ができたら、測定開始ボタンを選択してください。」というテキストと、そのテキストの下方に、選択可能な測定開始ボタン４１ａを配置している。測定開始画面４１の測定開始ボタン４１ａの選択操作が行われると、測定開始ボタン４１ａの選択された旨が、表示装置３５から測定処理装置３０へ送られる。【０１０７】  なお、測定開始ボタン４１ａの下方には、「選択開始ボタンの選択から、１０秒後に測定を始めます。」というテキストを配置して、ユーザ（被験者Ｈ）に注意を促している。このようなテキストを配置しているのは、三次元測定器２０による測定は、一定の時間（約２秒間）、被験者Ｈは、所定の姿勢で静止することが要求されるので、測定開始ボタン４１ａが選択されてから、即座に三次元測定を行うと、所定の姿勢で静止する状態を確保できないため、１０秒の準備時間を入れることで、被験者Ｈが測定に適した姿勢をつくれるようにしている。【０１０８】  図５（ａ）は、画面データテーブルＴ１に格納された中の測定準備画面データが表示装置３５に出力されることで、表示スクリーン３５ａに測定準備画面４２が表示された状態を示す。測定準備画面４２は、図４（ｂ）の測定開始画面４１で、測定開始ボタン４１ａが選択された場合に表示されるものであり、「測定開始まで」というテキストの下方に、準備カウントダウン欄４２ａが設けられ、その下方には、「姿勢を整えてください。」というテキストが配置される。なお、準備カウントダウン欄４２ａは、１０秒から１秒ごとにカウントダウンされていく秒数が表示される。【０１０９】  図５（ｂ）は、画面データテーブルＴ１に格納された中の測定中画面データが表示装置３５に出力されることで、表示スクリーン３５ａに測定中画面４３が表示された状態を示す。測定中画面４３は、図５（ａ）の測定準備画面４２で、カウントダウンが進行して０秒になったときに、切り替わって表示される画面であり、「測定中」というテキストの下方に、測定カウントダウン欄４３ａが設けられ、その下方には、「姿勢を維持してください。」というテキストが配置される。なお、測定カウントダウン欄４２ａは、体組成計１０の測定時間に合わせて１５秒から１秒ごとにカウントダウンされていく秒数が表示される。【０１１０】  図５（ｃ）は、画面データテーブルＴ１に格納された中の測定終了画面データが表示装置３５に出力されることで、表示スクリーン３５ａに測定終了画面４４が表示された状態を示す。測定終了画面４４は、図５（ｂ）の測定中画面４３で、カウントダウンが進行して０秒になったときに、切り替わって表示されるものであり、「測定終了」というテキストの下方に、「お疲れ様でした。リラックスしてください。結果が出るまで、しばらくお待ちください。」というテキストが配置される。なお、測定終了画面４４が表示されてしばらくすると、測定項目に対する測定数値を示す結果画面が表示スクリーン３５ａに表示される。【０１１１】  図６は、記憶部３０ｇに記憶される基準値テーブルＴ２を示す。基準値テーブルＴ２は、測定された筋肉及び脂肪に関するレベルを判定するための数値（基準値）を格納したものである。本実施形態では左腕、右腕、左脚、右脚、及び体幹部という計５つの特定部位において、筋肉レベル及び脂肪レベルをそれぞれ判定するための複数の基準値を特定部位ごとに格納する（筋肉判定用、及び脂肪判定用の複数の基準値をそれぞれ格納）。【０１１２】  すなわち、各特定部位（左腕、右腕、左脚、右脚、及び体幹部）に関する筋肉判定用の複数の基準値として、基準値テーブルＴ２は第１〜９基準値という複数の基準用数値を含み、同様に、脂肪判定用の複数の基準値として、第１〜９基準値という複数の基準用数値を含む。なお、第１〜９基準値の数値には「第１基準値＜第２基準値＜第３基準値＜第４基準値＜第５基準値＜第６基準値＜第７基準値＜第８基準値＜第９基準値」という大小関係が成立する。【０１１３】  これは、筋肉レベル及び脂肪レベルとして本実施形態では、それぞれ計９段階のレベルを判定するためである。計９段階のレベルを、筋肉の場合で説明すると、標準を「０」レベルにしており、標準より筋肉の量が少ないレベルを「−１」、「−２」、「−３」、「−４」というように、少ない量の程度に応じて計４段階で区別し、標準より筋肉の量が多いレベルを「＋１」、「＋２」、「＋３」、「＋４」というように、多い量の程度に応じて計４段階で区別する。脂肪の場合も同様に、標準を「０」として、標準より脂肪の量が少ないレベルを「−１」、「−２」、「−３」、「−４」の計４段階で区別し、標準より脂肪の量が多いレベルを「＋１」、「＋２」、「＋３」、「＋４」の計４段階で区別する。【０１１４】  筋肉についてのレベルの区分けの具体例を、左腕の場合で説明すると、測定された左腕の筋肉量の数値が第１基準値未満であれば「−４」、第１基準時以上第２基準値未満であれば「−３」、第２基準値以上第３基準値未満であれば「−２」、第３基準値以上第４基準値未満であれば「−１」、第４基準時以上第５基準値未満であれば「０」、第５基準値以上第６基準値未満であれば「＋１」、第６基準時以上第７基準値未満であれば「＋２」、第７基準値以上第８基準値未満であれば「＋３」、第８基準値以上第９基準値未満であれば「＋４」と判定される（他の特定部位の測定された筋肉量についても同様）。【０１１５】  また、脂肪についてのレベルの区分けの具体例を、左腕の場合で説明すると、測定された左腕の脂肪量が第１基準値未満であれば「−４」、第１基準時以上第２基準値未満であれば「−３」、第２基準値以上第３基準値未満であれば「−２」、第３基準値以上第４基準値未満であれば「−１」、第４基準時以上第５基準値未満であれば「０」、第５基準値以上第６基準値未満であれば「＋１」、第６基準時以上第７基準値未満であれば「＋２」、第７基準値以上第８基準値未満であれば「＋３」、第８基準値以上第９基準値未満であれば「＋４」と判定される（他の特定部位の測定された脂肪量についても同様）。上述した計９段階のレベルを表す数値は、特定部位の筋肉量又は脂肪量に係る数値を示す測定結果を意味する。【０１１６】  なお、図６に示すように、体幹部においては、通常の脂肪用の数値（皮下脂肪用の第１〜第９基準値）に加えて、内臓脂肪用の基準値（第１〜第９基準値）を基準値テーブルＴ２は格納しており、体幹部においては、通常の脂肪（皮下脂肪）と、内臓脂肪の二種類の脂肪についてレベル判定が行えるようにしている（内臓脂肪の脂肪量に係るレベル判定は、上述した皮下脂肪の場合と同様）。【０１１７】  次に、図３の記憶部３０ｇに記憶される各プログラムについて説明していく。まず、基本プログラムＰ１は、測定処理装置３０を一般的なコンピュータとして機能させるために、ＣＰＵ３０ａが行う基本的な処理を規定したオペレーティングシステムに相当するものであり、この基本プログラムＰ１には、上述した外部機器接続部３０ｂを通じた信号等の入出力機能、通信部３０ｃを通じた通信機能、及び表示入出力インタフェース３０ｆを通じた表示機能・操作受付機能等を含んでいるものとする。【０１１８】  また、三次元測定プログラムＰ２は、三次元測��器２０から送られてくる測定結果に含まれる数値（検知した複数の頂点のＸＹＺ座標値）を用いて、上述した三角測量の原理を用いた公知の三次元距離計測手法により、被験者Ｈの測定項目（身長、各四肢の長さ等）に係る数値を算出する処理をＣＰＵ３０ａが行うことを規定したものになっている。【０１１９】  組成測定プログラムＰ３は、体組成計１０から送られてくる脂肪又は筋肉に係る測定数値を取得すること、及び特定部位（体幹部、及び四肢）については、測定数値を、図６の基準値テーブルＴ２に格納される基準値と対比することで、測定された筋肉量、及び脂肪量が、計９段階のいずれのレベルに該当するかを判定する処理も規定する。なお、９段階のレベルは上述したように、「−４」〜「＋４」の段階で示され、「０」の段階が標準であり、「０」からマイナスの数値が大きくなるにつれて、筋肉量又は脂肪量が少なくなっていくことを表し、また、「０」からプラスの数値が大きくなるにつれて、筋肉量又は脂肪量が多くなっていくことを表す。【０１２０】  測定管理プログラムＰ４は、人体測定システム５における全般的な処理に関して、ＣＰＵ３０ａが行う各種処理の内容を規定したものである。具体的には、表示装置３５に各種画面を表示する処理、登録ユーザの会員認証に関する処理、ユーザ操作に応じた対応処理、測定結果を人体モデル提供システム５０へ送る処理等をＣＰＵ３０ａに行わせるプログラミング内容を測定管理プログラムＰ４は含んでいる。【０１２１】  具体的には、まず、図４（ａ）の初期画面４０を表示する処理を行い、この初期画面４０を通じて入力されたユーザＩＤを測定処理装置３０（ＣＰＵ３０ａ）が取得すると、その取得したユーザＩＤが登録されているか否かを問い合わせる旨の問合せ情報を人体モデル提供システム５０へ送信することを測定管理プログラム処理Ｐ４は規定する。また、問合せ情報の送信に応じて、人体モデル提供システム５０から、登録されていない旨の返信を測定処理装置３０が受信すると、再度、ユーザＩＤの入力を行うことを示したユーザＩＤ入力画面を表示する処理を測定管理プログラム処理Ｐ４は規定する。【０１２２】  一方、問合せ情報の送信に応じて、人体モデル提供システム５０から、登録されている旨の返信を測定処理装置３０が受信すると、次に、図４（ｂ）の測定開始画面４１の表示処理を行うことを測定管理プログラム処理Ｐ４は規定する。また、その測定開始画面４１で測定開始ボタン４１ａの選択操作を受け付けると、図５（ａ）の測定準備画面４２の表示処理を行うと共に、測定開始ボタン４１ａの選択操作から１０秒が経過すれば、体組成計１０及び三次元測定器２０へ測定開始指示を送信することを測定管理プログラム処理Ｐ４は規定する。【０１２３】  そして、図５（ｂ）の測定中画面４３の表示処理を行い、体組成計１０及び三次元測定器２０の両方から測定結果を測定処理装置３０（ＣＰＵ３０ａ）が受け取ると、図５（ｃ）の測定終了画面４４の表示に切り替えて、演算結果の整理が完了すると、その演算結果の各数値等を示す結果画面の表示処理を行うことを測定管理プログラム処理Ｐ４は規定する。また、測定結果に係る情報（体格及び体型に応じた各点のＸＹＺ座標値、身長及び各特���部位の寸法に係る数値、脂肪（各特定部位の皮下脂肪及び体幹部の内臓脂肪）又は筋肉の測定結果に基づくレベル判定結果（レベルを示す数値）、及びユーザＩＤ等を含む情報）を人体モデル提供システム５０へ送信する処理を演算装置（ＣＰＵ３０ａ）が行うことも、測定管理プログラム処理Ｐ４は規定する。【０１２４】  なお、測定結果に係る情報を人体モデル提供システム５０へ送信することで、測定処理装置３０を含む人体測定システム５の被験者Ｈの測定に関する一連の処理は一旦完了し、これ以降については人体測定システム５では次回の測定を待つ状態になる。一方、人体モデル提供システム５０から測定結果を受信する人体モデル提供システム５０は、測定結果の受信に伴い、測定を行った被験者に応じた解剖的な人体モデルを提供するための処理を開始することになる。【０１２５】  図７は、人体モデル提供システム５０の主要な内部構成を示すブロック図である。本実施形態の人体モデル提供システム５０は、一般的なサーバコンピュータ（サーバ装置）で構築したものになっているが、分散処理等を行うことで複数のサーバ装置及びデータベース装置等を組み合わせてシステムを構築することも勿論可能である（例えば、人体モデルの提供に関する処理を主に行うサーバ装置、及び登録会員の会員データを格納するデータベースに関する処理を主に行うデータベースサーバ装置を組み合わせてシステムを構築することなどが想定できる）。【０１２６】  人体モデル提供システム５０（人体モデル処理装置に相当）は、全体的な制御及び各種処理を行うＭＰＵ５０ａに、各種デバイス等を内部接続線５０ｈで接続したものになっており、各種デバイス等には、通信モジュール５０ｂ、ＲＡＭ５０ｃ、ＲＯＭ５０ｄ、入力インタフェース５０ｅ、出力インタフェース５０ｆ、及び記憶部５０ｇ等がある。【０１２７】  通信モジュール５０ｂは、ネットワークＮＷとの接続モジュールに相当する通信デバイスであり、所要の通信規格に応じたものである（例えばＬＡＮモジュール）。通信モジュール５０ｂは、所要の通信機器（図示は省略。例えばルータ等が該当）を介してネットワークＮＷと接続されており、測定処理装置３０及び通信端末３等との通信を可能にする。なお、本実施形態において、人体モデル提供システム５０は、被験者Ｈの身体的な測定結果（測定結果に係る各種情報）を、通信モジュール５０ｂで取得することになる。【０１２８】  ＲＡＭ５０ｃは、ＭＰＵ５０ａの処理に伴う内容、ファイル等を一時的に記憶するものであり、ＲＯＭ５０ｄは、ＭＰＵ５０ａの基本的な処理内容を規定したプログラム等を記憶するものである。入力インタフェース５０ｅは、システム管理者等からの操作指示等を受け付けるキーボード５０ｉ、マウス等が接続されるものである。出力インタフェース５０ｆは、ディスプレイ５０ｊ（表示出力装置）が接続されるものであり、ＭＰＵ５０ａの処理に伴う内容をディスプレイ５０ｊへ出力し、システム管理者等が現在の処理内容等を確認できるようにしている。【０１２９】  記憶部５０ｇは、データベース、プログラム、及びテーブル等を記憶するものであり、具体的には、データベースとして会員データベース６０を記憶し、プログラムとしてはサ���バプログラムＰ１０、モデル変形プログラムＰ１１を記憶し、テーブルとしては、人体モデルテーブル７０、ポイントテーブル８０及びモデル数値テーブル８５等を記憶する。なお、モデル変形プログラムＰ１１を記憶部１０ｇにインストールするには、光ディスク等の記憶媒体にモデル変形プログラムＰ１１を記憶しておき、その記憶媒体を通じて、記憶部５０ｇにインストールすること等が考えられる。【０１３０】  図８は、記憶部５０ｇに記憶される会員データベース６０の中身の一例を示し、ユーザ欄として、ユーザＩＤごとに、会員の氏名、ニックネーム、メールアドレス、及び各日のデータ（体組成計１０及び三次元測定器２０のそれぞれの測定結果を示す数値、測定結果に基づき得られた人体モデルを示すデータ等）が記憶される（なお、図８では示していないが、会員データベース６０には、その他、性別、パスワード等も記憶される）。会員データベース６０のユーザ欄は、新たなユーザの会員登録により増加し、会員ユーザが退会することで、そのユーザのユーザ欄が削除されることになり、また、各ユーザが測定を行うごとに、測定データ欄には測定日のデータが格納されるようになり、これらの要因により、会員データベース６０の中身は随時、更新される。【０１３１】  記憶部５０ｇに記憶されるプログラムＰ１の中のサーバプログラムＰ１は、サーバコンピュータ用のオペレーティングシステムに応じた各種処理を規定したものであり、この規定内容に基づいた処理をＭＰＵ５０ａが行うことで、人体モデル提供システム５０は、サーバコンピュータ（サーバ装置）としての各機能を果たす。【０１３２】  また、モデル変形プログラムＰ１１は、本発明に関する主要な各処理を規定したものであり、会員認証に係る処理、測定結果に応じた人体モデルを生成する処理、生成した人体モデルを配信する処理等を、ＭＰＵ５０ａが各種手段として行うことを規定した内容になっている。モデル変形プログラムＰ１１の詳細は後述し、先に、各テーブル（人体モデルテーブル７０、ポイントテーブル８０、モデル数値テーブル８５）について説明する。【０１３３】  図９は、人体モデルテーブル７０の中身の一部を示し、図９に示すのは男性用の人体モデルの範囲である（女性用人体モデルの詳細については後述する）。本発明では、被験者Ｈの測定結果に応じた人体モデルを提供するにあたり、一から人体モデルを生成するのではなく、ベースとなる人体モデルを準備しておき、その準備した人体モデルを被験者Ｈの測定結果に応じて適宜、変形等を行うことで、被験者の体格及び体つきに応じた人体モデルを提供する。人体モデルテーブル７０は、予め準備する人体モデルのデータを男女別に格納したものであり、ログイン中のユーザ（被験者）の性別を会員データテーブル６０から特定し、男女いずれのモデルデータを用いるかをＭＰＵ５０ａが判断する。本実施形態の人体モデルは、骨格モデル、筋肉モデル、及び脂肪モデルを含んで構成することで、解剖的な表示を可能にしている。【０１３４】  人体モデルテーブル７０の中身に関して、男性用人体モデルを例にして説明すると、まず、人体モデルテーブル７０は、人体モデルを構成する骨格モデル７１、筋肉モデル７２、及び脂肪モデル７３の三種類のモデルを含み、また、モデル毎に、統計的に身長に対する四肢の長さ寸法の比率（袖丈の比率、股下の比率）が標準である標準パターン７０ａ、標準パターン７０ａに対して四肢の寸法（手足の寸法）を約９５％短くした第１パターン７０ｂ、及び標準パターンル７０ａに対して四肢の寸法（手足の寸法）を約１０５％長くした第２パターン７０ｃという計三種類のパターンを含む。【０１３５】  骨格モデル７１は、骨格を示すモデルであり、標準パターン７０ａに応じた標準の骨格モデル７１ａ、第１パターン７０ｂに応じた第１の骨格モデル７１ｂ、及び第２パターン７０ｃに応じた第２の骨格モデル７１ｃを含む。また、筋肉モデル７２も、骨格モデル７１と同様に、標準パターン７０ａに応じた標準の筋肉モデル７２ａ、第１パターン７０ｂに応じた第１の筋肉モデル７２ｂ、及び第２パターン７０ｃに応じた第２の筋肉モデル７２ｃを含み、脂肪モデル７３も、標準パターン７０ａに応じた標準の脂肪モデル７３ａ、第１パターン７０ｂに応じた第１の脂肪モデル７３ｂ、及び第２パターン７０ｃに応じた第２の脂肪モデル７３ｃを含む。【０１３６】  これら各骨格モデル７１、筋肉モデル７２、脂肪モデル７３は、人体モデルとしてパターン別に組み合わされる１つのセットになっている。すなわち、標準パターン７０ａとして、標準の骨格モデル７１ａ、筋肉モデル７２ａ、及び脂肪モデル７３ａが対応付けられて一つのセット（組合せ）になっており、以下同様に、第１パターン７０ｂとして、第１の骨格モデル７１ｂ、筋肉モデル７２ｂ、及び脂肪モデル７３ｂが対応付けられて一つのセットになっており、第２パターン７０ｃとして、第２の骨格モデル７１ｃ、筋肉モデル７２ｃ、及び脂肪モデル７３ｃが対応付けられて一つのセットになっている。【０１３７】  また、これらの各骨格モデル７１、筋肉モデル７２、脂肪モデル７３は三次元表示が可能に形成されており、上述した非特許文献１に係る３Ｄ人体解剖アプリで示されるモデルと同様に、各モデルを回転させる操作（例えば、スワイプ操作）を行うことで、所望の角度から、各モデルを確認できると共に、各モデルの所要部分の拡大又は縮小も所要の操作（例えば、ピンチ装置）で可能になっている。【０１３８】  さらに、これらの各骨格モデル７１、筋肉モデル７２、脂肪モデル７３は、形状的に変形可能なテクスチャで形成されている。例えば、人体の骨格を表す骨格モデル７１（標準の骨格モデル７１ａ、第１の骨格モデル７１ｂ、第２の骨格モデル７１ｃ）は、相似的に拡大又は縮小する変形が可能になっていると共に、骨格を構成する複数の骨部分（ボーン）のレベルでも長さ寸法の拡大又は縮小、骨格における関節を中心とした角度変化等の変形が可能になっており、それにより骨格の部分的な変形も可能になっている。なお、これらの各骨格モデル７１、筋肉モデル７２、脂肪モデル７３は、それらの体格に応じた数値を有するものとなっており、それらの数値は、モデル数値テーブル８５においてモデルごとに示される。【０１３９】  また、人体の筋肉を表す筋肉モデル７２（標準の筋肉モデル７２ａ、第１の筋肉モデル７２ｂ、第２の筋肉モデル７２ｃ）は、上述した骨格モデル（標準の骨格モデル７１ａ��第１の骨格モデル７１ｂ、第２の骨格モデル７１ｃ）を覆う筋肉（筋肉のテクスチャ）を有する形態で形成してあり、赤又はピンク色系統の色合いをテクスチャ表面に付したものになっている。筋肉モデル７２も形状的に変形可能となっているが、変形の仕方としては、骨格モデル７１の上述した変形に追従して変形する場合と、筋肉モデルが単独で変形する場合の二通りの変形の仕方が存在する。【０１４０】  すなわち、筋肉モデル７２の筋肉は、筋肉を表す一定の厚みを有するシート状のテクスチャで形成されており、骨格モデル７１が、上述したように相似的に拡大又は縮小すると、そのような変形に追従するように、筋肉のテクスチャが伸縮して寸法的に拡大又は縮小するように作り込まれている。また、骨格モデル７１が、上述したように部分的に寸法の拡大又は縮小、若しくは角度変化等の変形が行われると、筋肉モデル７２は、そのような部分的な変形にも追従して、筋肉のテクスチャが伸縮変形するように作り込まれている。なお、本実施形態の筋肉モデル７２は、顔部分、手先部分、及び足先部分の筋肉を省略した構成にしている。【０１４１】  また、図１０（ａ）（ｂ）に示すように、筋肉モデル７２が単独で変形する場合としては、特定部位（左腕、右腕、左脚、右脚、及び体幹部）の単位で、特定部位の太さ寸法を、測定結果により判定されたレベルに応じた程度に合わせて筋肉部分（筋肉のテクスチャの厚み）を太くする変形、又は細くする変形が可能になっている（図１０（ａ）は左腕の筋肉が太くなる例を示し、図１０（ｂ）は左腕の筋肉が細くなる例を示す）。なお、筋肉モデル７２は、一定の厚みのあるテクスチャで形成されているため、太さ寸法を細くする場合はテクスチャの厚みを薄くするように変形されるので、骨格モデルを侵食するようにまで変形することは生じ得ない。【０１４２】  さらに、人体の脂肪を表す脂肪モデル７３（標準の脂肪モデル７３ａ、第１の脂肪モデル７３ｂ、第２の脂肪モデル７３ｃ）は、上述した筋肉モデル７２（標準の筋肉モデル７２ａ、第１の筋肉モデル７２ｂ、第２の筋肉モデル７２ｃ）を覆う脂肪（脂肪のテクスチャ）を有する形態で形成してあり、黄又は黄土色系統の色合いを基準色としてテクスチャ表面に付したものになっている。脂肪モデル７３も形状的に変形可能となっているが、変形の仕方としては、筋肉モデル７２の場合と同様に、筋肉モデル７２の上述した変形に追従して変形する場合と、脂肪モデル単体で変形する場合の二通りの変形の仕方が存在する。【０１４３】  脂肪モデル７３の脂肪も、脂肪を示す所定の厚みを有するシート状のテクスチャで形成されているが、厚み自体は、筋肉モデル７２より薄くなっている。筋肉モデル７２が、上述したように骨格モデル７１に追従して相似的に拡大又は縮小するように変形した場合、脂肪モデル７３は、脂肪のテクスチャが、そのような変形に追従して変形するように作り込まれている。また、筋肉モデル７２の特定部位（四肢のいずれか、又は体幹部）の太さ寸法が太く又は細く変形した場合、脂肪モデル７３も、その筋肉モデル７２の変形した特定部位に応じた脂肪箇所が、追従するように太く又は細く変形するように、脂肪のテクチャが伸縮変形する。なお、本実施形態の脂肪モデル７３は、顔部分、手先部分、及び足先部分の筋肉を省略した構成にしている。【０１４４】  また、図１１に示すように、脂肪モデル７３が単独で変形する場合としては、特定部位（左腕、右腕、左脚、右脚、及び体幹部）の単位で、特定部位の脂肪部分の太さ寸法を、判定されたレベルに応じた程度に合わせて太くする変形が可能になっている。さらに、脂肪モデル７３において特定部位の太さ寸法を太くする変形を行った場合は、太くした特定部位の表面箇所の色合い（基準色の色合い）を、太くした度合いに応じて段階的に濃くするように、脂肪モデル７３のテクスチャは作り込まれている。なお、脂肪モデル７３の脂肪は、筋肉モデル７２の表面に密着して覆うよう配置されるようになっており、そのため、筋肉モデル７２の筋肉の形状を、脂肪に反映しやすくしている。【０１４５】  一方、脂肪モデル７３の特定部位の脂肪部分を、判定されたレベルに応じて細くすることは、上述したように脂肪モデル７３は薄いテクスチャで形成されているので、図１２に示すように、一段階程度しか細くすることができず、それ以上の段階で細くすることは、対象となる特定部位の表面の色合い（基準色の色合い）を薄くし、更に細くするレベルを示すことについては、対象となる特定部位の脂肪部分の透明度を段階的に増すようにしている。例えば、皮下脂肪に係る判定レベルが、標準の「０」より小さい「−１」であれば、特定部位の脂肪部分の寸法を一段階、細くする変形を行うと共に、その脂肪部分の表面の色合いを基準色（「０」の場合の表面の色）より一段階薄くし、判定レベルが「−２」であれば、特定部位の脂肪部分の表面の色合いを、更に一段階薄くし、判定レベルが「−３」であれば、特定部位の脂肪部分が半透明になるようにし、判定レベルが「−４」であれば、特定部位の脂肪部分の透明度（透過度）を高めて、脂肪モデルの下の層となる筋肉モデルの筋肉が映るように、テクスチャを作り込んでいる。【０１４６】  図１３は、上述した人体モデル（骨格モデル７１、筋肉モデル７２、脂肪モデル７３）の相似的な拡大又は縮小の変形の概要を示しており、まず、人体モデルの中の骨格に応じた骨格モデル７１（例えば、標準の骨格モデル７１ａ）を、被験者Ｈの体格に係る測定結果（例えば、身長に準じた測定寸法）に基づき拡大又は縮小すると、その骨格モデル７１に対応づけてセットになっている筋肉モデル（例えば、標準の筋肉モデル７２ａ）は、骨格モデル７１（標準の骨格モデル７１ａ）の変形に追従して、同様に拡大又は縮小変形する。さらに、このような筋肉モデル７２（標準の筋肉モデル７２ａ）の変形に追従して、脂肪モデル７３（例えば、標準の脂肪モデル７３ａ）も同様に拡大又は縮小変形することになる。このような各モデル間での追従変形は、同率で拡大又は縮小することで可能となる。【０１４７】  例えば，骨格モデル７１（例えば、標準の骨格モデル７１ａ）は、その体格を表す身長として１７０．５８ｃｍの寸法を有し（図１６のモデル数値テーブル参照）、一方、被験者Ｈの測定結果で、被験者の身長が約１７９．１ｃｍであれば、被験者の測定結果に合わせて、骨格モデル７１全体を１．０５倍（１７９．１／１７０．５８）で相似的に拡大変形する���とになり、この場合、筋肉モデル７２（例えば、標準の筋肉モデル７２ａ）及び脂肪モデル７３（例えば、標準の脂肪モデル７３ａ）もそれぞれ全体を１．０５倍で拡大する処理を行うことで、追従した拡大変形を行うようにしている。また、骨格モデル７１（例えば、標準の骨格モデル７１ａ）を、被験者の測定結果に合わせて全体を０．９５倍で相似的に縮小変形する場合、筋肉モデル７２（例えば、標準の筋肉モデル７２ａ）及び脂肪モデル７３（例えば、標準の脂肪モデル７３ａ）も、それぞれ全体を０．９５倍に縮小する処理を行うことで、追従した縮小変形を行うようにしている。【０１４８】  また、骨格を示す骨格モデル７１が部分的に寸法の拡大又は縮小するような変形を行えるようにするため、そして、そのような変形に追従して、筋肉を示す筋肉モデル７２及び脂肪を示す脂肪モデル７３が変形できるようにするために、各モデルには、変形の基点となる複数の点（変形基点）が設けられている。【０１４９】  図１４（ａ）〜（ｃ）は、各モデルにおける複数の変形基点の代表例を概要的に示したものである。まず、図１４（ａ）は標準の骨格モデル７１ａにおける複数の変形基点の中の一部を示す変形基点Ｐ１〜Ｐ１４を示す。変形基点Ｐ１は頭部頂点であり、以下、変形基点Ｐ２は右肩、変形基点Ｐ３は左肩、変形基点Ｐ４は右肘、変形基点Ｐ５は左肘、変形基点Ｐ６は右手先端（中指の第３関節）、変形基点Ｐ７は左手先端（中指の第３関節）、変形基点Ｐ８は腰中心の背骨、変形基点Ｐ９は右骨盤、変形基点Ｐ１０は左骨盤、変形基点Ｐ１１は右膝、変形基点Ｐ１２は左膝、変形基点Ｐ１３は右足先端、変形基点Ｐ１４は左足先端になっている。これら各変形基点Ｐ１〜Ｐ１４は、ＸＹＺ座標系における座標値をそれぞれ有したものになっている。なお、各変形基点Ｐ１〜Ｐ１４は、変形基点の代表例であり、実際には、もう少し多くの点が存在する（図１５のポイントテーブル８０を参照）。【０１５０】  また、図１４（ｂ）は、図１４（ａ）に示す標準の骨格モデル７１ａに対応付けられる標準の筋肉モデル７２ａおける複数の変形基点Ｐ１′〜Ｐ１４′を示し、これらの変形基点Ｐ１′〜Ｐ１４′は、図１４（ａ）の標準の骨格モデル７１ａの変形基点Ｐ１〜Ｐ１４に対応した点になっている。なお、本実施形態の筋肉モデル７２は、顔部分、手先部分、及び足先部分の筋肉を省略した構成にしているので、図中に示す顔部分、手先部分、及び足先部分に応じた筋肉モデル７２における変形基点Ｐ１′、Ｐ６′、Ｐ７′、Ｐ１３′、Ｐ１４′は仮想的な変形基点になる。【０１５１】  さらに、図１４（ｃ）は、図１４（ａ）に示す標準の骨格モデル７１ａ及び図１４（ｂ）の標準の筋肉モデル７２ａに対応付けられる標準の脂肪モデル７３ａおける複数の変形基点Ｐ１″〜Ｐ１４″を示し、これらの変形基点Ｐ１″〜Ｐ１４″は、図１４（ａ）の標準の骨格モデル７１ａの変形基点Ｐ１〜Ｐ１４及び図１４（ｂ）の標準の筋肉モデル７２ａの変形基点Ｐ１′〜Ｐ１４′に対応した点になっている。なお、本実施形態の脂肪モデル７３は、顔部分、手先部分、及び足先部分の筋肉を省略した構成にしているので、図中に示す顔部分、手先部分、及び足先部分に応じた脂肪モデル７３における��形基点Ｐ１″、Ｐ６″、Ｐ７″、Ｐ１３″、Ｐ１４″は仮想的な変形基点になる。【０１５２】  図１４（ａ）に示す標準の骨格モデル７１ａにおける部分的な変形の例として、右肩の変形基点Ｐ２が、被験者の測定結果に応じて、ＸＹＺ座標系において（Ｘ、Ｙ、Ｚ）＝（３、４，４）という座標距離分だけ移動するように変形した状況を想定する。このような部分的な変形が標準の骨格モデル７１ａに生じた場合、この右肩の変形基点Ｐ２に対応する標準の筋肉モデル７２ａの右肩の変形基点Ｐ２′及び標準の脂肪モデル７３ａの右肩の変形基点Ｐ２″の座標値も同様に、（Ｘ、Ｙ、Ｚ）＝（３、４，４）という座標距離分だけ移動するように変形することで、骨格モデル７１ａにおける部分的な変形処理に対しても追従変形を行えるようにしている。なお、このような部分的な変形処理を行った場合、その変形基点周辺のテクスチャは、変形（拡大又は縮小）に応じて自在に伸び縮みするように作り込まれている。【０１５３】  また、図１４（ｂ）の標準の筋肉モデル７２ａが部分的に変形した場合の標準の脂肪モデルの追従変形も、上記と同様に行われる。例えば、標準の脂肪モデル７２ａにおける部分的な変形の例として、腰中心の背骨に応じた変形基点Ｐ８′が、被験者の測定結果に応じて、ＸＹＺ座標系において（Ｘ、Ｙ、Ｚ）＝（０、０，６）という座標距離分だけ移動するように変形したと想定する。このような部分的な変形が標準の筋肉モデル７２ａに生じた場合、この変形基点Ｐ８′に対応する標準の脂肪モデル７３ａの変形基点Ｐ８″の座標値も同様に、（Ｘ、Ｙ、Ｚ）＝（０、０，６）という座標距離分だけ移動するように変形することで、筋肉モデル７２ａにおける部分的な変形処理に対しても追従変形を行えるようにしている。【０１５４】  なお、上述した変形に関する説明では、標準の人体モデル（標準の骨格モデル７１ａ、筋肉モデル７２ａ、脂肪モデル７３ａ）の場合で説明したが、第１の人体モデル（第１の骨格モデル７１ｂ、筋肉モデル７２ｂ、脂肪モデル７３ｂ）及び第２の人体モデル（第２の骨格モデル７１ｃ、筋肉モデル７２ｃ、脂肪モデル７３ｃ）でも同様な変形に関する処理が可能となっている。【０１５５】  図１５は、図７の記憶部５０ｇに記憶されるポイントテーブル８０の中身の一例を示している。ポイントテーブル８０は、骨格モデル７１の変形基点と、被験者の三次元測定器２０の測定結果に含まれる各ポイントの番号との対応関係を示すものになっている。すなわち、三次元測定器２０で測定される被験者Ｈの皮膚の表面上のポイントは約３万点に至るので、被験者Ｈの測定結果に応じて骨格モデル７１を変形するにあたり、骨格モデル７１の変形基点を、約３万点の中のいずれのポイントを目指して移動させるかを特定する必要があるので、このような特定のための対応付けをポイントテーブル８０は定めている。なお、ポイントテーブル８０の中で規定される変形基点としては、皮膚の上からでも骨張った箇所（筋肉及び脂肪が基本的に覆わないで、皮膚が骨を覆うような箇所）が選ばれており、それにより、被験者Ｈの測定結果は皮膚の表面上であっても、筋肉及び脂肪の影響を受けにくくして、骨格モデルとの対応が取れるようにしている。【０１５６】  例えば、骨格モデル７１の変形基点として頭部頂点は、三次元測定器２０の測定結果の中の３２２５番目のポイントに対応することをポイントテーブル８０は定めており、この場合は、骨格モデル７１の頭部頂点のＸＹＺ座標値が、３２２５番目のポイント（対応点に相当）のＸＹＺ座標値に対応し，両者にずれがあれば、ずれている座標値の分だけ、骨格モデル７１の頭部頂点を、３２２５番目のポイントへ移動する処理を行う。【０１５７】  また、骨格モデル７１の変形基点（ＸＹＺ座標値）に対応づけられる測定結果のポイント（ＸＹＺ座標値）は、１つの場合の他に、複数のポイントが対応づけられることがあり、このような場合は、複数のポイントのＸＹＺ座標値の平均値を有する点が対応点となって、その対応点のＸＹＺ座標値（三次元的な位置を示す数値）が、変形基点のＸＹＺ座標値に対応付けられることになる。【０１５８】  例えば、変形基点として右肩は、右方向からの見た場合（ＹＺ平面での視図）の１０１６６番目のポイント、前方向から見た場合（ＸＹ平面での視図）の２０５５番目のポイント、及び後ろ方向から見た場合（ＸＹ平面での視図）の１４８２９番目のポイントという計３つのポイントに対応付けられる。そして、この場合、１０１６６番目のポイント、２０５５番目のポイント、及び１４８２９番目のポイントの平均ＸＹＺ座標値の数値をＭＰＵ５０ａが算出し、その算出した平均ＸＹＺ座標値を有する点が対応点として特定されると共に、その対応点の平均ＸＹＺ座標値が、右肩の変形基点のＸＹＺ座標値と対応し、両者にズレが存在すれば、一致するように、右肩の変形基点を対応点へ向けて移動する処理をＭＰＵ５０ａが行う。【０１５９】  また、図１６は、図７の記憶部５０ｇに記憶されるモデル数値テーブル８５の中身の一例を示す。モデル数値テーブル８５は、図９に示す人体モデルテーブル７０に格納される各人体モデル（男性用及び女性用のそれぞれのパターンの骨格モデル、筋肉モデル、脂肪モデル）の各部に応じた数値を格納するものであり、図１６では、男性の標準パターン７０ａに応じた人体モデルの各部に応じた数値が格納される範囲を示している。なお、モデル数値テーブル８５は、図１６では示していないが、男性の第１パターン７０ｂ及び第２パターン７０ｃに応じた数値、並びに女性の各パターンに応じた数値も含んでいる。【０１６０】  モデル数値テーブル８５が格納する各数値は、統計的に得られた数値に基づいたパターンごとの平均値であり、平均の身長の数値、股下の数値、及び腕長さの数値等より得られた股下割合（身長に対する足の左右平均長さが占める割合）、袖丈比率（身長に対する腕の左右平均長さが占める割合）等が格納されており、これらの数値は、被験者Ｈに応じたモデルのパターンを各パターン７０ａ〜７０ｃの中から特定する場合、及び特定したパターンのモデルの拡大又は縮小する度合いを特定する場合などに用いられる。【０１６１】  次に、記憶部５０ｇに記憶されるモデル変形プログラム１１について説明していく。モデル変形プログラムＰ１１の具体的なプログラミングの内容としては、会員認証に係る処理、測定結果に応じた人体モデルを提供する処理等が含まれる。【０１６２】  会員認証に係る���理として、測定処理装置３０からユーザＩＤ及びパスワードを含む会員認証に係る問合せ情報を人体モデル提供システム５０（ＭＰＵ５０ａ）が受信すると、受信した問合せ情報に含まれるユーザＩＤ及びパスワードが会員データベース６０に含まれるか否かを判断する。そして、ユーザＩＤ及びパスワードが会員データベース６０に含まれる場合、ＭＰＵ５０ａは、登録の旨の回答を測定処理装置３０へ返信する処理を行い、また、含まれていない場合は、非登録の旨（非会員である旨）の回答を測定処理装置３０へ返信する処理を行う。【０１６３】  また、測定処理装置３０から送られてきたユーザＩＤを含む測定結果（測定結果に係る情報）を受信すると、会員データベース６０の測定データの欄に、その受信した中に含まれるユーザＩＤに対応づけて、測定結果を受信日時（又は測定日時）と共に格納する処理を行う。【０１６４】  図１７は、モデル変形プログラムＰ１１が規定する処理の中で、本発明の主要な処理として、想定結果に応じた人体モデルを提供するために、人体モデルテーブル７０に格納される人体モデルを変形する処理を示すフローチャートである。このフローチャート（人体モデル変形方法の中身を示すもの）に従って、ＭＰＵ５０ａは、被験者Ｈの測定結果に応じた人体モデルを変形するための一連の処理を行う。本実施形態では、被験者Ｈの測定結果に応じた人定モデルを、一から生成するのではなく、上述した人体モデルテーブル７０（図９参照）に格納される各パターンの人体モデルを利用して生成（格納されている人体モデルを変形することで生成）することで、スムーズに被験者に応じた人体モデルを提供できるようにしている。なお、図１７のフローチャートに示すＭＰＵ５０ａによる処理は、測定処理装置３０から送られた測定結果を、人体モデル提供システム５０は取得したことに応じて開始されることになる。【０１６５】  最初のＳ１の段階で、測定処理装置３０からの測定結果に基づき、図９の人体モデルテーブル７０の標準パターン７０ａ、手足が短めの第１パターン７０ｂ、手足が長めの第２パターン７０ｃの中からいずれを用いるかを特定する処理をＭＰＵ５０ａは行う。具体的には、測定処理装置３０から送られる測定結果には、被験者Ｈの身長、左腕の長さ、右腕の長さ、左脚の長さ、及び右脚の長さといった被験者Ｈの体格を示す寸法数値が含まれているので、これらの寸法数値から、被験者Ｈの袖丈比率及び股下比率を算出し（四肢の寸法に係る比率を算出）、その算出した数値に対して、図１６のモデル数値テーブル８５に格納される同姓の袖丈比率及び股下比率の中で最も近いものをＭＰＵ５０ａは特定し、その特定した袖丈比率及び股下比率に応じたパターンを、被験者Ｈのパターンとして特定する。【０１６６】  次のＳ２の段階で、特定したパターンに応じた人体モデル（一つのセットになった骨格モデル、筋肉モデル及び脂肪モデル）を、図１３に示すように、被験者Ｈの測定された身長の寸法（体格に係る測定結果）に応じて、相似的に拡大又は縮小する処理をＭＰＵ５０ａは行う。【０１６７】  例えば、男性の被験者Ｈの身長が１７７．４ｃｍであり、Ｓ１の段階で男性の標準パターンが特定されたとき、標準パターンの身長は図１６のモデル数値テーブル８５を参照すれば１７０．５８ｃｍであることから、この場合は、１７７．４／１７０．５８という演算を行って、約１．０４という比率が得られる。それにより、ＭＰＵ５０ａは、人体モデルテーブル７０に格納される男性の標準パターン７０ａの人体モデル（骨格モデル、筋肉モデル、及び脂肪モデル）を、図１３に示すように、約１．０４倍で相似的に拡大する。また、男性の被験者Ｈの身長が１６５．５ｃｍであり、Ｓ１の段階で標準パターンが特定されたときは、１６５．５／１７０．５８という演算を行って、約０．９７という比率が得られる。それにより、ＭＰＵ５０ａは、人体モデルテーブル７０に格納される男性の標準パターン７０ａの人体モデルを、図１３に示すように、約０．９７倍で相似的に縮小する。【０１６８】  そして、Ｓ３の段階で、相似的に拡大又は縮小した人体モデルの中の骨格モデル７１（例えば、標準の骨格モデル７１ａ）を部分的に変形する処理をＭＰＵ５０ａは行う。この部分的な変形は、図１５のポイントテーブル８０に含まれる複数の変形基点（例えば、標準の骨格モデル７１の変形基点）が対応する番号のポイント（対応点）のＸＹＺ座標値を取得した測定結果に含まれる中から特定し、その特定した番号のポイントの測定ＸＹＺ座標値へ変形基点のＸＹＺ座標値が一致するように移動する処理を行って、骨格モデル７１における部分的な変形を行う。【０１６９】  図１８（ａ）（ｂ）は、骨格モデル７１（例えば、標準の骨格モデル７１ａ）を部分的に変形する処理の例を示す。骨格モデル７１の骨盤の左骨盤（ポリゴン形状の変形が可能な変形用ボーンに相当。）の変更基点Ｐ２０（図中、黒丸で示す）を、その変更基点が対応する特定番号のポイントｐ１（図中、白丸で示す。図１５のポイントテーブル８０から特定される対応点）へ移動させて、その移動により、変更基点Ｐ２０の近傍の左骨盤のテクスチャ部分Ｂ１（図１８（ｂ）において破線で囲んだ箇所）が伸長して部分的に骨格モデル７１が変形する。【０１７０】  また、図１９（ａ）〜（ｃ）は、骨格モデル７１（例えば、標準の骨格モデル７１ａ）において、変形基点Ｐ３０（左肘の変形基点Ｐ３０）を含む骨部分Ｈ１（図１９では左上腕の骨部分Ｈ１。変形用ボーンに相当）を、体の中心側への直近となる関節Ｃ１（図１９では左の肩関節Ｃ１）を中心に角度を変化させてから、長さ寸法を伸長して部分的に変形する例を示している。【０１７１】  すなわち、図１９（ａ）〜（ｃ）に示すように、左肘の変形基点Ｐ３０（図中、黒丸で示す）は、移動先となる特定番号のポイントｐ２（図中、白丸で示す。図１５のポイントテーブル８０から特定される対応点）に対して、三次元的な方向のズレが大きいため、図１９（ａ）に示す状態のままで、変形基点Ｐ３０のＸＹＺ座標値が、特定番号のポイントｐ２のＸＹＺ座標値に一致するように変形すると、上腕の骨部分Ｈ１が不自然に曲がった状態で伸長することになるので、このような不具合を防ぐため、図１９（ｂ）に示すように、変形基点Ｐ３０の体の中心側へ直近となる関節Ｃ１を中心に、上腕の骨部分Ｈ１の角度を回転するようにしている。【０１７２】  角度回転を行うには、まず、図１９（ａ）に示すように、上腕の骨部��Ｈ１の骨端部の変形基点Ｐ３０と、直近の左の肩関節Ｃ１の中心とを結ぶ仮想線Ｋ１のベクトルを求める。次に、肩関節Ｃ１の中心から特定番号のポイントｐ２へ向かう仮想直線Ｋ１０のベクトルの方向（肩関節Ｃ１の中心からポイントｐ２へ向かう方向に相当）を特定する。それから、仮想線Ｋ１が、仮想直線Ｋ１０と重なって方向が同じ向きになるように、肩関節Ｃ１を中心に左上腕の骨部分Ｈ１を回転させて、骨部分Ｈ１の肩関節Ｃ１に対する角度を変更する。【０１７３】  図１９（ａ）に示す角度変更を行うと、図１９（ｂ）（ｃ）に示すように、肩関節Ｃ１から変更基点Ｐ３０を結ぶ仮想線Ｓ１の延長線上にポイントｐ２が位置することになり、三次元的な方向のズレが解消される。この後は、上述した図１８の場合と同様に、角度を変更した状態の骨部分Ｈ１を、変更基点Ｐ３０が対応点のポイントｐ２へ一致するように、骨部分Ｈ１の長さを伸長するように変形する。なお、上述したＳ３の段階の説明は、図１８、１９に基づき、骨格モデル７１について、部分的に長さを伸長する変形の場合で説明したが、長さを縮小する場合も同様であり、変形基点を対応点のポイントに一致するように移動する変形において、両者は同等の処理となる。【０１７４】  そして、図１７に示すフローチャートにおけるＳ４の段階では、上述したＳ３の段階での骨格モデル７１（例えば、標準の骨格モデル７１ａ）の変形に追従して、その骨格モデル７１のセットとして組み合わされる筋肉モデル７２（例えば、標準の筋肉モデル７２ａ）及び脂肪モデル７３（例えば、標準の脂肪モデル７３ａ）を変形する処理をＭＰＵ５０ａは行う。具体的には、Ｓ３の段階で、骨格モデル７１の各変形基点を移動させたＸＹＺ座標値の数値分だけ、筋肉モデル７２及び脂肪モデル７３におけるそれぞれの対応する各変形基点（図１４参照）を移動させる処理を行う。このＳ４の段階の処理を行うことで、筋肉モデル７２及び脂肪モデル７３の基本的な形状が、被験者自身の骨格に準じた形状に沿うことになる。【０１７５】  フローチャートのＳ５の段階では、筋肉モデル７２（例えば、標準の筋肉モデル７２ａ）を、測定結果に含まれる体幹部の内臓脂肪について判定されたレベル（「−４」〜「＋４」。内臓脂肪に係る数値に相当）に基づき、腹の部位が太く又は細くなるように変形する処理を行う。【０１７６】  図２０は、内臓脂肪のレベルに応じて、標準の筋肉モデル７２ａの腹の部位を太く変形するイメージを示している（人体モデルを左から見たＹＺ平面での図）。図２０において、筋肉モデル７２ａの前側の輪郭を示す前方ラインＬ１を厚み方向（Ｚ軸方向に平行な方向）で前後に移動するように変形することで、腹の部位が太く又は細くなる。【０１７７】  腹の部位を太くするのは、判定レベルの数値が標準の「０」より大きい場合であり、太くする程度は、体幹部の内臓脂肪のレベルが「＋１」であれば、筋肉モデル７２ａの腹の部位の寸法Ｗ（標準の「０」の場合のＺ軸方向の長さ寸法）が、約１．０３倍となる位置に、前方ラインＬ１を図中の黒矢印方向（腹が前方へ出っ張る方向）へ移動するように湾曲変形させる。なお、図２０において一点鎖線で示すラインＬ１０が、太くするように変形した後の筋肉モデル７���ａの前側の輪郭を示す。また、体幹部の内臓脂肪のレベルが「＋２」であれば、寸法Ｗが約１．０６倍となる位置に前方ラインＬ１を図中の黒矢印方向へ移動するに湾曲変形させ、レベルが「＋３」であれば、寸法Ｗが約１．０９倍となる位置に前方ラインＬ１を黒矢印方向へ移動するに湾曲変形させ、レベルが「＋４」であれば、寸法Ｗが約１．１２倍となる位置に前方ラインＬ１を黒矢印方向へ移動するに湾曲変形させる。【０１７８】  また、腹の部位を細くするのは、体幹部の内臓脂肪のレベルが、標準の「０」より小さい「−４」〜「−１」の場合であり、筋肉モデル７２の腹の部位に応じた骨格モデル７１の部分は、丁度、胸骨及び肋骨の下方の空洞部分になることから、筋肉モデル７２の腹の部位を判定レベルに応じて細く変形することが可能になる。【０１７９】  細くする場合の程度は、体幹部の内臓脂肪のレベルが「−１」であれば、筋肉モデル７２ａの腹の部位の寸法Ｗが、約０．９８倍となる位置に、前方ラインＬ１を図中の白矢印方向（腹が引っ込む方向）へ移動するように湾曲変形させる。なお、図２０において二点鎖線で示すラインＬ２０が、細くするように変形した後の筋肉モデル７２ａの前側の輪郭を示す。また、体幹部の内臓脂肪のレベルが「−２」であれば、寸法Ｗが約０．９６倍となる位置に前方ラインＬ１を白矢印方向へ移動するに湾曲変形させ、レベルが「−３」であれば、寸法Ｗが約０．９４倍となる位置に前方ラインＬ１を白矢印方向へ移動するに湾曲変形させ、レベルが「−４」であれば、寸法Ｗが約０．９２倍となる位置に前方ラインＬ１を図中の白矢印方向へ移動するに湾曲変形させる。なお、内臓脂肪のレベルが「０」のときは、筋肉モデル７２の腹の部位の変形は行わない。【０１８０】  また、上述した説明で太くする場合に用いた倍率（１．０３、１．０６、１．０９、１．１２）、及び細くする場合に用いた倍率（０．９８、０．９６、０．９４、０．９２）の各数値は一例であり、システムの仕様等に応じて、他の数値を適用することは勿論可能であり、また、デフォルトで上述した各数値を用いると共に、統計的に数値に基づき、随時デフォルト値を変更するようにしてもよい（後述する各判定レベルに基づく変形で用いる各数値についても同様）。【０１８１】  それから、フローチャートのＳ６の段階では、筋肉モデル７２（例えば、標準の筋肉モデル７２ａ）を、測定結果に含まれる特定部位（左腕、右腕、左脚、右脚、及び体幹部）の筋肉量について判定されたレベル（「−４」〜「＋４」。筋肉量に係る数値に相当）に基づき、各特定部位に係る筋肉部分が太く又は細くなるように変形する処理を行う。なお、レベルが「０」の場合が標準となり、「０」の部位についてはＳ６の段階で変形を行わない。【０１８２】  具体的には、上述した図１０（ａ）に示すように、特定部位（例えば、左腕）における判定レベルが、標準の「０」より大きい「＋１」〜「＋４」である場合、特定部位の上腕及び前腕の筋肉部分が太くなるように変形する（左腕の幅ｗ１が大きくなるように変形する。幅ｗ１は「０」の場合の寸法を示す）。この場合、判定レベルが「＋１」であれば、幅ｗ１の約１．０５倍で太くなるように変形し、以下、「＋２」であれば幅ｗ１の約１．１倍で太くなるように変形し、「＋３」であれば幅ｗ１の約１．１５倍で太くなるように変形し、「＋４」であれば幅ｗ１の約１．２倍で太くなるように変形する。【０１８３】  一方、判定レベルが、標準の「０」より小さい「−１」〜「−４」である場合、図１０（ｂ）に示すように、特定部位の上腕及び前腕の筋肉部分が細くなるように（左腕の幅ｗ１が小さくなるように）変形する。この場合、判定レベルが「−１」であれば、幅ｗ１の約０．９６倍で細くなるように変形し、以下、「−２」であれば幅ｗ１の約０．９２倍で細くなるように変形し、「−３」であれば幅ｗ１の約０．８８倍で細くなるように変形し、「＋４」であれば幅ｗ１の約０．８４倍で細くなるように変形する。上述したＳ５、６の段階による筋肉モデル７２の変形処理により、被験者Ｈの実際の筋肉の付き方を反映した筋肉モデル形状が得られる。【０１８４】  そして、フローチャートのＳ７の段階では、上述したＳ５、Ｓ６の段階での筋肉モデル７２（例えば、標準の筋肉モデル７２ａ）の変形に追従して、この筋肉モデル７２のセットとして組み合わされる脂肪モデル７３（例えば、標準の脂肪モデル７３ａ）を変形する処理をＭＰＵ５０ａは行う。具体的には、Ｓ５の段階の腹の部位の変形に合わせて、脂肪モデル７３の腹の部位も追従して変形し（筋肉モデルの腹の部位のＸＹＺ座標値の移動量だけ、同様に脂肪モデル７３の対応部位を移動変形する）、さらに、Ｓ６の段階で、筋肉モデル７２の特定部位における変形に伴うＸＹＺ座標値の数値分だけ、脂肪モデル７３におけるそれぞれの対応する特定部位を移動変形させる処理を行う。このＳ７の段階の処理を行うことで、脂肪モデル７３の基本的な形状が、被験者自身の筋肉の付き方に沿った形状になる。【０１８５】  なお、図１７に示すフローチャートにおいて、脂肪モデル７３については、Ｓ４の段階で骨格モデル７１の変形に追従して変形処理を行うと共に、Ｓ７の段階で筋肉モデル７２の変形に追従して変形処理を行うようにしているが、Ｓ４の段階での脂肪モデル７３の追従変形処理を省略し、Ｓ７の段階で、それまでの骨格モデル７１及び筋肉モデル７２の変形に伴う変形量を一括して反映するように、一度に追従変形処理を行ってもよい。【０１８６】  フローチャートのＳ８の段階では、脂肪モデル７３（例えば、標準の筋肉モデル７３ａ）を、測定結果に含まれる特定部位（左腕、右腕、左脚、右脚、及び体幹部）の脂肪量（皮下脂肪の量）について判定されたレベル（「−４」〜「＋４」。脂肪量に係る数値に相当）に基づき、各特定部位に係る脂肪部分が太く又は細くなるように変形する処理を行うか、又は脂肪部分の表面の質などが変化する処理を行う。【０１８７】  具体的には、上述した図１１に示すように、特定部位（例えば、左腕）における判定レベルが、標準の「０」より「＋１」〜「＋４」である場合、特定部位の上腕及び前腕の脂肪部分が太くなるように変形する。この場合、判定レベルが「＋１」であれば、幅ｗ１０となるように太く変形し、以下、「＋２」であれば幅ｗ１１（ｗ１１＞ｗ１０）となるように太く変形し、「＋３」であれば幅ｗ１２（ｗ１２＞ｗ１１）となるように太く変形し、「＋４」であれば幅ｗ１３（ｗ��３＞ｗ１２）となるように太く変形する。【０１８８】  さらに、太くする部分の表面の色合いが、「０」の場合の基準色より順次濃くなるように色づけする処理も合わせて行う。「＋４」の場合が基準色に対して最も色合いが濃く、「＋３」の場合が二番目に色が濃く、「＋２」の場合が三番目に色合いが濃く、「＋１」の場合が四番目に色合いが濃く、このような色合いに相違によっても、脂肪モデル７３は脂肪の付き方を見分ける要素になる。【０１８９】  また、図１２に示すように、特定部位（例えば、左腕）における判定レベルが「−１」であれば、特定部位の脂肪部分の太さを一段階（例えば、０．９７倍の比率）で細くする処理を行うと共に、その脂肪部分の表面の色合いを「０」の場合より薄くする処理を行う。判定レベルが「−２」であれば、特定部位に応じた表面部分（例えば、上腕及び前腕の部分）の色を、「−１」の場合より薄くするように変化させ、「−３」になると、その特定部位の脂肪部分を形成するテクスチャ自体が少し透過するように変化させ（半透明になるように変化）、「−４」になると、更に、その脂肪部分の透過度を高めて、脂肪モデル７３の脂肪で覆われる筋肉モデル７２の筋肉が透けて映るように変化させる。このような細くする変形、色合いの変化、及び透過するように段階的に変化させることで、従来、図示が困難であった脂肪量が標準より少ない場合のレベルを、段階的に表現できるようにしている。【０１９０】  最後に、フローチャートのＳ９の段階において、上述し処理を経て変形した人体モデル（変形した骨格モデル７１、変形した筋肉モデル７２、変形した脂肪モデル７３）を示すデータを、測定を行った被験者ＨのユーザＩＤに対応付けて、図８に示す会員データベース６０の測定データの欄に、測定日の日付と共に格納する処理をＭＰＵ５０ａは行う。【０１９１】  会員データベース６０に格納された人体モデルを示すデータは、図１、２に示す通信端末３を用いて、人体モデル提供システム５０へ閲覧要求を行えば、読み出して通信端末３で表示することが可能になっており、このような読み出しに係る処理も、モデル変形プログラムＰ１１が規定する処理の中に含まれる。【０１９２】  すなわち、人体モデル提供システム５０は、通信端末３からユーザＩＤ及びパスワードが送られてくると、データ閲覧についてのログイン処理を行うことになり、送られてきたユーザＩＤ及びパスワードが会員データベース６０に登録されていると、ログイン状態となり、ログイン状態となった直近の人体モデルデータを会員データベース６０から読み出して、ログイン状態になった通信端末３へ送信する処理を行うことになる。なお、通信端末３からログオフ操作が送られてくるまで、通信端末３のログイン状態は継続される。【０１９３】  上述した通信端末３には、人体モデルの表示が可能な人体モデル閲覧プログラムが予めインストールされているものとし、この人体モデル閲覧プログラムを起動して、人体モデル提供システム５０から送られる人体モデルデータ（骨格に応じた骨格モデルのデータ、筋肉に応じた筋肉モデルのデータ、及び脂肪に応じた脂肪モデルのデータ）を受信すれば、受信した人体モデルデータに基づき、解剖的な人体モデルを表示す��ことができる。【０１９４】  起動した人体モデル閲覧プログラムは、画面の片隅に表示に関する項目を有するメニューバーを含んでおり、このメニューバーの中のモデル切替操作を行うことで、骨格モデル７１での表示、骨格モデル７１の上に筋肉モデル７２を配置した状態での表示、及び骨格モデル７１に配置された筋肉モデル７２の上に脂肪モデル７３を配置した状態での表示を適宜切り替えることが可能になっている。【０１９５】  図２１は、受信した人体モデルデータに基づき通信端末３で生成される骨格モデル７１（例えば、標準の骨格モデル７１ａを被験者Ｈの測定結果に応じて変形したモデル）による骨格状態の人体モデルを、通信端末３の表示スクリーン３ａで表示した状態を示す。【０１９６】  また、図２２は、受信した人体モデルデータに基づき通信端末３で生成される筋肉モデル７２（例えば、標準の筋肉モデル７２ａを被験者Ｈの測定結果に応じて変形したモデル）で、骨格モデル７１を覆うように配置した状態の人体モデルを通信端末３の表示スクリーン３ａで表示した状態を示す。【０１９７】  さらに、図２３は、受信した人体モデルデータに基づき通信端末３で生成される脂肪モデル７３（例えば、標準の筋肉モデル７２ａを被験者Ｈの測定結果に応じて変形したモデル）で、骨格モデル７１の上に配置された筋肉モデル７２を覆うように配置した状態の人体モデルを、通信端末３の表示スクリーン３ａで表示した状態を示す。【０１９８】  被験者Ｈ（ユーザ）は、図２１〜２３の表示状態を適宜切り替えることで、例えば、図２１の表示状態で自身の骨格の形状を把握でき、また、図２２の表示状態で筋肉の付き方を確認でき、さらには図２３の表示状態で脂肪の付き方なども解剖的に確認することでき、エクササイズ又はダイエットによる効果を、体の外観的な状態からではなく、図２２、２３に示すように体の内部における筋肉レベル又は脂肪レベルで確認できるメリットがある。【０１９９】  また、これら図２１〜２３で示す人体モデルは、上述した従来の３Ｄ人体解剖アプリ（例えば、非特許文献１参照）の人体モデルと同様に、三次元的に生成されているため、通信端末３がタブレット、スマートフォンのようなタッチパネル操作の可能な表示スクリーン３ａを具備していれば、スワイプ操作により、人体モデルを所望の角度から閲覧することが可能である（なお、通信端末３としてパソコン等を用いる場合は、マウス等の操作機器を用いることで、人体モデルの角度変化操作を可能にする）。さらに、図２１〜２３で示す人体モデルは、表示スクリーン３ａのピンチ操作で拡大又は縮小も適宜行える（通信端末３としてパソコン等を用いる場合は、マウス等の操作機器を用いることで、人体モデルの拡大又は縮小操作を可能にする）【０２００】  なお、通信端末３では、上述した人体モデルの表示の他に、体組成計１０及び三次元測定器２０の測定値の表示も可能になっており、人体モデル提供システム５０から送られる測定値の各数値を表示すること、複数の測定日に関する各数値をグラフで表示することも可能になっており、グラフ表示により時系列的な変化等も確認できるようにしている。【０２０１】  なお、上述した説明では、基本的に男性の人体モデルに基づき���明を行ったが、女性の人体モデルの場合、体幹部に乳房が存在することから、女性の体幹部に皮下脂肪に基づく脂肪モデルに関する処理が、上述した男性の人体モデルの場合と異なった内容を含むことになり、それ以外は、基本的に同様である。女性の脂肪モデルの体幹部における皮下脂肪に基づく乳房の扱い方に関する処理について、以下に説明する。【０２０２】  図２４は、人体モデルテーブル７０の中の女性用の脂肪モデル７６を示している。女性用の脂肪モデル７６も、図９に示す男性用の人体モデルと同様に、標準パターン７０ａに対応した標準の脂肪モデル７６ａ、第１パターン７０ｂに対応した第１の脂肪モデル７６ｂ、第２パターン７０ｃに対応した第２の脂肪モデル７６ｃが存在する。女性の体幹部には乳房が存在することから、これらの女性用の脂肪モデル７６（各パターンの脂肪モデル７６ａ〜７６ｃ）にも、皮下脂肪による乳房を形成したことが、男性の脂肪モデル７３に対して、主な形状的な相違点になっている。【０２０３】  体組成計１０で、女性の被験者を測定した場合、体幹部（胴体部）における脂肪の量（皮下脂肪の量）には、乳房の分も含まれるので、上述した男性と同様な処理を行うと、乳房の分の皮下脂肪が、体幹部に付着したものとみなされて、体幹部が実際の女性の被験者より太く形成されるという事態が生じる。このような事態の発生を回避するため、被験者が女性の場合、脂肪モデル７６の変形処理においては、女性特有の処理をＭＰＵ５０ａは行う。【０２０４】  図２５は、女性特有の処理を行うために参照する女性脂肪参照テーブル９０を示しており、このような女性脂肪参照テーブル９０も図７に示す人体モデル提供システム５０の記憶部５０ｇに記憶されることになる。女性脂肪参照テーブル９０の中のカップ値とは、三次元測定器２０の測定値（ＯＢＪデータ）から得られる胸囲と、アンダーバストとの寸法差を意味し、統計的による女性の胸囲の平均寸法は８１．３ｃｍ、アンダーバストの平均寸法は７０．４ｃｍであることから、カップ値の平均寸法は１０．９ｃｍとなる。本実施形態では、このカップ値の平均寸法１０．９ｃｍを利用することで、体幹部の脂肪の量について、乳房と、乳房以外の部分への配分を決定する。【０２０５】  具体的には、図２５の女性脂肪参照テーブル９０に示すように、測定結果に含まれる体幹部の内臓脂肪について判定されたレベル（「−４」〜「＋４」）について、判定レベルが「＋１」〜「＋４」の「プラスレベル」、判例レベルが「０」の「標準レベル」、判定レベルが「−１」〜「−４」の「マイナスレベル」の三種類のレベルに分ける（女性脂肪参照テーブル９０の左端の列を参照）。これらの三種類のレベルごとに、カップ値により、三つの分類に分けるようにしており、測定値により得られるカップ値が１０．９ｃｍ未満のときは「小」、カップ値が１０．９ｃｍ以上１７．５ｃｍ未満のときは「中」、カップ値が１７．５ｃｍ以上のときは「大」と分類する。【０２０６】  そして、被験者の体幹部の皮下脂肪に係る測定結果が、「プラスレベル」でカップ値が「小」であれば、ＭＰＵ５０ａは、女性脂肪参照テーブル９０に従い、脂肪モデル７６の体幹部については乳房以外の部分を太くする変形を行い、「プラスレベル」でカップ値が「中」であれば、体幹部を全体的に太くする変形を行い、「プラスレベル」でカップ値が「大」であれば、乳房のみを大きくする変形を行う。【０２０７】  また、被験者の体幹部の皮下脂肪に係る測定結果が、「標準レベル」でカップ値が「小」であれば、ＭＰＵ５０ａは、女性脂肪参照テーブル９０に従い、脂肪モデル７６の体幹部については、乳房を少し小さくする変形を行うと共に、乳房以外の部分を少し太くする変形を行い、「標準レベル」でカップ値が「中」であれば、特に変形処理を行わず、「標準レベル」でカップ値が「大」であれば、乳房を少し大きくする変形を行うと共に、乳房以外の部分を少し細くする変形を行う。【０２０８】  さらに、被験者の体幹部の皮下脂肪に係る測定結果が、「マイナスレベル」でカップ値が「小」であれば、ＭＰＵ５０ａは、女性脂肪参照テーブル９０に従い、脂肪モデル７６の体幹部については、乳房を小さくする変形を行うと共に、乳房以外の部分は特に変形を行わず、「マイナスレベル」でカップ値が「中」であれば、体幹部を全体的に細くする処理を行い、「マイナスレベル」でカップ値が「大」であれば、乳房を変形せずに、乳房以外の部分を細くする変形を行う。【０２０９】  なお、上述した「プラスレベル」、「標準レベル」、及び「マイナスレベル」において、乳房の変形を行う場合の変形率を求める計算式と、体幹部において乳房以外の部分を変形する場合の変形率を求める計算式も女性脂肪参照テーブル９０にて規定されている。例えば、「プラスレベル」では、乳房の変形率は数式Ａより算出し、乳房以外の体幹部の変形率は数式Ｅより算出する。数式Ａは（カップ値／１０．９）×（判定レベル値／４）×１００であり、数式Ｅは（１０．９／カップ値）×（判定レベル値／４）×１００である。【０２１０】  また、「標準レベル」のカップ値が「中」及び「大」では、乳房の変形率は数式Ｂより算出し、乳房以外の体幹部の変形率は数式Ｆより算出する。数式Ｂは（カップ値／１０．９）×０．１×１００であり、数式Ｆは２２７（元来のテクスチャ形成に係る値，アルファ値）×（１０．９／カップ値）である（小数以下四捨五入）。さらに、「標準レベル」のカップ値が「小」では、乳房の変形率は数式Ｃより算出し、乳房以外の体幹部の変形率は数式Ｇより算出する。数式Ｃは（１−（カップ値／１０．９））×０．１×１００であり、数式Ｇは（１０．９／カップ値）×０．１×１００である。【０２１１】  さらに、「マイナスレベル」では、乳房の変形率は数式Ｄより算出し、乳房以外の体幹部の変形率は数式Ｈより算出する。数式Ｄは（１０．９／カップ値）×（判定レベル値×（−１）／４）×１００であり、数式Ｈは２２７（元来のテクスチャ形成に係る値，アルファ値）×（１０．９／カップ値）×（１−（判定レベル値×（−１）／４）である（小数以下四捨五入）。なお、上述した女性脂肪参照テーブル９０の中身及び上述した数式Ａ〜Ｈの中身等は一例であり、システムの仕様、統計値の変化等に応じて、適宜、これらの中身を変更することは勿論、可能である。【０２１２】  以上のように、本発明に係る人体モデル提供システム５０では、被験者Ｈの測定結果に応じた形状の人体モデルを解剖的��確認可能に提供するので、筋肉の付き方、又は脂肪の付き方などを被験者が視覚的に確認でき、筋力トレーニング等による筋肉量の変化、またはダイエットエクササイズ等による脂肪量の低下を、詳細に把握でき、各種トレーニング、エクササイズ等を継続する意識付けを高めること等に役立てられる。【０２１３】  なお、本発明は、上述した実施形態に限定されるものではなく、様々な変形例が考えられる。例えば、判定レベルを示す「−４」〜「＋４」の値について、上述した説明では体組成計１０からの測定結果に基づき測定処理装置３０で求めるようにしていたが、体組成計１０自身でレベル判定を行えるようであれば、体組成計１０で判定レベルを求めるようにして、測定処理装置３０の処理負担を低減してもよい。さらに、レベル判定処理は、測定処理装置３０で行う替わりに、人体モデル提供システム５０で行うようにすることも可能であり、この場合は、測定処理装置３０は体組成計１０からの演算結果を、そのまま人体モデル提供システム５０へ送信し、人体モデル提供システム５０では、受け取った演算結果からレベル判定を行うことになる。【０２１４】  また、判定レベルの段階も「−４」〜「＋４」に限定されるものではなく、仕様を簡易化するときは「−３」〜「＋３」又は「−２」〜「＋２」のように段階を荒くしてもよく、一方、仕様を詳細化するときは、「−５」〜「＋５」又は「−６」〜「＋６」のように段階を細かくしてもよく、このように段階を変更するときは、変更した段階に応じて、筋肉モデル７２、脂肪モデル７３等を変形する段階も同様に、荒く又は細かくすることになる。【０２１５】  さらに、図１３に示すように相似的に拡大又は縮小するときの度合いは、身長に対する四肢の長さ寸法の比率（袖丈の比率、股下の比率）に応じて行うようにしたが、袖丈又は股下の比率は、身長に対する値ではなく、身長から顔の長さを除いた首下の関節から足までの長さに対する比率を用いるようにしてもよい。すなわち、人の顔の長さ（Ｙ軸方向に沿った寸法）は、統計的にバラツキがあるため、このようなバラツキのある部分（人の顔）を除外して、袖丈又は股下の比率を算出すると、体格的な状況を、より正確に表すことができるという点で好適となる。【０２１６】  また、上述した説明では、体組成計１０と、三次元測定器２０とを連携して同時的に測定を行うようにしたが、体組成計１０及び三次元測定器２０のそれぞれで単独で測定を行い、これらの測定結果を人体モデル提供システム５０へ送信する仕様にしてもよい。本発明において必要なことは、人体モデルの提供に必要な身体的な測定結果を人体モデル提供システム５０が取得することであり、必要な測定結果が得られるのであれば、被験者の測定の仕方は、どのような形態であっても良く、どのような測定器を用いても良い。【０２１７】  さらに、本発明のシステムをローカル的に構築する場合は、図１に示す測定処理装置３０に、人体モデル提供システム５０の機能を具備させて、測定処理装置３０で、上述した人体モデル提供システム５０の処理を行うようにしてもよい。【０２１８】  さらにまた、通信端末３での、人体モデルの表示の仕方の工夫としては、図１に示すような測定状態の被験者Ｈを撮像��、その撮像画像を、上述した人体モデルに重ねて表示することで、被験者Ｈの外観と、人体内部の解剖的な人体モデルとの関係をユーザに提示するようにしてもよい。この場合、被験者の撮像画像は、脂肪モデルの上に重ねるように表示して透過度を変化させて人体モデルを見せるようにすること、又は撮像画像を背景的に用いて、撮像画像の上に、骨格モデル７１、筋肉モデル７２、脂肪モデル７３を順次重ねて配置するようにしてもよい。【０２１９】  また、本発明の仕様を簡易化する例としては、骨格モデル７１、筋肉モデル７２、及び脂肪モデル７３には三次元的なモデルを用いるのでは無く、二次元的なモデルを用いて、表示角度の変更機能等を省略するようにしてもよい。このような二次元的なモデルを用いる場合は、レイヤー別に骨格を示す骨格モデル、筋肉を示す筋肉モデル、脂肪を示す脂肪モデルを準備しておき、骨格モデルに筋肉モデルをレイヤーで重ねることにより、骨格を筋肉で覆う状態のモデルを提示し、さらに、この状態のモデルに脂肪モデルをレイヤーで重ねることにより、筋肉を脂肪で覆う状態のモデルを提示する仕様にすることも可能である。さらには、脂肪の確認等が不要な用途の場合は、脂肪モデルを省略して、骨格モデル７１及び筋肉モデル７２で人体モデルを構成するようにしてもよい。【０２２０】  さらにまた、上述した説明では、全身の人体モデルを提供するようにしていたが、用途によっては全身の人体モデルの提供が不要であり、特定部位（左腕、右腕、左脚、右脚、又は体幹部のいずれか）についてのみ、解剖的な人体モデルの提供が必要であれば、必要な部位について、上述した処理を行って、必要な部位（例えば、左腕のみ）についての人体モデルを提供するような仕様にすることも可能である。なお、上述した各種変形例は適宜組み合わせることも可能である。
【実施例２】
【０２２１】  実施例２は、図２６〜２９に示すような画面（姿勢検証画面１００、１１０、１２０、１３０）をユーザに提示することで、レントゲン又はＭＲＩを用いた検証を行うことなく、三次元測定を行った人体（被験者）の骨格の状況を、三次元測定で得られた人体表面の複数の点の三次元座標値に基づき特定し、被験者の姿勢等を検証できるようにしたものである。実施例２のシステム構成（ハードウェア構成）は、実施例１で説明した健康管理システム１と同様なものにしており、この健康管理システム１に、骨格状況の特定、姿勢検証等の機能を含ませるようにしたことが特徴になっている。以下、実施例２について説明するが、実施例２において実施例１と同じものについては、基本的に実施例１と同じ符号を用いる。【０２２２】  健康管理システム１（図１、２参照）は、骨格特定システムを含むものになっており、具体的には三次元測定器２０で測定したことで得られる人体表面の複数の点が有する三次元座標値等の測定結果（ＯＢＪデータ等。なお、三次元測定を行ったユーザのユーザＩＤも含まれる）を、測定処理装置３０を介して取得する人体モデル提供システム５０が、骨格特定システムを兼ねたものになっている。そのため、人体モデル提供システム５０を構築するコンピュータ（例えば、サーバコンピュータ）が、実施例２の骨格特定システム５０′として機能する。【０２２３】  図３０は、実施例２の骨格特定システム５０′の主要な内部構成を示すブロック図である。上述したように、骨格特定システム５０′は、実施例１の人体モデル提供システム５０に対応しており、それゆえ内部構成としては人体モデル提供システム５０（図７参照）と同様な内部構成になっている。【０２２４】  すなわち、実施例２においても、実施例１と同様、骨格特定システム５０′は一般的なコンピュータ（例えば、サーバコンピュータ）で構築されるが、複数のサーバコンピュータ及びデータベース装置等を組み合わせてシステムを構築することも可能である。骨格特定システム５０′は、図７の人体モデル提供システム５０と同様に、ＭＰＵ５０ａ′、通信モジュール５０ｂ′、ＲＡＭ５０ｃ′、ＲＯＭ５０ｄ′、入力インタフェース５０ｅ′、出力インタフェース５０ｆ′、及び記憶部５０ｇ′等を、内部接続線５０ｈ′で接続した構成になっており、記憶部５０ｇ′に記憶されるものについては、実施例１と異なる点がある。【０２２５】  記憶部５０ｇ′は、会員データベース６０、サーバプログラムＰ１０、モデル変形プログラムＰ１１０、人体モデルテーブル７０、ポイントテーブル８００、モデル数値テーブル８５、判定テーブル９５、及び分析テーブル９６等を記憶する。モデル変形プログラムＰ１１０については、実施例１のモデル変形プログラムＰ１１に対して、実施例２に応じた骨格特定に関する処理等が追加されたものになっている（詳細は後述）。【０２２６】  記憶部５０ｇ′に記憶される中で、会員データベース６０、サーバプログラムＰ１０、人体モデルテーブル７０、モデル数値テーブル８５等は実施例１と基本的に同様であるが、人体モデルテーブル７０（図９参照）に含まれる変形可能な骨格モデル７１ａ〜７１ｃについては、代表的な変形基点Ｐ１〜Ｐ１４等を含むことに加えて、姿勢検証に用いるための三次元座標を有する対象点を含むものになっている。【０２２７】  図３１は、姿勢検証のために用いる対象点の一例を表した骨格モデル７１ａの一部（足部分）を示している。実施例２の骨格モデル７１ａは、対象点として左右の大腿骨大転子に応じた点Ｐ１００、１０１（Daitehshi_L、Daitehshi_R）、左右の膝頭に応じた点Ｐ１０２、１０３（Hizagashira_L、Hizagashira_R）、左右の脛骨下の足首に応じた点Ｐ１０４、１０５（Ashikubi_L、Ashikubi_R）を含む。これらの各点Ｐ１００〜１０５（対象点）は、骨を動かす際の関節の中心点（支点）になるような点であり、変形基点Ｐ１〜Ｐ１４等とは異なる特性を有し、姿勢検証のため骨格モデル７１ａに予め埋め込んでおく点となる。【０２２８】  各点Ｐ１００〜１０５が有するＸ、Ｙ、Ｚ座標値の一例を示すと、左の大腿骨大転子（Daitehshi_L）の点Ｐ１００は、（Ｘ、Ｙ、Ｚ）＝（１４０．５，８２７．８、−６．３）であり、右の大腿骨大転子（Daitehshi_R）の点Ｐ１０１は、（Ｘ、Ｙ、Ｚ）＝（−１４０．５，８２７．８、−６．３）であり、左の膝頭（Hizagashira_L）の点Ｐ１０２は、（Ｘ、Ｙ、Ｚ）＝（８２．５，４４０．１、−５．８）であり、右の膝頭（Hizagashira_R）の点Ｐ１０３は、（Ｘ、Ｙ、Ｚ）＝（−８２．５，４４０．１、−５．８）であり、左の足首（Ashikubi_L）の点Ｐ１０４は、（Ｘ、Ｙ、Ｚ）＝（７１．６，８０．８、７６．３）であり、右の足首（Ashikubi_R）の点Ｐ１０５は、（Ｘ、Ｙ、Ｚ）＝（−７１．６，８０．８、７６．３）である。なお、上記の座標値の原点は、左右足の中間点である。【０２２９】  上述した各点Ｐ１００〜１０５は、骨格モデル７１ａが実施例１で説明したように変形すると、それに追従して位置が変わり、位置が変わることで、上述した各点Ｐ１００〜１０５のＸ、Ｙ、Ｚの座標値も変わる。このように骨格モデル７１ａの変形に追従して変わった各点Ｐ１００〜１０５のＸ、Ｙ、Ｚの座標値が、三次元測定の対象となった被験者の人体における左右の大腿骨大転子、膝頭、脛骨下の足首に応じた点の位置を表すことになり、これらの点の位置から、後述するように、足がＯ脚又はＸ脚であるか、左右の寛骨の前傾又は後傾等を検証できるようになる。また、実施例２の骨格モデル７１ａは、骨盤角度（腰仙角又は仙骨傾斜角）、腰椎前弯角度、胸椎後弯角度、及び頸椎前弯角度を構成する各角度線も含んでいる。【０２３０】  図３２は、骨格モデル７１ａが有する上述した各角度を構成する各線Ｌ１００〜Ｌ１０７を示している。骨盤角度（腰仙角又は仙骨角度）は線Ｌ１００及び骨盤角度線Ｌ１０１に応じた角度であり、これらの線Ｌ１００、１０１が交わる角度を意味する。線Ｌ１００はＺ軸に平行な線であり、骨盤角度線Ｌ１０１は、仙骨の上面（後述のhipsに係る骨格箇所に相当）に平行な線になっており、骨格モデル７１ａのＸＹＺ座標系での骨盤角度線Ｌ１０１を表す数式（骨盤角度線Ｌ１０１の傾き等を示す数式）が予め定められている（他の角度線も同様）。骨格モデル７１ａが変形すると、骨盤角度線Ｌ１０１の傾きも変わり、その変わった傾きを骨格角度線Ｌ１０１の数式に反映することで、変形後の骨格モデル７１ａの骨盤角度線Ｌ１０１の数式も求められるようになる（��の角度線Ｌ１０２〜１０７も同様）。【０２３１】  腰椎前弯角度は第１前弯線Ｌ１０２及び第２前弯線Ｌ１０３に応じた角度であり、これらの線Ｌ１０２、１０３が交わる角度を意味する。第１前弯線Ｌ１０２は計５個の腰椎の中で最も下方の第５腰椎の接合面（上面又は下面、後述のspineに係る骨格箇所に相当）に平行な線であり、第２前弯線Ｌ１０３は計５個の腰椎の中で最も上方の第１腰椎の接合面（上面又は下面、後述のspine2に係る下方の骨格箇所に相当）に平行な線である。【０２３２】  また、胸椎後弯角度は、第１後弯線Ｌ１０４及び第２後弯線Ｌ１０５に応じた角度であり、これらの線Ｌ１０４、１０５が交わる角度を意味する。第１後弯線Ｌ１０４は、計１２個の胸椎の中で最も下方の第１２胸椎の接合面（上面又は下面、後述のspine2に係る上方の骨格箇所に相当）に平行な線であり、第２後弯線Ｌ１０５は、計１２個の胸椎の中で最も上方の第１胸椎の接合面（上面又は下面、後述のspine3に係る骨格箇所に相当）に平行な線である。【０２３３】  さらに、頸椎前弯角度は、第１頸椎前弯線Ｌ１０６及び第２頸椎前弯線Ｌ１０７に応じた角度であり、これらの線Ｌ１０６、１０７が交わる角度を意味する。第１頸椎前弯線Ｌ１０６は、計７個の頸椎の中で最も下方の第７頸椎の接合面（上面又は下面、後述のneck_1に係る骨格箇所に相当）に平行な線であり、第２頸椎前弯線Ｌ１０７は、計７個の頸椎の中で最も上方の第１頸椎の接合面（上面又は下面、後述のneck_3に係る骨格箇所に相当）に平行な線である。【０２３４】  なお、上記の説明では、標準型の骨格モデル７１ａで説明したが、四肢の寸法（手足の寸法）を標準型に比べて約９５％短くした第１パターンの骨格モデル７１ｂ、及び四肢の寸法（手足の寸法）を標準型に比べて約１０５％長くした第２パターンの骨格モデル７１ｃについても同様に、上記のような変形基点Ｐ１〜Ｐ１４等、各点Ｐ１００〜１０５等、及び各角度線Ｌ１０１〜Ｌ１０７等を含むものになっている。【０２３５】  また、図３０の記憶部５０ｇ′に記憶されるポイントテーブル８００は、実施例１のポイントテーブル８０（図１５参照）と内容が一部異なったものになっており、また、判定テーブル９５、及び分析テーブル９６等は、実施例２で新たに記憶されたテーブルになっている。【０２３６】  図３３及び３４は、実施例２のポイントテーブル８００を示している（テーブルの中身が長いので、図３３及び３４の二つの図に分けて示す）。実施例２のポイントテーブル８００は基本的に実施例１のポイントテーブル８０（図１５参照）と同様に、三次元測定で得られた人体表面の複数の点の中で、特定の人体箇所（骨格箇所）における骨格ポイント（骨格箇所における点）に対応する三次元測定で得られた人体表面の点を、骨格ポイントごとに示すものになっている。なお、三次元測定で得られた人体表面の点は、三次元座標系に基づいた三次元座標値をそれぞれ有する。このような三次元座標系は、実施例１と同様であり、測定対象となる被験者Ｈの人体の幅方向（Ｘ軸座標に応じた方向）、人体の高さ方向（Ｙ軸座標に応じた方向）、及び人体の厚み方向（Ｚ軸座標に応じた方向）で構成される（図１参照）。また、ポイントテーブル８００に含まれる各骨格ポイントは実施例１で説明したように、上述した骨格モデル７１ａ〜７１ｃが有する変形基点Ｐ１〜Ｐ１４等と対応するものになっている。【０２３７】  ポイントテーブル８００が実施例１のポイントテーブル８０と異なる内容としては、骨格の状況を細かく検証できるようにするため、特定の人体箇所（骨格ポイント）の数を増やしていると共に、姿勢検証用に耳たぶ及び肩峰等の人体箇所も含ませており、さらに、備考欄を設けて、Ｘ、Ｙ、Ｚ座標値の特定（算出）の仕方等を記し、各骨格ポイントの特性に応じて座標値を求められるようにしている。また、実施例２では、各処理で骨格ポイントを区別できるようにするため、各骨格ポイントについての名称（ボーン名と称す）も規定している。【０２３８】  図３５は、ボーン名に応じた各骨格ポイント（ボーンに相当）の位置関係を概念的に示したボーンモデル８１０を示す。このボーンモデル８１０に基づき、骨格ポイントについて、ボーン名と人体の骨格における位置関係を説明すると、ボーンモデル８１０は、頭部頂点についてボーン名をheadにしており、首上部（上方首骨ポイントに相当）をneck_3、首中部をneck_2、首下部（首骨ポイントに相当）をneck_1にして首（頸椎）を構成する。首上部（neck_3）は、図３２に示す頸椎前弯角度に応じた第２頸椎前弯線Ｌ１０７に係る骨格箇所に相当し、首下部（neck_1）は、頸椎前弯角度に応じた第１頸椎前弯線Ｌ１０６に係る骨格箇所に相当する。【０２３９】  また、ボーンモデル８１０は、右鎖骨をRightShoulder、左鎖骨をLeftShoulder、右肩をRightArm、左肩をLeftArm、右肘をRightForeArm、左肘をLeftForeArm、右手首をRightHand_1、左手首をLeftHand_1、右手先端（中指第三関節）をRightHand_2、左手先端首（中指第三関節）をLeftHand_2にして、鎖骨から肩及び腕を経て手の先端までを構成する。【０２４０】  さらに、ボーンモデル８１０は、左右肩甲骨の中心となる位置の背骨上部（第３背骨ポイントに相当）をspine2、胸骨下位置の背骨中部（第２背骨ポイントに相当）をspine1、ウエストの中心位置となる背骨下部（第１背骨ポイントに相当）をspine、骨盤中心（骨盤ポイントに相当）をhips、右股関節をRightUpLeg、左股関節をLeftUpLegとして、背骨及び骨盤等を構成する。なお、骨盤中心（hips）は、図３２に示す腰仙角に応じた骨盤角度線Ｌ１０１に係る骨格箇所に相当し、全ての骨格ポイント（ボーンに相当）の親（中心、原点）の箇所になる。【０２４１】  また、背骨下部（spine、第１背骨ポイントに相当）は、図３２に示す腰椎前弯角度に応じた第１前弯線Ｌ１０２に関連した骨格箇所（ウエストの中心箇所）に相当し、背骨中部（spine1、第２背骨ポイントに相当）は、図３２に示す腰椎前弯角度に応じた第２前弯線Ｌ１０３及び胸椎後弯角度に応じた第１後弯線Ｌ１０４に関連した骨格箇所（胸骨下位置の箇所）に相当する。さらに、背骨上部（spine2、第３背骨ポイントに相当）は、図３２に示す胸椎後弯角度に応じた第２後弯線Ｌ１０５に係る骨格箇所（肩甲骨の中心の箇所）に相当する。【０２４２】  そして、ボーンモデル８１０は、右膝をRightLeg、左膝をLeftLeg、右足首をRightFoot、左足首をLeftFoot、右脚先端をRightTooBase_1、左脚先端をLeftTooBase_1として、足部分を構成する。【０２４３】  上述したボーンモデル８１０の各骨格ポイントについて、図３３、３４のポイントテーブル８００は、三次元測定器２０で測定したことで得られる人体表面の点と対応することを、骨格ポイントごとに示している。なお、図３３、３４のポイントテーブル８００が含む各骨格ポイントとしては、図１５のポイントテーブル８０の場合と同様、皮膚の上からでも骨張った箇所（筋肉及び脂肪が基本的に覆わないで、皮膚が骨を覆うような箇所）が基本的に選ばれている。以下に、ポイントテーブル８００に含まれる各骨格ポイントに対応する三次元測定点、及び各座標値の算出の仕方（特定の仕方）について、代表的な骨格ポイントを例にして具体的に説明する。【０２４４】  ポイントテーブル８００は、骨格ポイントとして、首上部（neck_3、上方首骨ポイントに相当）及び首中部（neck_2）のＸ、Ｙ、Ｚ座標を、人体の左右側の点の各Ｘ、Ｙ、Ｚ座標の平均値（左右の点の中心となる点の座標値）にすることを備考欄で示している。すなわち、首中部（neck_2）より上方に位置する首上部（neck_3）には、三次元測定で得られた複数の点の中の人体左側の４６９２番目となる点、及び人体右側の２５６０番目の点が対応することが、ポイントテーブル８００で示されることから、備考欄の記載された算出方法より、４６９２番目の点のＸ座標値及び２５６０番目の点のＸ座標値の平均値が首上部（neck_3）のＸ座標値として算出され、４６９２番目の点のＹ座標値及び２５６０番目の点のＹ座標値の平均値が首上部（neck_3）のＹ座標値として算出され、４６９２番目の点のＺ座標値及び２５６０番目の点のＺ座標値の平均値が首上部（neck_3）のＺ座標値として算出される。【０２４５】  首中部（neck_2）についても、上述した首上部（neck_3）のＸ、Ｙ、Ｚ座標値の算出の仕方と同様であることがポイントテーブル８００の備考欄で示されており、ポイントテーブル８００で首中部（neck_2）に対応付けられる人体左側の１９７１７番目となる点のＸ座標値及び人体右側の１１３００番目の点のＸ座標値の平均値が首中部（neck_2）のＸ座標値として算出され、人体左側の１９７１７番目となる点のＹ座標値及び人体右側の１１３００番目の点のＹ座標値の平均値が首中部（neck_2）のＹ座標値として算出され、人体左側の１９７１７番目となる点のＺ座標値及び人体右側の１１３００番目の点のＺ座標値の平均値が首中部（neck_2）のＺ座標値として算出される。【０２４６】  一方、首上部（neck_3）及び首中部（neck_2）より下方に位置する首下部（neck_1、首骨ポイントに相当）は、人体を正面から見た場合、顎部分に覆われずに、三次元測定により前方から直接的にスキャンできることから、ポイントテーブル８００の備考欄には、人体の前後側の点の各Ｘ、Ｙ、Ｚ座標の平均値（前後の点の中心となる点の座標値）になることが算出法として示されている。すなわちポイントテーブル８００には、三次元測定で得られた複数の点の中の人体前側の３５７０番目の点、及び人体後側の９２４番目の点が首下部（neck_1）に対応することが示されるので、３５７０番目の点のＸ座標値及び９２４番目の点のＸ座標値の平均値が首下部（neck_1）のＸ座標値として算出され、３５７０番目の点のＹ座標値及び９２４番目の点のＹ座標値の平均値が首下部（neck_1）のＹ座標値として算出され、３５７０番目の点のＺ座標値及び９２４番目の点のＺ座標値の平均値が首下部（neck_1）のＺ座標値として算出される。なお、このような算出の仕方で得られる首下部（neck_1）のＺ座標値は、３５７０番目の点のＺ座標値及び９２４番目の点のＺ座標値の間を１対１の特定の比率で分ける点の座標値であると云うこともできる（他の骨格ポイントのＺ座標値を算出する場合も同様）。【０２４７】  さらに、ポイントテーブル８００は、右鎖骨（RightShoulder）及び左鎖骨（LeftShoulder）のＸ、Ｙ、Ｚ座標は、人体前側の点、上側の点の座標値から特定されることを備考欄で示している。すなわち、右鎖骨（RightShoulder）には、三次元測定で得られた複数の点の中の人体前側の２９９８番目の点、及び人体上側の７７６番目の点が対応することが、ポイントテーブル８００で示されることから、備考欄の記載された座標値の特定の仕方より、２９８８番目の点のＸ、Ｙ座標値が右鎖骨（RightShoulder）のＸ、Ｙ座標値として特定され、人体前側の２９９８番目のＺ座標値及び７７６番目のＺ座標値の平均値が右鎖骨（RightShoulder）のＺ座標値として特定される。このような特定の仕方は、左鎖骨（LeftShoulder）でも同様である。【０２４８】  そして、右肩（RightArm）及び左肩（LeftArm）については、基本的に上述した首下部（neck_1）と同様の座標値の求め方を、ポイントテーブル８００は規定するが、男女間で肩幅は大きくなることを考慮して、被験者の性別ごとに対応する点を相違させている。すなわち、ポイントテーブル８００は、右肩（RightArm）に対応する三次元測定で得られた人体表面の点として、男性の場合、人体前側の８０１７番目の点及び人体後側の３４４８番目の点を示し、女性の場合、人体前側の２０５５番目の点及び人体後側の１４８２９番目の点を示し、左肩（LeftArm）に対応する三次元測定で得られた人体表面の点として、男性の場合、人体前側の１６４１９番目の点及び人体後側の５５７５番目の点を示し、女性の場合、人体前側の４１８９番目の点及び人体後側の２３２３７番目の点を示す。【０２４９】  また、ポイントテーブル８００は、背骨上部（spine2）、背骨中部（spine1）、及び背骨下部（spine）に対応する三次元測定で得られた人体表面の点として、上述した首下部（neck_1）の場合と同様に、人体の前後側の点を示し、また、備考欄において座標値の算出の仕方もＸ、Ｙ座標値については上述した首下部（neck_1）の場合と同様にしているが、Ｚ座標値については、人体の前後の点の間を特定の比率で分けた点の座標値を算出することを示す。なお、背骨上部（spine2）、背骨中部（spine1）、及び背骨下部（spine）は、それぞれ背骨ポイントに相当する。【０２５０】  背骨上部（spine2）に対応する三次元測定で得られた点として、ポイントテーブル８００には、人体前側の３２０２番目の点、及び人体後側の８０１０番目の点が示されるので、３２０３番目の点のＸ座標値及び８０１０番目の点のＸ座標値の平均値（Ｘ座標において両方の点の間の中心となる点の座標値）が、背骨上部（spine2）のＸ座標値として算出され、３２０３番目の点のＹ座標値及び８０１０番目の点のＹ座標値の平均値（Ｙ座標において両方の点の間の中心となる点の座標値）が、背骨上部（spine2）のＹ座標値として算出される。さらに、Ｚ座標値についてポイ��トテーブル８００は、備考欄にて、人体前側の３２０２番目の点、及び人体後側の８０１０番目の点の間を６：４の比率で分ける点を、背骨上部（spine2）のＺ座標値として算出されることを示している。このようにＺ座標値においては、平均値ではなく、６：４に比率で分ける点の座標値を用いるのは、実体の人体において、左右肩甲骨の中心となる辺りの背骨は、人体の厚み方向で、人体前側の表面と人体後側の表面の間を、前側表面から後側表面へ６：４の割合で分けた背中寄りの箇所に位置するからである。【０２５１】  また、背骨中部（spine1）に対応する三次元測定で得られた点として、ポイントテーブル８００には、人体前側の２６１４１番目の点、及び人体後側の２６３５８番目の点が示されるので、２６１４１番目の点のＸ座標値及び人体後側の２６３５８番目の点のＸ座標値の平均値（Ｘ座標において両方の点の間の中心となる点の座標値）が、背骨中部（spine1）のＸ座標値として算出され、２６１４１番目の点のＹ座標値及び人体後側の２６３５８番目の点のＹ座標値の平均値（Ｙ座標において両方の点の間の中心となる点の座標値）が、背骨上部（spine1）のＹ座標値として算出される。さらに、Ｚ座標値についてポイントテーブル８００は、備考欄にて、人体前側の２６１４１番目の点、及び人体後側の２６３５８番目の点の間を７：３の比率で分ける点を、背骨中部（spine1）のＺ座標値として算出されることを示している。このようにＺ座標値においては、７：３に比率で分ける点の座標値を用いるのは、実体の人体において、胸骨下位置の背骨は、人体前側の表面と人体後側の表面の間を、前側表面から後側表面へ７：３の割合で分けた箇所に存在するからである。【０２５２】  さらに、背骨下部（spine）に対応する三次元測定で得られた点として、ポイントテーブル８００には、人体前側の２６２５９番目の点、及び人体後側の１１８６０番目の点が示されるので、２６２５９番目の点のＸ座標値及び１１８６０番目の点のＸ座標値の平均値（Ｘ座標において両方の点の間の中心となる点の座標値）が、背骨下部（spine）のＸ座標値として算出され、２６２５９番目の点のＹ座標値及び１１８６０番目の点のＹ座標値の平均値（Ｙ座標において両方の点の間の中心となる点の座標値）が、背骨下部（spine）のＹ座標値として算出される。さらに、Ｚ座標値についてポイントテーブル８００は、備考欄にて、人体前側の２６２５９番目の点、及び人体後側の１１８６０番目の点の間を６：４の比率で分ける点を、背骨下部（spine）のＺ座標値として算出されることを示している。このようにＺ座標値においては、６：４に比率で分ける点の座標値を用いるのは、実体の人体において、ウエストの中心位置となる辺りの背骨は、人体の厚み方向で、人体前側の表面と人体後側の表面の間を、前側表面から後側表面へ６：４の割合で分けた背中寄りの箇所に位置するからである。【０２５３】  以上のように、背骨上部（spine2）、背骨中部（spine1）、及び背骨下部（spine）については、実際の人体における背骨が、人体の厚み方向（Ｚ座標方向）で人体内部の一様な箇所に位置しないことを考慮して、上述した比率で分けることから、実際の人体内における背骨の位置を骨格の特定の処理の際に反映できる。【０���５４】  また、全ボーンの親となる骨盤中心（hips、骨盤ポイントに相当）について、ポイントテーブル８００は、上述した首下部（neck_1）の場合と同様に、対応する点として人体の前後の点（人体前側の６６０２番目の点及び人体後側の２６１４８番目の点）を示すと共に、備考欄における座標値の算出の仕方も、上述した首下部（neck_1）の場合と同様に、人体の前後の点の各Ｘ、Ｙ、Ｚ座標値の平均の座標値にしている。【０２５５】  なお、ポイントテーブル８００は、姿勢検証等を確実に行えるようにするため、骨格ポイント（変形基点）以外の箇所についても、三次元測定で得られた複数の点の中の対応する点を示している。具体例としてポイントテーブル８００は、右耳たぶに対応する三次元測定点として１５６４５番目の点を一つだけ示し、左耳たぶに対応する三次元測定点として２４０４４番目の点を一つだけ示し、右肩峰に対応する三次元測定点として１１２３２番目の点を一つだけ示し、左肩峰に対応する三次元測定点として１９６４５番目の点を一つだけ示す。【０２５６】  また、ポイントテーブル８００は、骨格ポイントである頭部頂点（head）に対応する三次元測定点として３２２５番目の点を一つだけ示す。また、このような対応点が一つだけの骨格ポイントとしては、右骨盤（RightDownScale2）及び左骨盤（LeftDownScale2）があり、ポイントテーブル８００は、右骨盤（RightDownScale2）に対応する三次元測定点として１４３８６番目の点を示し、左骨盤（LeftDownScale2）に対応する三次元測定点として２２７９８番目の点を示す。【０２５７】  図３６、３７は、図３０の記憶部５０ｇ′に記憶される判定テーブル９５の中身の概要を示す（テーブルの中身が長いので、図３６及び３７の二つの図に分けて示す）。判定テーブル９５は骨格ポイントの三次元座標値及び骨格モデルの対象点（Ｐ１〜Ｐ５）の三次元座標値等から、各骨格箇所の状況ついて異常の有無を判定する内容を規定したものになっている。【０２５８】  図３６に示す判定テーブル９５の中身は、人体を前の方向から見た場合の姿勢検証項目（検証箇所）について規定したものになっており、検証箇所としては「１：重心Ｙ軸ラインと頭頂部との乖離」、「２：大腿骨大転子から膝頭までの両足間の差」、「３：膝頭から足首までの高さの両足間の差」、「４：左右肩峰の高さの差」、「５：左右骨盤の高さの差」、及び「６：膝関節の外反角度」という項目がある。【０２５９】  「１：重心Ｙ軸ラインと頭頂部との乖離」とは、体全体の左右の傾斜度合を検出するものであり、ＸＹ座標系で構成される二次元平面において、ポイントテーブル８００に含まれる頭部頂点（head）のＸ座標値と重心Ｙ軸ラインのＸ座標値との差（ｃｍ）を算出するものとなっている。重心Ｙ軸ラインとは、ポイントテーブル８００が含む骨盤中心（hips）に係る骨格ポイントを通ってＹ座標の軸（Ｙ軸）に平行な線である。また、客観的な検証を行うための閾値も、判定テーブル９５は規定しており、被験者の身長（ｃｍ）に対する算出した差（ｃｍ）の割合（％）の数値に対し、１．７を閾値にしている。上記の差の割合がプラスマイナス１．７の範囲内であれば正常であり、１．７を超えるとき（プラス）は体全体が左に傾斜、上記の差の割合が−１．７を下��るとき（マイナス）は体全体が右に傾斜であると判定する旨を判定テーブル９５は規定する。【０２６０】  「２：大腿骨大転子から膝頭までの両足間の差」とは、図３１の骨格モデル７１ａで示した左の大腿骨大転子に応じた点Ｐ１００（Daitehshi_L）と、左膝頭に応じた点Ｐ１０２（Hizagashira_L）を結ぶ線（左の大腿骨線と称す）の長さ（ｃｍ）と、右の大腿骨大転子に応じた点Ｐ１０１（Daitehshi_R）と、右膝頭に応じた点Ｐ１０３（Hizagashira_R）を結ぶ線（右の大腿骨線と称す）の長さ（ｃｍ）との差を意味する。【０２６１】  左の大腿骨線は、変形した後の骨格モデルに含まれる左の大腿骨大転子に応じた点Ｐ１００（Daitehshi_L）のＸ、Ｙ、Ｚ座標値、及び左膝頭に応じた点Ｐ１０２（Hizagashira_L）のＸ、Ｙ、Ｚ座標値に基づき、両方の点Ｐ１００、１０２を結ぶ線として特定され、それに伴い、左の大腿骨線の長さ（ｃｍ）も、両方の点Ｐ１００、１０２のＸ、Ｙ、Ｚ座標値に基づいて三次元的に算出される。【０２６２】  右の大腿骨線は、上述した左の大腿骨線と同様に、右の大腿骨大転子に応じた点Ｐ１０１（Daitehshi_R）のＸ、Ｙ、Ｚ座標値、及び右膝頭に応じた点Ｐ１０３（Hizagashira_R）のＸ、Ｙ、Ｚ座標値に基づき、両方の点Ｐ１０１、１０３を結ぶ線として特定され、それに伴い、右の大腿骨線の長さ（ｃｍ）も、両方の点Ｐ１０１、１０３のＸ、Ｙ、Ｚ座標値に基づいて三次元的に算出される。【０２６３】  そして、算出した右の大腿骨線の長さから、算出した左の大腿骨線の長さを引いた両者の差（ｃｍ）を算出することになる。また、この算出した差に基づき客観的な検証を行うための閾値も、判定テーブル９５は規定しており、上述した「１：重心Ｙ軸ラインと頭頂部との乖離」の場合と同様、被験者の身長に対する算出した差の割合（％）の数値に対し、１．７を閾値にしている。上記の差の割合がプラスマイナス１．７の範囲内であれば正常であり、１．７を超えるとき（正のとき）は、右の寛骨（骨盤の右の壁を形成する骨）が前傾、又は左の寛骨（骨盤の右の壁を形成する骨）が後傾（若しくは、右の寛骨前傾及び左の寛骨後傾の両方）であると判定テーブル９５は規定し、上記の差の割合が−１．７を下回るとき（負のとき）は、左の寛骨が前傾、又は右の寛骨が後傾（若しくは、左の寛骨前傾及び右の寛骨後傾の両方）であると判定する旨を判定テーブル９５は規定する。なお、上記では、右の大腿骨背の長さから左の大腿骨線の長さを引いて、左の寛骨の前傾又は右の寛骨の後傾を判定するようにしているが、算出の仕方を逆にして、左の大腿骨背の長さから右の大腿骨線の長さを引いて、左の寛骨の後傾又は右の寛骨の前傾を判定するように判定テーブル９５が規定することも勿論可能である（判定テーブル９５において、左右の長さ、角度について判定する他の箇所についても同様に可能）。【０２６４】  「３：膝頭から足首までの高さの両足間の差」とは、図３１の骨格モデル７１ａで示した左膝頭に応じた点Ｐ１０２（Hizagashira_L）と、左の脛骨下の足首に応じた点Ｐ１０４（Ashikubi_L）を結ぶ線（左の脛骨線と称す）の長さ（ｃｍ）と、右膝頭に応じた点Ｐ１０３（Hizagashira_R）と、右の脛骨下の足首に応じた点Ｐ１０５（Ashikubi_R）とを結ぶ線（右の脛骨線と称す）の長さ（ｃｍ）との差を意味する。【０２６５】  左の脛骨線は、上述した左の大腿骨線と同様に、変形後の骨格モデルに含まれる左膝頭に応じた点Ｐ１０２（Hizagashira_L）及び左の脛骨下の足首に応じた点Ｐ１０４（Ashikubi_L）のそれぞれのＸ、Ｙ、Ｚ座標値に基づき、両方の点Ｐ１０２、１０４を結ぶ線として特定されると共に、左の脛骨線の長さ（ｃｍ）も、両方の点Ｐ１０２、１０４のＸ、Ｙ、Ｚ座標値に基づいて三次元的に算出される。右の脛骨線も、変形後の骨格モデルに含まれる右膝頭に応じた点Ｐ１０３（Hizagashira_R）及び右の脛骨下の足首に応じた点Ｐ１０５（Ashikubi_R）のそれぞれのＸ、Ｙ、Ｚ座標値に基づき、両方の点Ｐ１０３、１０５を結ぶ線として特定されると共に、右の脛骨線の長さ（ｃｍ）も、両方の点Ｐ１０３、１０５のＸ、Ｙ、Ｚ座標値に基づいて三次元的に算出される。【０２６６】  そして、算出した右の脛骨線の長さから、算出した左の脛骨線の長さを引いた両者の差（ｃｍ）を算出することになる。また、この算出した差に基づき客観的な検証を行うための閾値も、判定テーブル９５は規定しており、被験者の身長に対する算出した差の割合（％）の数値に対し、１．１を閾値にしている。【０２６７】  「４：左右肩峰の高さの差」とは、左右の肩の傾斜具合を検出するものであり、ＸＹ座標系で構成される二次元平面において、ポイントテーブル８００に含まれる右肩峰のＹ座標値から左肩峰のＹ座標値を減算した算出値（ｃｍ）を意味する。この算出値について閾値に関し、判定テーブル９５は、被験者の身長（ｃｍ）に対する算出値（ｃｍ）の割合（％）の数値に対し、１．１を閾値にしている。この閾値に対して、上記の算出値の割合がプラスマイナス１．１の範囲内であれば正常であり、１．１を超えるプラスのときは肩が左に傾斜、上記の算出値の割合が１．１を下回るマイナスのときは肩が右に傾斜であると判定する旨を判定テーブル９５は規定する。【０２６８】  「５：左右骨盤の高さの差」とは、骨盤における左右の傾斜具合を検出するものであり、ＸＹ座標系で構成される二次元平面において、ポイントテーブル８００に含まれる右骨盤（RightDownScale2）のＹ座標値から左骨盤（LeftDownScale2）のＹ座標値を減算した算出値（ｃｍ）を意味する。この算出値について閾値に関し、判定テーブル９５は、上述した「４：左右肩峰の高さの差」の場合と同様に、被験者の身長（ｃｍ）に対する算出値（ｃｍ）の割合（％）に対し、１．１という数値を閾値に用いている。この閾値に対して、上記の算出値の割合がプラスマイナス１．１の範囲内であれば正常であり、１．１を超えるプラスのときは骨盤が左に傾斜、上記の算出値の割合が１．１を下回るマイナスのときは骨盤が右に傾斜であると判定する旨を判定テーブル９５は規定する。【０２６９】  「６：膝関節の外反角度」とは、図３８に示すように、上記の「２：大腿骨大転子から膝頭までの両足間の差」で特定した左の大腿骨線（又は、右の大腿骨線）と、上記の「３：膝頭から足首までの高さの両足間の差」で特定した左の脛骨線（又は、右の脛骨線）とが交わる角度を意味する。この角度は、ＸＹ座標系で構成される二次元平面において、二つの線の交差する箇所における体の外側の角度として特定（算出）される。なお、この角度��大腿脛骨角ＦＴＡ（Femorotibial angle）と称されており、正常範囲は１７４〜１７８度とされている。判定テーブル９５は、閾値として１７０度及び１８０度の二つの角度を規定しており、１７０度から１８０度の範囲内であれば正常であり、算出された角度が１７０度以下の場合はＸ脚（外反膝）、１８０度以上の場合はＯ脚（内反膝）と判定する旨を規定する。【０２７０】  図３７に示す判定テーブル９５の中身は、人体を横の方向から見た場合、上から見下ろした場合、及び下から見上げた場合の姿勢検証項目（検証箇所）について規定したものになっている。横の方向から見た場合の検証箇所としては「１：重心Ｙ軸ラインと耳の乖離」、「２：重心Ｙ軸ラインと膝の乖離」、「３：骨盤の前後傾斜角度」、「４：胸椎箇所の背骨角度」、「５：腰椎箇所の背骨角度」、及び「６：首の湾曲角度」という項目がある。また、上から見下ろした場合の検証箇所としては「１：左右の鎖骨角度の差」、「２：首の左右回転角度」という項目があり、下から見上げた場合の検証箇所としては「１：腰に対する肩の角度」、「２：膝頭の前後差」という項目がある。【０２７１】  横の方向から見た場合の「１：重心Ｙ軸ラインと耳の乖離」とは、人体の姿勢の前後の傾斜度合を検出するものであり、ＹＺ座標系で構成される二次元平面において、ポイントテーブル８００に含まれる耳たぶ（右の横方向からみた場合は右耳たぶ、左の横方向からみた場合は左耳たぶ）のＺ座標値と重心Ｙ軸ラインのＺ座標値との差（ｃｍ）を算出するものとなっている。また、この算出した差に基づく検証のため、判定テーブル９５は、被験者の身長（ｃｍ）に対する算出した差（ｃｍ）の割合（％）の数値に対し、２．３を閾値にしている。この閾値に対して、上記の差の割合がプラスマイナス２．３の範囲内であれば正常であり、２．３を上回ってプラスのときは姿勢が前傾、２．３を下回ってマイナスのときは姿勢が後傾であると判定する旨を判定テーブル９５は規定する。【０２７２】  横の方向から見た場合の「２：重心Ｙ軸ラインと膝の乖離」とは、上記の「１：重心Ｙ軸ラインと耳の乖離」の場合と同様に、人体の姿勢の前後の傾斜度合を検出するものであり、変形後の骨格モデルが含む左膝頭に応じた点Ｐ１０２（Hizagashira_L）又は右膝頭に応じた点Ｐ１０３（Hizagashira_R）が有するＺ座標値と重心Ｙ軸ラインのＺ座標値との差（ｃｍ）を算出するものとなっている（ＹＺ座標系で構成される二次元平面における差を算出）。そして、この算出した差に基づく検証のため、判定テーブル９５は、被験者の身長（ｃｍ）に対する算出した差（ｃｍ）の割合（％）の数値に対し、１．１を閾値にしている。この閾値に対して、上記の差の割合がプラスマイナス１．１の範囲内であれば正常であり、１．１を上回ってプラスのときは姿勢が前傾、１．１を下回ってマイナスのときは姿勢が後傾であると判定する旨を判定テーブル９５は規定する。【０２７３】  横の方向から見た場合の「３：骨盤の前後傾斜角度」とは、骨盤の前後の傾斜度合を検出するものであり、ＹＺ座標系で構成される二次元平面において、図３２に示す骨格モデル７１ａ（変形後の骨格モデル）の骨盤角度線Ｌ１０１（骨盤中心（hips）に係る腰仙角に応じた線）が、線Ｌ１００と交わる角度を意味する。判定テーブル９５は、骨盤基準角度として３０度という角度を規定すると共に（３０度という数値は一例）、姿勢検証用の閾値としてプラスマイナス１０度を規定する。変形後の骨格モデルの骨盤角度線Ｌ１０１が、線Ｌ１００と交わる角度を特定すると、その特定した角度を骨盤基準角度と比較し、比較の結果、特定した角度が骨盤基準角度に対しプラスマイナス１０度の範囲内であれば正常、骨盤基準角度より正常上限の１０度を上回る場合を骨盤前傾、正常下限の−１０度を下回る場合を骨盤後傾でありと判定する旨を判定テーブル９５は規定する。【０２７４】  横の方向から見た場合の「４：胸椎箇所の背骨角度」とは、基準角度からの誤差より、脊柱（胸椎）の後弯の度合を検出するものであり、ＹＺ座標系で構成される二次元平面において、図３２に示す骨格モデル７１ａ（変形後の骨格モデル）の背骨中部（spine1）に係る第１後弯線Ｌ１０４及び第２後弯線Ｌ１０５が交わる角度を意味する。判定テーブル９５は、胸椎後弯基準角度として４０度という角度を規定すると共に（４０度という数値は一例）、姿勢検証用の閾値として上限値１０度及び下限値０度を規定する。変形後の骨格モデルの第１後弯線Ｌ１０４及び第２後弯線Ｌ１０５の交わる角度を特定すると、その特定した角度を胸椎後弯基準角度と比較し、比較の結果、特定した角度が、胸椎後弯基準角度からプラス１０度の範囲であれば正常、胸椎後弯基準角度より正常上限の１０度を上回る場合を猫背（胸椎前弯）、０度を下回る場合を平背であると判定する旨を判定テーブル９５は規定する。【０２７５】  横の方向から見た場合の「５：腰椎箇所の背骨角度」とは、基準角度からの誤差より、脊柱（腰椎）の前弯の度合を検出するものであり、ＹＺ座標系で構成される二次元平面において、図３２に示す骨格モデル７１ａ（変形後の骨格モデル）の背骨下部（spine）に係る第１前弯線Ｌ１０２及び第２前弯線Ｌ１０３が交わる角度を意味する。判定テーブル９５は、腰椎前弯基準角度として４５度という角度を規定すると共に（４５度という数値は一例）、姿勢検証用の閾値としてプラスマイナス１０度を規定する。変形後の骨格モデルの第１前弯線Ｌ１０２及び第２前弯線Ｌ１０３の交わる角度を特定すると、その特定した角度を腰椎前弯基準角度と比較し、比較の結果、特定した角度が、腰椎前弯基準角度に対しプラスマイナス１０度の範囲内であれば正常、腰椎前弯基準角度より正常上限の１０度を上回る場合を腰椎平坦、正常下限の−１０度を下回る場合を腹部突出であると判定する旨を判定テーブル９５は規定する。【０２７６】  横の方向から見た場合の「６：首の湾曲角度」とは、基準角度からの誤差より、首の前後の湾曲度合を検出するものであり、ＹＺ座標系で構成される二次元平面において、図３２に示す骨格モデル７１ａ（変形後の骨格モデル）の首下部（neck_1）に係る第１頸椎前弯線Ｌ１０６及び第２頸椎前弯線Ｌ１０７が交わる角度を意味する。判定テーブル９５は、頸椎前弯基準角度として３０度という角度を規定すると共に（３０度という数値は一例であり、３０〜３５度の範囲で数値を規定することが好適）、姿勢検証用の閾値として上限値１０度及び下限値−１５度を規定する。���形後の骨格モデルの第１頸椎前弯線Ｌ１０６及び第２頸椎前弯線Ｌ１０７が交わる角度を特定すると、その特定した角度を頸椎前弯基準角度と比較し、比較の結果、特定した角度が頸椎前弯基準角度を中心にプラス１０度及びマイナス１５度の範囲内であれば正常、頸椎前弯基準角度より正常上限の１０度を上回る場合をのけぞり（頸部後屈）、−１５度を下回る場合をストレートネックであると判定する旨を判定テーブル９５は規定する。【０２７７】  上から見下ろした場合の「１：左右の鎖骨角度の差」とは、左右の鎖骨角度の基準角度からの差を求めることにより、両肩のそれぞれの前後の捻れを検証するものであり、ＸＺ座標系で構成される二次元平面において、ポイントテーブル８００に含まれる左鎖骨（LeftShoulder）及び右鎖骨（RightShoulder）に係る角度を特定し、その特定した角度を基準鎖骨角度と比較する。判定テーブル９５は、姿勢検証用の閾値として左右の鎖骨それぞれにプラスマイナス５度を規定する。特定した左右鎖骨に係る角度と基準鎖骨角度を比較して、左右鎖骨に係る角度の両方が基準鎖骨角度に対しプラスマイナス５度の範囲内であれば正常、基準鎖骨角度より−５度以下で小さい場合、肩が左ねじれ、左右鎖骨に係る角度の両方が基準鎖骨角度より５度以上大きい場合、肩が右ねじれであると判定する旨を判定テーブル９５は規定する。【０２７８】  上から見下ろした場合の「２：首の左右回転角度」とは、首の左右の捻れを検証するものであり、ＸＺ座標系で構成される二次元平面において、ポイントテーブル８００に含まれる首上部（neck_3）に係る角度を特定するものであり、特定の仕方としては、ポイントテーブル８００に含まれる左右の耳たぶを結ぶ線と、Ｘ座標に係る軸に平行な線との交わる角度を特定し、その特定した角度を基準首角度と比較する。判定テーブル９５は、姿勢検証用の閾値として１０度を規定する。特定した首上部（neck_3）に係る角度が、基準首角度に対しプラスマイナス１０度の範囲内であれば正常、基準首角度より１０度以上大きい場合、首が右ねじれ、特定した首上部（neck_3）に係る角度が、基準首角度より１０度以下で小さい場合、首が左ねじれであると判定する旨を判定テーブル９５は規定する。【０２７９】  下から見上げた場合の「１：腰に対する肩の角度」とは、肩の腰のねじれを検証するものであり（腰に対する肩の角度を検出）、ＸＺ座標系で構成される二次元平面において、ポイントテーブル８００に含まれる左右肩峰を結ぶ線がＸ軸と交わる角度と、左右骨盤を結ぶ線がＸ軸と交わる角度との角度差を算出し、その算出した角度差を基準角度と比較する。判定テーブル９５は、姿勢検証用の閾値として１０度を規定する。算出した角度差が、基準角度に対してプラスマイナス１０度の範囲内であれば正常、基準角度より１０度以上大きい場合、腰が右ねじれ、基準首角度より１０度以下で小さい場合、腰が左ねじれであると判定する旨を判定テーブル９５は規定する。【０２８０】  下から見上げた場合の「２：膝頭の前後差」とは、膝の前後差を検証するものであり、ＸＺ座標系で構成される二次元平面において、図３１の骨格モデル７１ａで示した右膝頭に応じた点Ｐ１０３（Hizagashira_R）のＺ座標値から、左膝頭に応じた点Ｐ１０２（Hizagashira_L）のＺ座標値を減算する。この減算した値に基づき客観的な検証を行うための閾値を、判定テーブル９５は規定しており、被験者の身長に対する減算した値の割合（％）の数値に対して１．１を閾値にしている。上記の差の割合がプラスマイナス１．１の範囲内であれば正常であり、１．１を超えるプラスのときは、右膝が前、マイナス１．１を下回るマイナスのときは、左膝が前であると判定する旨を判定テーブル９５は規定する。【０２８１】  図３９は、骨格特定システム５０′の記憶部５０ｇ′に記憶される分析テーブル９６の一部の内容を示す。分析テーブル９６は、上述した図３６、３７に示す判定テーブル９５が判定する主な「関連症状」ごとに、「症状の説明」、「健康への影響」、「原因・特徴」、「施術・トレーニング」、「参考画像」等の項目について内容を格納したものである。分析テーブル９６の関連症状に含まれる各項目は、判定テーブル９５に関連症状の各項目とリンクしており、それゆえ、判定テーブル９５に基づき、関連症状の項目が判定されると、その判定された関連症状の項目にリンクした分析テーブル９６の内容（上述した症状の説明、健康への影響、原因・特徴、施術・トレーニング、参考画像等）が特定できるようになっている。【０２８２】  分析テーブル９６が含む関連症状としては、「（１）全身前傾」、「（２）全身後傾」、「（３）おなか突出」、「（４）全身又は肩の左傾き」、「（５）全身又は肩の右傾き」、「（６）肩の右ねじれ」、「（７）肩の左ねじれ」、「（８）猫背（胸椎後弯）」、「（９）平背」、「（１０）腰椎平坦」、「（１１）骨盤前傾」、「（１２）骨盤後傾」、「（１３）骨盤左右傾斜」、「（１４）ストレートネック」、「（１５）のけぞり（頚部後屈）」、「（１６）Ｘ脚」、「（１７）Ｏ脚」、「（１８）左右寛骨前傾・後傾」、「（１９）首のねじれ」、「（２０）膝の前後差」等がある。【０２８３】  分析テーブル９６の「（１）全身前傾」又は「（２）全身後傾」は、判定テーブル９５において、人体を横から見た場合の「１：重心Ｙ軸ラインと耳の乖離」及び「２：重心Ｙ軸ラインと膝の乖離」で判定される「全身の前傾」又は「全身の後傾」という関連症状の項目にリンクしている。分析テーブル９６の「（３）おなか突出」は、判定テーブル９５において、人体を横から見た場合の「５：腰椎箇所の背骨角度」で判定される「おなか突出」という関連症状の項目にリンクしている。分析テーブル９６の「（４）全身又は肩の左傾き」又は「（５）全身又は肩の右傾き」は、判定テーブル９５において、人体を前から見た場合の「１：重心Ｙ軸ラインと頭頂部との乖離」で判定される「全身の左傾き」又は「全身の右傾き」、若しくは「４：左右肩峰の高さの差」で判定される「肩の左傾き」又は「肩の右傾き」という関連症状の項目にリンクしている。【０２８４】  また、分析テーブル９６の「（６）肩の右ねじれ」又は「（７）肩の左ねじれ」は、判定テーブル９５において、人体を上から見下ろした場合の「１：左右の鎖骨角度の差」で判定される「肩の右ねじれ」又は「肩の左ねじれ」という関連症状の項目にリンクしている。分析テーブル９６の「（８）猫背（胸椎後弯）」又は「（９）平背」は、判定テーブル９５において、人体を横から見た場合の「４：胸椎箇所の背骨角度」で判定される「猫背（胸椎後弯）」又は「平背」という関連症状の項目にリンクしている。分析テーブル９６の「（１０）腰椎平坦」は、判定テーブル９５において、人体を横から見た場合の「５：腰椎箇所の背骨角度」で判定される「腰椎平坦」という関連症状の項目にリンクしている。【０２８５】  さらに、分析テーブル９６の「（１１）骨盤前傾」又は「（１２）骨盤後傾」は、判定テーブル９５において、人体を横から見た場合の「３：骨盤の前後傾斜角度」で判定される「骨盤前傾」又は「骨盤後傾」という関連症状の項目にリンクしている。分析テーブル９６の「（１３）骨盤左右傾斜」は、判定テーブル９５において、人体を前から見た場合の「５：左右骨盤の高さの差」で判定される「骨盤の左傾き」又は「骨盤の右傾き」という関連症状の項目にリンクしている。分析テーブル９６の「（１４）ストレートネック」又は「（１５）のけぞり（頚部後屈）」は、判定テーブル９５において、人体を横から見た場合の「６：首の湾曲角度」で判定される「ストレートネック」又は「のけぞり（頚部後屈）」という関連症状の項目にリンクしている。【０２８６】  さらにまた、分析テーブル９６の「（１６）Ｘ脚」、「（１７）Ｏ脚」は、判定テーブル９５において、人体を前から見た場合の「６：膝関節の外反角度」で判定される「Ｘ脚」又は「Ｏ脚」という関連症状の項目にリンクしている。分析テーブル９６の「（１８）左右寛骨前傾・後傾」は、判定テーブル９５において、人体を横から見た場合の「３：骨盤の前後傾斜角度」で判定される「骨盤前傾」又は「骨盤後傾」という関連症状の項目にリンクしている。分析テーブル９６の「（１９）首のねじれ」は、判定テーブル９５において、人体を上から見下ろした場合の「２：首の左右回転角度」で判定される「首の右ねじれ」又は「首の左ねじれ」という関連症状の項目にリンクしている。そして、分析テーブル９６の「（２０）膝の前後差」は、判定テーブル９５において、人体を下から見上げた場合の「２：膝頭の前後差」で判定される「右膝が前」又は「左膝が前」という関連症状の項目にリンクしている。【０２８７】  また、分析テーブル９６の「関連症状」ごとに記される「症状の説明」、「健康への影響」、「原因・特徴」、「施術・トレーニング」という各項目に格納される内容の一例を、「（１１）骨盤前傾」の場合で説明する。「（１１）骨盤前傾」の関連症状の「症状の説明」という項目には「骨盤が前に傾いている状態。過度なものは「反り腰」とも呼ばれる。」という内容が格納されており、「健康への影響」という項目には「腰痛など体の痛み、お尻が出てしまう、代謝の悪化、前ももの張り（膝の痛み）、Ｘ脚」という内容が格納されている。また、「原因・特徴」という項目には「体の前後の筋力の不均等（体の前後の筋肉のバランスが悪くなることで骨盤の前傾や後傾が起こる）、悪い姿勢で座っている、立っている、歩いている、高いヒールをよく履く、うつ伏せで寝る習慣」という内容が格納されている。さらに、「施術・トレーニング」という項目には「テニスボールなどの筋膜リリースで腰痛ストレッチの準備運動、腰を支える骨盤周りの筋膜リリース、太もも周りの筋膜リリース」という内容が格納されている。【０２８８】  次に、実施例２のモデル変形プログラムＰ１１０（コンピュータプログラムに相当）が規定するプログラミング内容について説明していく。実施例２のモデル変形プログラムＰ１１０は、実施例１のプログラミング内容に加えて、骨格ポイント等の位置特定、異常の有無の判定、被験者（人体）の姿勢検証、及びユーザに提示する画像に応じた画像情報の生成等に関してＭＰＵ５０ａ′が行う処理内容を規定している。【０２８９】  まず、骨格特定システム５０′は、測定処理装置３０（図１参照）から送られてくる測定結果を受け取ると、図３３、３４に示すポイントテーブル８００に従って、各骨格ポイント等の三次元座標値を特定（算出）する処理をＭＰＵ５０ａ′が行うことを、モデル変形プログラムＰ１１０は規定する。なお、測定処理装置３０から送られてくる測定結果には、三次元測定による人体表面の複数の点（約３万の点）の三次元座標値に加えて、被験者の身長等の長さに関する数値データ、及び三次元測定の際に三次元測定器２０の走査状況取得部２１ｂ、２２ｂ、２３ｂで撮像して得られた被験者の撮像画像（人体を前から見た撮像画像、人体を横方向から見た撮像画像、人体を上方向から見下ろした撮像画像、人体を下方向から見上げた撮像画像、人体を後方向から見た撮像画像等を含む各方向からの撮像画像）等が含まれる。【０２９０】  各骨格ポイント等の三次元座標値の特定（算出）が完了すると、図３６、３７の判定テーブル９５の中で、骨格モデルを用いずに異常有無の判定の検証を行える検出箇所について、ＭＰＵ５０ａ′が判定テーブル９５に基づき、関連症状の判定処理を行うことをモデル変形プログラムＰ１１０は規定する。なお、骨格モデルを用いないで関連症状の判定処理となる検出箇所の例としては、人体を前の方向から見た場合の「１：重心Ｙ軸ラインと頭頂部との乖離」、「４：左右肩峰の高さの差」、及び「５：左右骨盤の高さの差」等、人体を横の方向から見た場合の「１：重心Ｙ軸ラインと耳の乖離」、並びに人体を下から見上げた場合の検証箇所としては「１：腰に対する肩の角度」等の項目がある。【０２９１】  また、上述した項目以外については、実施例１の場合と同様に、骨格モデルの変形を行い、変形した骨格モデルに基づき、ＭＰＵ５０ａ′は、判定テーブル９５を参照して関連症状を特定することになる。なお、骨格モデルの変形処理は、実施例１で説明したように、先ず、人体モデルテーブル７０の中から、被験者に応じたパターン（標準パターン、第１パターン、第２パターンのいずれか）の骨格モデルを特定し、特定した骨格モデルを被験者の測定された身長の寸法に応じて、相似的に拡大又は縮小し、そのように拡大又は縮小した骨格モデルの各変形基点が、対応関係となる骨格ポイント（三次元座標値を求めた骨格ポイント）に一致するように骨格モデルを変形するという処理内容になる。【０２９２】  上記のように変形した骨格モデルから、ＭＰＵ５０ａ′は、図３１に示す左右の大腿骨大転子に応じた点Ｐ１００、１０１（Daitehshi_L、Daitehshi_R）、左右の膝頭に応じた点Ｐ１０２、１０３（Hizagashira_L、Hizagashira_R）、左右の脛骨下の足��に応じた点Ｐ１０４、１０５（Ashikubi_L、Ashikubi_R）という対象点の三次元座標値を特定する。これらの点Ｐ１００〜１０５の三次元座標値の特定に伴って、判定テーブル９５の中の人体を前の方向から見た場合の「２：大腿骨大転子から膝頭までの両足間の差」、「３：膝頭から足首までの高さの両足間の差」、及び「６：膝関節の外反角度」、人体を横の方向から見た場合の「２：重心Ｙ軸ラインと膝の乖離」、並びに人体を下から見上げた場合の「２：膝頭の前後差」等の関連症状をＭＰＵ５０ａ′は特定する。【０２９３】  また、変形した骨格モデルの図３２に示す各角度線Ｌ１０１〜Ｌ１０７及びＺ軸に平行な線Ｌ１００より、被験者の骨盤角度（腰仙角）、腰椎前弯角度、胸椎後弯角度、及び頸椎前弯角度を特定し、その特定した角度に基づき、判定テーブル９５の「３：骨盤の前後傾斜角度」、「５：腰椎箇所の背骨角度」、「４：胸椎箇所の背骨角度」、及び「６：首の湾曲角度」といった検出箇所について関連症状の特定処理をＭＰＵ５０ａ′が行うことをモデル変形プログラムＰ１１０は規定する。【０２９４】  上述した関連症状の特定処理において、ＭＰＵ５０ａ′は、先ず、各検出箇所に対し、判定テーブル９５の規定に基づき長さ又は角度を特定（算出）することになる。長さを特定（算出）した場合は、その特定（算出）した長さについて被験者の身長に対する割合を算出し、算出した割合を判定テーブル９５が規定する閾値や基準割合（例えば、大腿骨線基準割合）と比較し、比較の結果、算出した割合が、基準割合に対して判定テーブル９５が規定する閾値の範囲内に収まっている場合、ＭＰＵ５０ａ′は正常であると判定し、閾値上限を上回る場合、又は閾値下限を下回る場合、判定テーブル９５が規定する関連症状の内容（異常の内容）を、それぞれの場合について判定する。【０２９５】  また、判定テーブル９５の規定に基づき角度を特定（算出）した場合は、その特定（算出）した角度を、判定テーブル９５が規定する基準角度と比較し、比較の結果、基準角度に対して判定テーブル９５が規定する閾値の範囲内に収まっている場合、ＭＰＵ５０ａ′は正常であると判定し、閾値上限を上回る場合又は閾値下限を下回る場合、判定テーブル９５が規定する関連症状の内容（異常の内容）を、それぞれの場合について判定する。【０２９６】  さらに、ＭＰＵ５０ａ′は、上述したように関連症状の内容（異常の内容）を判定した検出箇所については、その関連症状にリンクする分析テーブル９５の項目を特定する処理を行うことをモデル変形プログラムＰ１１０は規定する。上述した各種処理を完了すると、次に、図２６〜２９に示す姿勢検証用の画面に係る画面情報をＭＰＵ５０ａ′が生成することをモデル変形プログラムＰ１１０は規定する。【０２９７】  図４０は実施例２における骨格モデルを示す画面（骨格モデル画面と称す）を示し、実施例１と異なる内容として、表示内容を図２６〜２９に示す姿勢検証用の画面に切り替えるための切替ボタン７５ａを選択可能に設けている。図４０に示す画面が通信端末３の表示スクリーン３ａで表示された状態で、切替ボタン７５ａが選択されると、図２６に示す人体を横方向から見た横方向検証画面１００の表示に切り替わるように��図４０の画面に係る画面情報は作り込まれている。なお、図４０の画面は、画面左側に、撮像モデル画面（被験者の撮像画像を示す画面）、骨格モデル画面、筋肉モデル画面（筋肉モデルを示す画面）、脂肪モデル画面（脂肪モデルを示す画面）に表示内容を切り替えるための撮像ボタン７５ｂ、骨格ボタン７５ｃ、筋肉ボタン７５ｄ、脂肪ボタン７５ｅを、いずれか一つのボタンが選択可能となるように配置しており、ボタン７５ｂ〜７５ｅのいずれか一つをユーザが適宜選択することで、所望の画面に表示を切り替えられるように作り込まれている。【０２９８】  図２６に示す横方向の姿勢検証画面１００は、測定処理装置３０から送られてくる測定結果に含まれる撮像画像（人体を横から見た撮像画像）に、上述した処理で各検出箇所について特定（算出）した角度、重心を示す線等を含むものになっており、このような横方向の姿勢検証画面１００を通信端末３で表示するための画面情報をＭＰＵ５０ａ′は生成することになる。【０２９９】  具体的な生成の仕方として、測定処理装置３０から取得した人体を横から見た撮像画像１０１を画面中央に配置し、その撮像画像に係る人体の重心を通過する重心Ｙ軸ラインＬ２００を描くと共に、上記の処理で三次元座標を特定した耳たぶ（左耳たぶ１０１ｅ）と重心を通る耳たぶラインＬ２０１を描く。また、撮像画像の骨盤箇所１０１ａに、骨盤に応じた傾きを示す骨盤矢印線１０２を描くと共に、上記の処理で特定した骨盤角度（腰仙角）の数値を記した骨盤角度ボックス１０２ａを骨盤矢印線１０２の近傍に配置する。【０３００】  そして、撮像画像の腰部箇所１０１ｂに、腰椎に応じた傾きを示す腰椎矢印線１０３を描くと共に、上記の処理で特定した腰椎前弯角度の数値を記した腰椎角度ボックス１０３ａを腰椎矢印線１０３の近傍に配置する。さらに、撮像画像の胸椎箇所１０１ｃにおける背骨部分に、胸椎に応じた傾きを示す胸椎矢印線１０４を描くと共に、上記の処理で特定した胸椎後弯角度の数値を記した胸椎角度ボックス１０４ａを胸椎矢印線１０４の近傍に配置する。さらにまた、撮像画像の首箇所１０１ｄに、頸椎に応じた傾きを示す頸椎矢印線１０５を描くと共に、上記の処理で特定した頸椎前弯角度の数値を記した頸椎角度ボックス１０５ａを頸椎矢印線１０５の近傍に配置する。【０３０１】  また、重心Ｙ軸ラインＬ２００から左耳たぶ１０１ｅへ向かう耳たぶ矢印線１０６を描くと共に、上記の処理で特定した重心Ｙ軸ラインＬ２００と耳（左耳たぶ１０１ｅ）との乖離の長さを記した耳たぶ乖離ボックス１０６ａを耳たぶ矢印線１０６の近傍に配置する。さらに重心Ｙ軸ラインＬ２００から左膝１０１ｆへ向かう膝矢印線１０６を描くと共に、上記の処理で特定した重心Ｙ軸ラインＬ２００と膝（左膝１０１ｆ）との乖離の長さを記した膝乖離ボックス１０７ａを膝矢印線１０７の近傍に配置する。そして、上述した各角度ボックス１０２ａ〜１０５ａ及び乖離ボックス１０６ａ、１０７ａのボックス内部の色は、異常が発生している場合は例えば赤色、正常のときは水色といったように色を変えるようにしている（他の画面１１０、１２０、１３０でも同様）。このような各矢印線１０２〜１０７及び数値を記した各ボックス１０２ａ〜１０７を被験者の撮像画像と一緒に、撮像画像中の対象箇所に配置することで、ユーザは人体の横方向から見た場合において、一目で自分の姿勢、骨格の状況等を確認できると共に、異常の発生箇所も容易に把握できる（異常の発生箇所が複数でも、各異常発生箇所の把握が容易になる）。【０３０２】  また、横方向の姿勢検証画面１００は、画面左側下方に図４０のモデル画面に表示を切り替えるための第１切替ボタン１５５、及び図４１に示す分析画面１６０に表示を切り替えるための第２切替ボタン１５０をそれぞれ選択可能に配置している。さらに、横方向検証画面１００は、画面右側下方に、前ボタン１５１、横ボタン１５２、上ボタン１５３、下ボタン１５４をいずれか一つが選択可能に配置しており、前ボタン１５１が選択されると図２７の前方向の姿勢検証画面１１０に表示が切り替わり、横ボタン１５２が選択されると図２６の横方向の姿勢検証画面１１０に表示が切り替わり、上ボタン１５３が選択されると図２８の上方向の姿勢検証画面１２０に表示が切り替わり、下ボタン１５４が選択されると図２９の下方向の姿勢検証画面１３０に表示が切り替わるようになっている（図中、選択されているボタンの輪郭は実線で示している）。【０３０３】  図２７は、前方向の姿勢検証画面１１０を示し、測定処理装置３０から送られてくる測定結果に含まれる撮像画像（人体を前から見た撮像画像）に、上述した処理で各検出箇所について特定（算出）した角度、長さ、重心Ｙ軸ラインを示す線等を含むものになっており、このような前方向検証画面１１０を通信端末３で表示するための画面情報をＭＰＵ５０ａ′は生成することになる。【０３０４】  具体的な生成の仕方として、測定処理装置３０から取得した人体を前から見た撮像画像１１１を画面中央に配置し、その撮像画像に係る人体の重心を通過する重心Ｙ軸ラインＬ２００を描くと共に、上記の処理で三次元座標を特定した頭頂部１１１ａと重心を通る頭頂部ラインＬ２０２を描く。そして、重心Ｙ軸ラインＬ２００から頭頂部１１１ａまでの乖離の長さを記した頭頂部乖離ボックス２０２ａを頭頂部１１１ａの近傍に配置する。また、撮像画像１１１の腰箇所１１１ｂに、左右骨盤に応じた傾きを示す骨盤矢印線１１２を描くと共に、上記の処理で特定した左右骨盤の高さの差の数値を記した骨盤高さボックス１１２ａを骨盤矢印線１１２の近傍に配置する。【０３０５】  そして、撮像画像の肩箇所１１１ｃに、左右肩峰に応じた傾きを示す両肩矢印線１１３を描くと共に、上記の処理で特定した左右肩峰の高さの差の数値を記した肩高さボックス１１３ａを両肩矢印線１１３の近傍に配置する。また、左右の足の大腿部１１１ｄ、１１１ｅのそれぞれに左右の大腿骨矢印線１１４、１１５を描くと共に、上記の処理で特定した左右の大腿骨線の長さの差の数値を記した大腿骨長さボックス１１５ａを一方の大腿骨線１１５の近傍に配置する。さらに、左右の足の脛部１１１ｆ、１１１ｇのそれぞれに左右の脛骨矢印線１１６、１１７を描くと共に、上記の処理で特定した左右の脛骨線の長さの差の数値を記した脛骨長さボックス１１７ａを一方の脛骨線１１７の近傍に配置する。【０３０６】  さらにまた、上記の処理で特定した左足の大��骨線１１４、１１５と脛骨線１１６、１１７が交わる角度を記した左膝角度ボックス１１８を撮像画像の左膝箇所に配置すると共に、右足の大腿骨線と脛骨線が交わる角度を記した右膝角度ボックス１１９を撮像画像の右膝箇所１１１ｈ、１１１ｉに配置する。なお、前方向の姿勢検証画面１１０も、横方向の姿勢検証画面１００と同様に各ボタン１５０〜１５５を配置している。このような構成の前方向の姿勢検証画面１１０をユーザに提示することで、ユーザは人体の前方向から見た場合において、一目で自分の姿勢、骨格の状況等を確認できる。【０３０７】  図２８は、上方向の姿勢検証画面１２０を示し、測定処理装置３０から送られてくる測定結果に含まれる撮像画像（人体を上から見下ろした撮像画像）に、上述した処理で各検出箇所について特定（算出）した角度線等を含むものになっており、このような上方向の姿勢検証画面１２０を通信端末３で表示するための画面情報をＭＰＵ５０ａ′は生成することになる。【０３０８】  具体的な生成の仕方として、測定処理装置３０から取得した人体を上から見下ろした撮像画像１２１を画面中央に配置すると共に、左右の鎖骨１２１ａ、１２１ｂ、及び肩１２１ｃ、１２１ｄを繋ぐ肩矢印線１２２、１２３を描くと共に、上記の処理で特定した左右の肩１２１ｃ、１２１ｄの捻れの角度を記した肩角度ボックス１２２ａ、１２３ａを肩矢印線１２２、１２３の近傍に配置する。また、首の捻れ状態を示す首捻れ矢印線１２４を描くと共に、上記の処理で特定した首の左又は右への捻れの角度を記した首角度ボックス１２４ａを首捻れ矢印線１２４の近傍に配置する。なお、上方向検証画面１２０も、各ボタン１５０〜１５５を配置している。このような構成の上方向の姿勢検証画面１２０をユーザに提示することで、ユーザは人体を上方向から見下ろした場合において、一目で自分の姿勢、骨格の状況等を確認できるようになる。【０３０９】  図２９は、下方向の姿勢検証画面１３０を示し、測定処理装置３０から送られてくる測定結果に含まれる撮像画像（人体を下から見上げた撮像画像）に、上述した処理で各検出箇所について特定（算出）した角度、長さ等を含むものになっており、このような下方向の姿勢検証画面１３０を通信端末３で表示するための画面情報をＭＰＵ５０ａ′は生成することになる。【０３１０】  具体的な生成の仕方として、測定処理装置３０から取得した人体を下から見上げた撮像画像１３１を画面中央に配置し、その撮像画像に係る人体の重心を通過する重心Ｙ軸ラインＬ２００を描くと共に、左右の腰を繋ぐ腰矢印線１３２及び左右の肩を繋ぐ肩矢印線１３３を描くと共に、腰と肩の捻れの角度を記した腰肩角度ボックス１３２ａを腰矢印線１３２及び肩矢印線１３３の近傍に配置する。また、左右の膝頭を繋ぐ膝矢印線１３４を描くと共に、左右の膝の前後差を記した膝前後差ボックス１３４ａを膝矢印線１３４の近傍に配置する。なお、下方向の姿勢検証画面１３０も、各ボタン１５０〜１５５を配置している。このような構成の下方向の姿勢検証画面１３０をユーザに提示することで、ユーザは人体を下から見上げた場合において、一目で自分の姿勢、骨格の状況等を確認できるようになる。【０３１１】  図４１（ａ）は���析画面１６０を示し、上述した各姿勢検証画面１００、１１０、１２０、１３０において、第２切替ボタン１５０が選択された場合に表示されるものであり、首分析欄１６１、背中分析欄１６２、骨盤分析欄１６３、膝分析欄１６４を有する。これらの分析欄１６１〜１６４には、上述した処理で特定された各部位の関連症状が記されるようになっており、正常である場合は空欄となり、何らかの関連症状が記されている場合、その欄は選択可能になっており、欄が選択された場合は、記された関連症状についての詳しい情報を示すアドバイス画面に表示が切り替わる。同じ箇所に複数の関連症状が生じている場合は、一つの分析欄に複数の関連症状が記されることになる。なお、分析画面１６０を左方向にスワイプすると、前の表示画面に戻るようになっている。【０３１２】  図４１（ｂ）、図４２（ａ）、（ｂ）は、アドバイス画面１７０の一例を示し、この一例のアドバイス画面１７０はストレートネックに関するものであり、図４１（ａ）に示す分析画面１６０で、ストレートネックと記された首分析欄１６１が選択された場合に表示される画面になっている（アドバイス画面１７０の内容が長いので、図４１（ａ）、図４２（ａ）、（ｂ）に分けており、表示スクリーン３ａのスクロール操作により、アドバイス画面１７０の中の所望箇所を表示できる）。【０３１３】  アドバイス画面１７０は、図３９に示す分析テーブル９６に含まれる「症状の説明」、「健康への影響」、「原因・特徴」、「施術・トレーニング」、「参考画像」等の項目の記載事項を配置したものなっている。すなわち、アドバイス画面１７０は、ストレートネックに関する症状説明欄１７１、健康への影響欄１７２、原因欄１７３、及びトレーニング欄１７４を含み、これらの各欄１７１〜１７４に記される内容は、分析テーブル９６のストレートネックについて格納された情報から抽出されたものになっている。なお、症状説明欄１７１に配置される画像１７１ａ及びトレーニング欄１７４に配置される画像１７４ａも、分析テーブル９６のストレートネックについて格納された画像が用いられている。このようなアドバイス画面１７０も、左方向にスワイプすることで、前の表示画面（分析画面１６０）に戻るようになっている。なお、上記のアドバイス画面１７０は、ストレートネックの場合で説明したが、他の関連症状の場合も同様に、分析テーブル９６の中から抽出された情報が配置されたものになる。【０３１４】  上述したように生成した各種画面に応じた画面情報、上記処理で特定（算出）した数値（角度、長さ、割合等）、及び特定した関連症状などを、三次元測定を行ったユーザのユーザＩＤに対応づけて会員データベース６０（図８参照）に登録する処理をＭＰＵ５０ａ′が行うことを、モデル変形プログラムＰ１１０は規定する。そして、通信端末３からデータ閲覧についてのログイン要求があり、ログイン状態になると、ログインに係るユーザＩＤに対応づけて格納されている画面情報（モデル画面、各方向の検証画面、分析画面、アドバイス画面等に応じた画面情報）、及び各種数値情報等を、ログインを行った通信端末３へ送信する処理をＭＰＵ５０ａ′が行うことを、モデル変形プログラムＰ１１０は規定す���。【０３１５】  図４３は、上述したモデル変形プログラムＰ１１０が規定する処理内容の手順の概要を整理した方法（骨格特定方法に相当）を示すフローチャートである。このフローチャートに従って、骨格特定システム５０′（ＭＰＵ５０ａ′）が行う処理の概要を整理すると、先ず、三次元測定で得られた人体表面の複数の点の中から、各骨格ポイント等に対応する人体表面の点をポイントテーブル８００の規定に基づき特定すると共に、特定した人体表面の点が有する三次元座標値から、各骨格ポイント等の三次元座標値を特定（算出）し（Ｓ１０）、次に、特定（算出）した三次元座標値から判定できる関連症状の項目については、関連症状の判定を行う（Ｓ１１）。【０３１６】  また、骨格特定システム５０′（ＭＰＵ５０ａ′）は、骨格ポイントの特定（算出）した三次元座標値に変形基点が一致するように骨格モデルを変形する（Ｓ１２）。その変形した骨格モデルが含む対象点の三次元座標値を特定し（Ｓ１３）、その変形した骨格モデルが有する対象点（図３１に示す点Ｐ１００〜１０５等）の三次元座標値に基づき対象点の位置を特定すると共に、各角度線Ｌ１０１〜Ｌ１０７により角度の特定を行うことなどにより、Ｓ１１の段階で判定した以外の残りの関連症状について判定を行う（Ｓ１４）。【０３１７】  そして、骨格特定システム５０′（ＭＰＵ５０ａ′）は、Ｓ１１及びＳ１４の判定した関連症状をふまえて、各種画面用の画面情報を生成し（Ｓ１５）、生成した画面情報、特定（算出）した値を示す情報等を、被験者のユーザＩＤに対応づけて会員データベース６０に登録することになる（Ｓ１６）。なお、このような手順は一例であり、仕様等に応じて、手順を変更することは可能であり、例えば、Ｓ１１の判定処理は、Ｓ１４の段階で、変形モデルに基づく判定とあわせて行うことも可能である。【０３１８】  図４４は、上述した各画面等の表示を行う通信端末３の主要な内部構成を示す。通信端末３としては、実施例１で説明したように、タブレット、スマートフォンのような携帯通信端末、通信機能を有するパソコン（ノート型パソコン、デスクトップ型パソコン等）などを用いることができ、一種のコンピュータに相当する（図４４はタブレットの場合の構成を示す）。ただし、通信端末３として、スマートフォンのような携帯通信端末、通信機能を有するパソコン（ノート型パソコン、デスクトップ型パソコン等）を用いた場合でも、本発明に関する構成部分は、図４４に示す構成に対応したものとなる。【０３１９】  通信端末３は、全体的な制御及び各種処理を行うＣＰＵ３ｂ（プロセッサ３ｂ）に、内部接続線３ｋを介して、通信モジュール３ｃ（通信手段に相当）、ＲＡＭ３ｄ、ＲＯＭ３ｅ、入出力インタフェース３ｆ、記憶部（記憶手段に相当）３ｇ等の各種デバイス等を接続したものになっている。【０３２０】  通信モジュール３ｃは、ネットワークを介した無線通信処理を、ＣＰＵ３ｂの制御に従って行うものである。ＲＡＭ３ｄは、ＣＰＵ３ｂの処理に伴う内容、ファイル等を一時的に記憶すると共に、骨格特定システム５０′から送られてくる画面情報及び各種数値情報等の記憶も行う。ＲＯＭ３ｅは、ＣＰＵ３ｂの基本的な処理内容を規定したプログラム���を記憶すると共に、通信端末３を識別する識別情報（ＵＩＤ）等も格納している。なお、このＵＩＤは、上述した通信モジュール３ｃで通信（送信する際、送信内容に含まれるようになっている（例えば、送信パケットのヘッダ等にＵＩＤを含めて送信が行われる）。【０３２１】  入出力インタフェース３ｆは、タッチパネル機能を具備した長方形のパネル画面を有する表示スクリーン３ａと接続されており、ＣＰＵ３ｂの制御処理により生成された各種画面（図２６〜２９、４０〜４２等に示す画面）を表示スクリーン３ａに出力する処理を行い、それにより、出力した画面内容が表示スクリーン３ａに表示されることになる。また、入出力インタフェース３ｆは、表示スクリーン３ａの表面をユーザがタッチ、スワイプ等することで受け付けた各種操作内容をＣＰＵ３ｂへ送る処理も行う。なお、ユーザが表示スクリーン３ａの表面をタッチすることで受け付ける操作内容は、表示している画面内容に応じて適宜、変化する。【０３２２】  記憶部３ｇは、ＯＳプログラムＰ２００、人体検証アプリＰ２０１、及びその他の各種アプリ等のプログラムを記憶（インストール）すると共に、各種データも記憶する。ＯＳプログラムＰ２００は、オペレーティングシステムに相当する基本プログラムであり、通信端末３が一種のコンピュータとして機能するためのＣＰＵ３ｂの処理を規定している。ＯＳプログラムＰ２００が規定する基本的な処理の一つとしては、表示スクリーン３ａにホーム画面を表示することが挙げられ、このホーム画面においては、記憶部３ｇにインストールされている各種アプリに応じたアイコン等を配置することも、ＯＳプログラムＰ２００の規定する処理によるものとなっている。【０３２３】  記憶部３ｇに記憶される人体検証アプリＰ２０１は、三次元測定を行ったユーザがその測定結果を確認するための内容を表示するためのアプリケーションプログラム（コンピュータプログラム）である。人体検証アプリＰ２０１は、測定結果に係る内容を表示するためのＣＰＵ３ｂの制御処理を規定しており、起動すると、最初にログインのためのユーザＩＤ及びパスワード（又はパスコード）の入力を受け付けるログイン画面を表示スクリーン３ａに表示するように作り込まれている。【０３２４】  ユーザＩＤ及びパスワードの入力を受け付けた状態で、ログイン画面に含まれるログインボタンの選択操作を受け付けると、ＣＰＵ３ｂは、入力を受け付けたユーザＩＤ及びパスワードを含むログイン要求を骨格特定システム５０′へ送信する処理を行うことになる。ログイン要求の送信に伴い、骨格特定システム５０′から画面情報及び各種数値情報等を受信すると、受信した情報等をＲＡＭ３ｄに記憶すると共に、受信した情報に含まれるモデル画面情報（例えば、骨格モデル画面を表示するための画面情報）に基づき、ＣＰＵ３ｂは骨格モデル画面を生成し、生成した骨格モデル画面を表示スクリーン３ａに表示出飾する処理を行う（図４０参照）。【０３２５】  骨格モデル画面を表示スクリーン３ａに表示した状態で、骨格ボタン７５ｃ以外の撮像ボタン７５ｂ、筋肉ボタン７５ｄ、又は脂肪ボタン７５ｅのいずれか一つボタンの選択操作を受け付けると、受け付けた内容の画面を生成して表示スクリーン３ａに表示出力する処理をＣＰＵ３ｂは行う。例えば、筋肉ボタン７５ｄの選択操作を受け付けた場合は、ＲＡＭ３ｄに記憶されるモデル画面情報に基づき、筋肉モデル画面を生成して表示スクリーン３ａに表示出力することになる。【０３２６】  また、モデル画面（例えば、図４０の骨格モデル画面）を表示スクリーン３ａに表示している状態で、切替ボタン７５ａの選択操作を受け付けると、ＲＡＭ３ｄに記憶される画面情報に基づき、ＣＰＵ３ｂは、図２６に示す横方向の姿勢検証画面１００を生成し、表示スクリーン３ａに表示出力する処理を行う。【０３２７】  表示している横方向の姿勢検証画面１００で、前ボタン１５１の選択操作を受け付けると、ＲＡＭ３ｄに記憶される画面情報に基づき、ＣＰＵ３ｂは、図２７に示す前方向の姿勢検証画面１１０を生成し、表示スクリーン３ａに表示出力する処理を行う。また、表示している横方向の姿勢検証画面１００で、上ボタン１５３の選択操作を受け付けると、ＲＡＭ３ｄに記憶される画面情報に基づき、ＣＰＵ３ｂは、図２８に示す上方向の姿勢検証画面１２０を生成し、表示スクリーン３ａに表示出力する処理を行う。さらに、表示している横方向の姿勢検証画面１００で、下ボタン１５４の選択操作を受け付けると、ＲＡＭ３ｄに記憶される画面情報に基づき、ＣＰＵ３ｂは、図２９に示す下方向の姿勢検証画面１３０を生成し、表示スクリーン３ａに表示出力する処理を行う。このように、各ボタン１５１〜１５４のボタンを適宜操作することで、ユーザの所望の方向の姿勢検証画面１００〜１３０のいずれかに表示を切り替えることができ、各方向からユーザ自身の姿勢を視覚的に確認できると共に、画面内の角度又は長さを示す数値により客観的な検証も行えるようにしている。【０３２８】  このような各方向の姿勢検証画面１００〜１３０のいずれかを表示スクリーン３ａに表示している状態で、画面左下の第２切替ボタン１５０の選択操作を受け付けると、ＲＡＭ３ｄに記憶される画面情報に基づき、ＣＰＵ３ｂは、図４１（ａ）に示す分析画面１６０を生成し、表示スクリーン３ａに表示出力する処理を行う。そして分析画面１６０の各欄１６１〜１６４の中で、何らかの関連症状が記載されている欄の選択操作を受け付けると、ＣＰＵ３ｂは、その選択操作の対象となった関連症状に応じた「症状の説明」、「健康への影響」、「原因・特徴」、「施術・トレーニング」、及び「参考画像」等を、ＲＡＭ３ｄに記憶される情報から読み出して、図４１（ｂ）、図４２（ａ）、（ｂ）に示すアドバイス画面１７０を生成し、表示スクリーン３ａに表示出力する処理を行う。このようなアドバイス画面１７０を通じて、特定の異常事項についての詳細な情報をユーザが確認でき、異常事項の解消に役立てられる。【０３２９】  なお、実施例２については、上述した内容に限定されるものではなく、様々な変形例を想定することができる。例えば、図３３、３４に示すポイントテーブル８００の中身は一例であり、仕様に応じて、ポイントテーブル８００に含まれる骨格ポイント等の数は適宜、増減することも可能である。また、ポイントテーブル８００に含まれる骨格ポイント等のＺ座標値を求めるにあたり、対応する人体表面の前後の���のＺ座標値を特定の比率で分ける点を求めるものがあるが、仕様を簡易にするときなどは、Ｘ座標値又はＹ座標値を求める場合と同様に、人体表面の前後の点の平均値を用いるようにしてもよい。【０３３０】  さらに、図３２に示す各角度（骨盤角度、腰椎前弯角度、胸椎後弯角度、頸椎前弯角度）について、異常の有無を判定するのに用いる基準角度の数値は、上述した説明の数値以外を用いることも可能である。特に、頸椎前弯角度は、平均的な値は３０から３５度というように一定の範囲があるので、頸椎前弯角度に対する基準角度は、３０から３５度の範囲内のいずれかの数値を用いることが好適である。また、骨盤角度を判定するのは、腰仙角を用いる以外に、骨格モデルの仙骨底の下面に平行な線と、第１前弯線Ｌ１０２（第５腰椎の接合面に平行な線）との交わる角度で判定することも可能であり、この場合、基準角度の数値としては４０度を用いることが好適である。【０３３１】  また、上述した例では、変形した骨格モデルを用いずに、ポイントテーブル８００の骨格ポイント等の三次元座標値から異常の有無を判定した項目もあるが、これらの項目についても、骨格モデルにおける各箇所に判定用の対象点を予め含ませて、変形後の骨格モデルの対象点が有する三次元座標値から異常の有無を判定する仕様にすることも可能である。なお、実施例２は骨格の特定、姿勢の検証を主にするものなので、実施例１で説明した体組成計１０を省略し、筋肉モデル及び脂肪モデルに関する処理を省いて、仕様を簡易にすることも可能である。【０３３２】  さらにまた、通信端末３に表示する各方向の姿勢検証画面１００〜１３０は、図２６〜２９に示す形態に限定されるものではなく、他の形態も考えられる。例えば、通信端末３として、タブレットではなくスマートフォンを用いる場合、表示スクリーン３ａのサイズもタブレットに比べて小さくなるので（約４〜６インチのサイズ）、小さいスクリーンサイズ用の各検証画面を生成して提示するようにしてもよい。【０３３３】  図４５（ａ）（ｂ）は、スマートフォンなどの小さいサイズ向けの姿勢検証画面２００、２１０を示す。図４５（ａ）は横方向の姿勢検証画面２００であり、図４５（ｂ）は前方向の姿勢検証画面２１０である。【０３３４】  図４５（ａ）の横方向の姿勢検証画面２００は、被験者の横方向の撮像画像１０１を配置するが、画面内容が煩雑になるのを避けるため、図２６の横方向の姿勢検証画面１００に含まれる角度を記した角度ボックス１０２ａ等を含まないと共に、重心Ｙ軸ラインＬ２００等も省略したものになっている。その替わりに、図４５（ａ）の横方向の姿勢検証画面２００は、上述した関連症状の判定で、異常と判定した箇所に、異常マーク２０１〜２０３を選択可能に付している。図４５（ａ）に示す場合は、腰、肩、及び膝に異常が生じていると判定されたので、腰、肩、膝に異常マーク２０１〜２０３が付されている。【０３３５】  また、横方向の姿勢検証画面２００は、画面上部に左ボタン２５０、右ボタン２５１、前ボタン２５２、上ボタン２５３、及び下ボタン２５４を、いずれか一つのボタンが選択可能に配置している。左ボタン２５０は左方向からの姿勢検証画面を表示する際に選択されるもので���り、以下、右ボタン２５１は右方向からの姿勢検証画面の表示、前ボタン２２２は前方向からの姿勢検証画面の表示、上ボタン２５３は上方向からの姿勢検証画面の表示、下ボタン２５４は下方向からの姿勢検証画面の表示を行うためのものになっており、これらの各ボタン２５０〜２５４は各方向の姿勢検証画面でも設けられている（図において、選択されているボタンの周囲は太い実線で示す）。【０３３６】  図４５（ｂ）は前方向の姿勢検証画面２１０、前ボタン２５２が選択された場合に表示される画面であり、被験者の前方向の撮像画像１１１を画面内に配置するが、図２７の前方向の姿勢検証画面１１０に比べて、角度ボックス及び重心Ｙ軸ラインＬ２００等を省略する一方、異常であると判定された腰、肩、膝（右膝）に異常マーク２１１、２１２、２１３を付している。このように図４５（ａ）、（ｂ）の姿勢検証画面２００、２１０は、被験者の撮像画像１０１、１１１において、異常の判定された箇所に異常マークが付されるだけなので、小さいスクリーンサイズであっても、一目で異常と判定された箇所を確認できるようになっている。【０３３７】  図４６（ａ）（ｂ）は、拡大検証画面３００、３１０を示し、上述した図４５（ａ）、（ｂ）の姿勢検証画面２００、２１０に含まれる異常マークの選択操作が行われた場合に表示されるものである。【０３３８】  図４６（ａ）の横方向の拡大検証画面３００は、図４５（ａ）の姿勢検証画面２００において、腰に付された異常マーク２０１の選択操作を受け付けた場合に、ＣＰＵ３ｂがＲＡＭ３ｄに記憶される画面情報に基づいて生成し、姿勢検証画面２００から切り替えて表示出力するものである。この横方向の拡大検証画面３００は、撮像画像１０１の腰部分を拡大して配置すると共に、上述した処理で特定した角度の数値３０１も示すと共に、骨盤の状況を示す角度線Ｌ３００も示す。また、横方向の拡大検証画面３００は、画面下方にテキストボックス３０２、アドバイスボタン３０３、及び戻るボタン３０４を含んでいる。【０３３９】  テキストボックス３０２は、上述した処理で判定された関連症状に応じた情報（分析テーブル９６に格納された情報等）をＲＡＭ３ｄからＣＰＵ３ｂが読み出して、その情報をテキストで示すものである。具体的に図４６（ａ）では、骨盤が前傾であること、骨盤が基準角度より１５度前傾していることなどが記されている。また、アドバイスボタン３０３は選択可能なものであり、このアドバイスボタン３０３の選択操作を受け付けると、骨盤の前傾に応じた内容のアドバイス画面（図４１（ｂ）、４２（ａ）（ｂ）のアドバイス画面１７０参照）に、ＣＰＵは表示を切り替える。なお、戻るボタン３０４は選択されると、図４５（ａ）の姿勢検証画面２００に表示が戻るようになっている。【０３４０】  図４６（ｂ）の前方向の拡大検証画面３１０は、図４５（ｂ）の姿勢検証画面２１０において、肩に付された異常マーク２１２の選択操作を受け付けた場合に、ＣＰＵ３ｂがＲＡＭ３ｄに記憶される画面情報に基づいて生成し、姿勢検証画面２１０から切り替えて表示出力するものである。この前方向の拡大検証画面３１０は、撮像画像１１１の肩部分を中心に拡大表示したものを配置すると共に、上述した処理で特定した長さの数値３１１を示すと共に、肩の基準線Ｌ３１０及び肩の傾き具合を示す角度線Ｌ３１１も示している。【０３４１】  また、前方向の拡大検証画面３１０は、上述した横方向の拡大検証画面３００と同様に、画面下方にテキストボックス３１２、アドバイスボタン３１３、及び戻るボタン３１４を含んでいる。このように、図４６（ａ）（ｂ）の拡大検証画面３００、３１０を表示可能にすることで、小さいサイズの表示スクリーン３ａであっても、関連症状の詳細（異常の具合）を異常発生箇所ごとに確実に把握できる。なお、上記では、前方向及び横方向の姿勢検証画面（拡大検証画面）で説明したが、勿論、上方向及び下方向の姿勢検証画面でも、図４５、４６に示す画面構成の適用が可能である。【０３４２】  さらに、上述した各検証他面１００〜１３０、２００、２１０、３００、３１２は、撮像画像を配置して、各種矢印、数値、角度を付加する構成にしたが、配置するのは骨格モデル、筋肉モデル、脂肪モデルのいずれかのモデル画像を配置する仕様にしてもよく、特に、骨格モデルを配置した場合は、骨格の状況を視認しながら、各種矢印、数値、角度等の客観的な情報で詳細を確認できるので好適である。
【産業上の利用可能性】
【０３４３】  本発明は、被験者の測定結果に応じた形状の骨格モデル、筋肉モデル、及び脂肪モデルで構成される解剖的な人体モデルを提供するので、筋肉の付き方、脂肪の付き方等を視覚的に確認する用途等に対して好適に利用可能であると共に、被験者の姿勢検証にも好適に利用可能である。
【符号の説明】
【０３４４】  １  健康管理システム  ３  通信端末  ３ａ  表示スクリーン  ５  人体測定システム  １０  体組成計  ２０  三次元測定器  ３０  測定処理装置  ３５  表示装置  ５０  人体モデル提供システム  ５０′  骨格特定システム  ５０ａ  ＭＰＵ５０ａ  ６０  会員データベース  ７０  人体モデルテーブル  ７１  （男性用の）骨格モデル  ７２  （男性用の）筋肉モデル  ７３  （男性用の）脂肪モデル  ７６  （女性用の）脂肪モデル  ８０  ポイントテーブル  ８５  モデル数値テーブル  ９０  女性脂肪参照テーブル  ９５  検証判定テーブル  ９６  分析テーブル  １００  横方向の姿勢検証画面  １１０  前方向の姿勢検証画面  １２０  上方向の姿勢検証画面  １３０  下方向の姿勢検証画面  １６０  分析画面  １７０  アドバイス画面  ８００  ポイントテーブル  Ｐ２  三次元測定プログラム  Ｐ３  組成測定プログラム  Ｐ４  測定管理プログラム  Ｐ１１  モデル変形プログラム      
【図１】
2017170264.tif 000003
【図２】
2017170264.tif 000004
【図３】
2017170264.tif 000005
【図４】
2017170264.tif 000006
【図５】
2017170264.tif 000007
【図６】
2017170264.tif 000008
【図７】
2017170264.tif 000009
【図８】
2017170264.tif 000010
【図９】
2017170264.tif 000011
【図１０】
2017170264.tif 000012
【図１１】
2017170264.tif 000013
【図１２】
2017170264.tif 000014
【図１３】
2017170264.tif 000015
【図１４】
2017170264.tif 000016
【図１５】
2017170264.tif 000017
【図１６】
2017170264.tif 000018
【図１７】
2017170264.tif 000019
【図１８】
2017170264.tif 000020
【図１９】
2017170264.tif 000021
【図２０】
2017170264.tif 000022
【図２１】
2017170264.tif 000023
【図２２】
2017170264.tif 000024
【図２３】
2017170264.tif 000025
【図２４】
2017170264.tif 000026
【図２５】
2017170264.tif 000027
【図２６】
2017170264.tif 000028
【図２７】
2017170264.tif 000029
【図２８】
2017170264.tif 000030
【図２９】
2017170264.tif 000031
【図３０】
2017170264.tif 000032
【図３１】
2017170264.tif 000033
【図３２】
2017170264.tif 000034
【図３３】
2017170264.tif 000035
【図３４】
2017170264.tif 000036
【図３５】
2017170264.tif 000037
【図３６】
2017170264.tif 000038
【図３７】
2017170264.tif 000039
【図３８】
2017170264.tif 000040
【図３９】
2017170264.tif 000041
【図４０】
2017170264.tif 000042
【図４１】
2017170264.tif 000043
【図４２】
2017170264.tif 000044
【図４３】
2017170264.tif 000045
【図４４】
2017170264.tif 000046
【図４５】
2017170264.tif 000047
【図４６】
2017170264.tif 000048
【国際調査報告】
2017170264.tif 000049
2017170264.tif 000050